(57)【要約】  基地局（１１０）は、端末（１２０）へ送信する制御情報（１３０）の所定領域（１３１）に端末（１２０）の送信電力を指示する値を格納する第１状態と、端末（１２０）が同一のデータを連続して送信する回数を指示する値を所定領域（１３１）に格納する第２状態と、を切り替え可能である。端末（１２０）は、第１状態の基地局（１１０）から受信した制御情報（１３０）の所定領域（１３１）の値に基づいて送信電力を調整する第３状態と、第２状態の基地局（１１０）から受信した制御情報（１３０）の所定領域（１３１）の値に基づいて、同一のデータを連続して送信する回数を調整する第４状態と、を切り替え可能である。
2015145780.tif 000002
【特許請求の範囲】
【請求項１】
端末へ送信する制御情報の所定領域に端末の送信電力を指示する値を格納する第１状態と、前記端末が同一のデータを連続して送信する回数を指示する値を前記所定領域に格納する第２状態と、を切り替え可能な基地局と、
前記第１状態の前記基地局から受信した制御情報の前記所定領域の値に基づいて送信電力を調整する第３状態と、前記第２状態の前記基地局から受信した制御情報の前記所定領域の値に基づいて、自端末が同一のデータを連続して送信する回数を調整する第４状態と、を切り替え可能な端末と、
を含むことを特徴とする無線通信システム。
【請求項２】
前記端末は、前記第３状態において前記所定領域の値に基づいて前記回数を調整せず、前記第４状態において前記所定領域の値に基づいて前記送信電力を調整しないことを特徴とする請求項１に記載の無線通信システム。
【請求項３】
前記基地局は、前記第１状態において、前記送信電力を指示する値および前記第４状態への切り替えを指示する値の中から選択した値を前記所定領域に格納し、前記第２状態において、前記回数を指示する値および前記第３状態への切り替えを指示する値の中から選択した値を前記所定領域に格納し、
前記基地局が前記第４状態への切り替えを指示する値を前記所定領域に格納した場合に、前記端末が前記第４状態へ移行し、前記基地局が前記第２状態へ移行し、
前記基地局が前記第３状態への切り替えを指示する値を前記所定領域に格納した場合に、前記端末が前記第３状態へ移行し、前記基地局が前記第１状態へ移行する、
ことを特徴とする請求項１または２に記載の無線通信システム。
【請求項４】
前記端末は、前記端末の送信電力に応じた情報を前記基地局へ送信し、
前記基地局は、前記第１状態および前記第２状態のうちの前記端末の送信電力に応じた情報に対応する状態に切り替え、
前記端末は、前記第３状態および前記第４状態のうちの前記端末の送信電力に応じた情報に対応する状態に切り替える、
ことを特徴とする請求項１または２に記載の無線通信システム。
【請求項５】
前記基地局は、前記第１状態において、前記送信電力に応じた情報が所定値になった場合に前記第２状態へ切り替え、
前記端末は、前記第３状態において、前記送信電力に応じた情報が前記所定値になった場合に前記第４状態へ切り替え、
前記基地局は、前記第２状態において、前記回数を指示する値および前記第３状態への切り替えを指示する値の中から選択した値を前記所定領域に格納し、前記選択した値が前記第１状態への切り替えを指示する値である場合に前記第１状態へ切り替え、
前記端末は、前記第４状態において、前記所定領域の値が前記第３状態への切り替えを指示する値である場合に前記第３状態へ切り替える、
ことを特徴とする請求項４に記載の無線通信システム。
【請求項６】
前記端末の送信電力に応じた情報は、前記端末の送信電力と、前記端末の最大送信電力と、の差分を示す情報であることを特徴とする請求項４または５に記載の無線通信システム。
【請求項７】
前記端末は、データの新規送信および再送のうちの前記新規送信についての前記回数を調整することを特徴とする請求項１〜６のいずれか一つに記載の無線通信システム。
【請求項８】
前記基地局は、前記第２状態において、前記回数と、前記端末がデータを送信してから前記データを再送するまでの時間と、の組み合わせを示す値を前記所定領域に格納し、
前記端末は、前記第４状態において、前記所定領域の値に基づいて、前記回数と、自端末がデータを送信してから前記データを再送するまでの時間と、の組み合わせを調整する、
ことを特徴とする請求項１〜６のいずれか一つに記載の無線通信システム。
【請求項９】
前記基地局は、前記第２状態において、前記回数と、前記同一のデータを連続して送信する処理を同一のデータについて行うプロセスの数と、の組み合わせを示す値を前記所定領域に格納し、
前記端末は、前記第４状態において、前記所定領域の値に基づいて、前記回数と、自端末が前記同一のデータを連続して送信する処理を同一のデータについて行うプロセスの数と、の組み合わせを調整する、
ことを特徴とする請求項１〜７のいずれか一つに記載の無線通信システム。
【請求項１０】
前記プロセスはＨＡＲＱ（Ｈｙｂｒｉｄ  Ａｕｔｏｍａｔｉｃ  Ｒｅｐｅａｔ  ｒｅＱｕｅｓｔ）のプロセスであることを特徴とする請求項９に記載の無線通信システム。
【請求項１１】
前記制御情報は、前記端末から前記基地局への無線信号の送信に対して前記基地局が割り当てた無線リソースを示す情報であることを特徴とする請求項１〜１０のいずれか一つに記載の無線通信システム。
【請求項１２】
前記同一のデータを連続して送信する回数は、ＴＴＩ（Ｔｒａｎｓｍｉｓｓｉｏｎ  Ｔｉｍｅ  Ｉｎｔｅｒｖａｌ）バンドリングにおけるＴＴＩバンドルサイズであることを特徴とする請求項１〜１１のいずれか一つに記載の無線通信システム。
【請求項１３】
端末へ制御情報を送信する送信部と、
前記送信部によって送信される前記制御情報の所定領域に前記端末の送信電力を指示する値を格納する第１状態と、前記端末が同一のデータを連続して送信する回数を指示する値を前記所定領域に格納する第２状態と、を切り替え可能な制御部と、
を備えることを特徴とする基地局。
【請求項１４】
端末へ送信する制御情報の所定領域に前記端末の送信電力を指示する値を格納する第１状態と、前記端末が同一のデータを連続して送信する回数を指示する値を前記所定領域に格納する第２状態と、を切り替え可能な基地局から前記制御情報を受信する受信部と、
前記第１状態の前記基地局から前記受信部が受信した制御情報の前記所定領域の値に基づいて送信電力を調整する第３状態と、前記第２状態の前記基地局から前記受信部が受信した制御情報の前記所定領域の値に基づいて、自端末が同一のデータを連続して送信する回数を調整する第４状態と、を切り替え可能な制御部と、
を備えることを特徴とする端末。
【請求項１５】
基地局における処理方法であって、
端末へ制御情報を送信し、
送信する前記制御情報の所定領域に前記端末の送信電力を指示する値を格納する第１状態と、前記端末が同一のデータを連続して送信する回数を指示する値を前記所定領域に格納する第２状態と、を切り替える、
ことを特徴とする処理方法。
【請求項１６】
端末における処理方法であって、
端末へ送信する制御情報の所定領域に前記端末の送信電力を指示する値を格納する第１状態と、前記端末が同一のデータを連続して送信する回数を指示する値を前記所定領域に格納する第２状態と、を切り替え可能な基地局から前記制御情報を受信し、
前記第１状態の前記基地局から受信した制御情報の前記所定領域の値に基づいて送信電力を調整する第３状態と、前記第２状態の前記基地局から受信した制御情報の前記所定領域の値に基づいて、自端末が同一のデータを連続して送信する回数を調整する第４状態と、を切り替える、
ことを特徴とする処理方法。
【請求項１７】
端末へ送信する制御情報の所定領域に端末の送信電力を指示する値を格納する第１状態と、前記端末がデータを送信してから前記データを再送するまでの時間を指示する値を前記所定領域に格納する第２状態と、を切り替え可能な基地局と、
前記第１状態の前記基地局から受信した制御情報の前記所定領域の値に基づいて送信電力を調整する第３状態と、前記第２状態の前記基地局から受信した制御情報の前記所定領域の値に基づいて、自端末がデータを送信してから前記データを再送するまでの時間を調整する第４状態と、を切り替え可能な端末と、
を含むことを特徴とする無線通信システム。
【請求項１８】
端末へ送信する制御情報の所定領域に端末の送信電力を指示する値を格納する第１状態と、前記端末が同一のデータを連続して送信する処理を同一のデータについて行うプロセスの数を指示する値を前記所定領域に格納する第２状態と、を切り替え可能な基地局と、
前記第１状態の前記基地局から受信した制御情報の前記所定領域の値に基づいて送信電力を調整する第３状態と、前記第２状態の前記基地局から受信した制御情報の前記所定領域の値に基づいて、自端末が同一のデータを連続して送信する処理を同一のデータについて行うプロセスの数を調整する第４状態と、を切り替え可能な端末と、
を含むことを特徴とする無線通信システム。
【発明の詳細な説明】
【技術分野】
【０００１】
本発明は、無線通信システム、基地局、端末および処理方法に関する。
【背景技術】
【０００２】
従来、シングルＨＡＲＱ（Ｈｙｂｒｉｄ  Ａｕｔｏｍａｔｉｃ  Ｒｅｐｅａｔ  ｒｅＱｕｅｓｔ：ハイブリッド自動再送要求）プロセスに関連する情報を送信するために複数のＴＴＩ（Ｔｒａｎｓｍｉｓｓｉｏｎ  Ｔｉｍｅ  Ｉｎｔｅｒｖａｌ：送信時間間隔）を使用することが知られている（たとえば、下記特許文献１参照。）。【０００３】
また、複数の上りリンクデータ送信を制御する下りリンク制御情報を検出し、下りリンク制御情報が上りリンクデータ送信の無効を指示している場合には、上りリンクデータ送信を無効とし、上りリンクデータ送信に対応するＨＡＲＱプロセスにＡＣＫをセットすることが知られている（たとえば、下記特許文献２参照。）。【０００４】
また、ＶｏＩＰ（Ｖｏｉｃｅ  ｏｖｅｒ  ＩＰ）到着時間にマップされた送信時間を有するＴＴＩ送信のバンドルを処理し、バンドルされたＴＴＩ送信が、アクノレッジメント無しで処理され、バンドルされたＴＴＩ送信が正しく受信されたことを示すという技術が知られている（たとえば、下記特許文献３参照。）。【０００５】
また、ＬＴＥ（Ｌｏｎｇ  Ｔｅｒｍ  Ｅｖｏｌｕｔｉｏｎ）において、上りリンクでのＴＰＣ（Ｔｒａｎｓｍｉｔ  Ｐｏｗｅｒ  Ｃｏｎｔｒｏｌ：送信電力制御）が検討されている。また、ＬＴＥにおいて、上りリンクで端末が同一のデータを連続して送信するＴＴＩバンドリングが検討されている。
【先行技術文献】
【特許文献】
【０００６】
【特許文献１】特開２０１３−９４０１号公報
【特許文献２】特開２０１２−１６５４７１号公報
【特許文献３】特表２０１３−５２０１４０号公報
【発明の概要】
【発明が解決しようとする課題】
【０００７】
しかしながら、上述した従来技術では、たとえば端末が同一のデータを連続して送信する回数を可変とする場合に、基地局から端末への該回数の通知に伴って制御情報のオーバーヘッドが増加する場合がある。【０００８】
１つの側面では、本発明は、制御情報のオーバーヘッドの増加を抑えることができる無線通信システム、基地局、端末および処理方法を提供することを目的とする。
【課題を解決するための手段】
【０００９】
上述した課題を解決し、目的を達成するため、本発明の一側面によれば、基地局が、端末へ送信する制御情報の所定領域に端末の送信電力を指示する値を格納する第１状態と、前記端末が同一のデータを連続して送信する回数を指示する値を前記所定領域に格納する第２状態と、を切り替え可能であり、端末が、前記第１状態の前記基地局から受信した制御情報の前記所定領域の値に基づいて送信電力を調整する第３状態と、前記第２状態の前記基地局から受信した制御情報の前記所定領域の値に基づいて、同一のデータを連続して送信する回数を調整する第４状態と、を切り替え可能である無線通信システム、基地局、端末および処理方法が提案される。【００１０】
また、本発明の別の側面によれば、基地局が、端末へ送信する制御情報の所定領域に端末の送信電力を指示する値を格納する第１状態と、前記端末がデータを送信してから前記データを再送するまでの時間を指示する値を前記所定領域に格納する第２状態と、を切り替え可能であり、端末が、前記第１状態の前記基地局から受信した制御情報の前記所定領域の値に基づいて送信電力を調整する第３状態と、前記第２状態の前記基地局から受信した制御情報の前記所定領域の値に基づいて、自端末がデータを送信してから前記データを再送するまでの時間を調整する第４状態と、を切り替え可能である無線通信システムと、前記無線通信システムに関する基地局、端末および処理方法が提案される。【００１１】
また、本発明の別の側面によれば、基地局が、端末へ送信する制御情報の所定領域に端末の送信電力を指示する値を格納する第１状態と、前記端末が同一のデータを連続して送信する処理を同一のデータについて行うプロセスの数を指示する値を前記所定領域に格納する第２状態と、を切り替え可能であり、端末が、前記第１状態の前記基地局から受信した制御情報の前記所定領域の値に基づいて送信電力を調整する第３状態と、前記第２状態の前記基地局から受信した制御情報の前記所定領域の値に基づいて、自端末が同一のデータを連続して送信する処理を同一のデータについて行うプロセスの数を調整する第４状態と、を切り替え可能である無線通信システムと、前記無線通信システムに関する基地局、端末および処理方法が提案される。
【発明の効果】
【００１２】
本発明の一側面によれば、制御情報のオーバーヘッドの増加を抑えることができるという効果を奏する。
【図面の簡単な説明】
【００１３】
【図１Ａ】図１Ａは、実施の形態１にかかる無線通信システムの一例を示す図である。
【図１Ｂ】図１Ｂは、図１Ａに示した無線通信システムにおける信号の流れの一例を示す図である。
【図２Ａ】図２Ａは、実施の形態２にかかる無線通信システムの一例を示す図である。
【図２Ｂ】図２Ｂは、ＬＴＥの上りリンクにおけるＴＴＩバンドリングの一例を示す図である。
【図３】図３は、ＴＴＩバンドルサイズの変更の一例を示す図である。
【図４Ａ】図４Ａは、送信電力制御モードにおけるＵＬグラントのビットマップの第１例を示す図である。
【図４Ｂ】図４Ｂは、ＴＴＩバンドルサイズ制御モードにおけるＵＬグラントのビットマップの第１例を示す図である。
【図５Ａ】図５Ａは、送信電力制御モードにおけるＵＬグラントのビットマップの第２例を示す図である。
【図５Ｂ】図５Ｂは、ＴＴＩバンドルサイズ制御モードにおけるＵＬグラントのビットマップの第２例を示す図である。
【図６Ａ】図６Ａは、送信電力制御モードにおける送信電力制御コマンド決定方法の一例を示す図である。
【図６Ｂ】図６Ｂは、ＴＴＩバンドルサイズ制御モードにおける送信電力制御コマンド決定方法の一例を示す図（その１）である。
【図６Ｃ】図６Ｃは、ＴＴＩバンドルサイズ制御モードにおける送信電力制御コマンド決定方法の一例を示す図（その２）である。
【図７】図７は、実施の形態２にかかる無線通信システムの動作の一例を示すシーケンス図である。
【図８Ａ】図８Ａは、実施の形態２にかかるｅＮＢの一例を示す図である。
【図８Ｂ】図８Ｂは、図８Ａに示したｅＮＢにおける信号の流れの一例を示す図である。
【図８Ｃ】図８Ｃは、ｅＮＢのハードウェア構成の一例を示す図である。
【図９Ａ】図９Ａは、実施の形態２にかかるＵＥの一例を示す図である。
【図９Ｂ】図９Ｂは、図９Ａに示したＵＥにおける信号の流れの一例を示す図である。
【図９Ｃ】図９Ｃは、ＵＥのハードウェア構成の一例を示す図である。
【図１０Ａ】図１０Ａは、実施の形態２にかかるｅＮＢによる処理の一例を示すフローチャート（その１）である。
【図１０Ｂ】図１０Ｂは、実施の形態２にかかるｅＮＢによる処理の一例を示すフローチャート（その２）である。
【図１０Ｃ】図１０Ｃは、実施の形態２にかかるｅＮＢによる処理の一例を示すフローチャート（その３）である。
【図１１Ａ】図１１Ａは、実施の形態２にかかるＵＥによる処理の一例を示すフローチャート（その１）である。
【図１１Ｂ】図１１Ｂは、実施の形態２にかかるＵＥによる処理の一例を示すフローチャート（その２）である。
【図１１Ｃ】図１１Ｃは、実施の形態２にかかるＵＥによる処理の一例を示すフローチャート（その３）である。
【図１２Ａ】図１２Ａは、ＴＴＩバンドルサイズの変更の他の例を示す図（その１）である。
【図１２Ｂ】図１２Ｂは、ＴＴＩバンドルサイズの変更の他の例を示す図（その２）である。
【図１３Ａ】図１３Ａは、ＲＴＴの変更の一例を示す図（その１）である。
【図１３Ｂ】図１３Ｂは、ＲＴＴの変更の一例を示す図（その２）である。
【図１３Ｃ】図１３Ｃは、単位時間あたりの送信パケットの総エネルギの一例を示す図である。
【図１４Ａ】図１４Ａは、送信電力制御モードにおけるＵＬグラントのビットマップの第１例を示す図である。
【図１４Ｂ】図１４Ｂは、ＴＴＩバンドルサイズ／ＲＴＴ制御モードにおけるＵＬグラントのビットマップの第１例を示す図である。
【図１５Ａ】図１５Ａは、送信電力制御モードにおけるＵＬグラントのビットマップの第２例を示す図である。
【図１５Ｂ】図１５Ｂは、ＴＴＩバンドルサイズ／ＲＴＴ制御モードにおけるＵＬグラントのビットマップの第２例を示す図である。
【図１６Ａ】図１６Ａは、ＴＴＩバンドルサイズ／ＲＴＴ制御モードにおける送信電力制御コマンド決定方法の一例を示す図（その１）である。
【図１６Ｂ】図１６Ｂは、ＴＴＩバンドルサイズ／ＲＴＴ制御モードにおける送信電力制御コマンド決定方法の一例を示す図（その２）である。
【図１７】図１７は、実施の形態３にかかる無線通信システムの動作の一例を示すシーケンス図である。
【図１８Ａ】図１８Ａは、実施の形態３にかかるｅＮＢの一例を示す図である。
【図１８Ｂ】図１８Ｂは、図１８Ａに示したｅＮＢにおける信号の流れの一例を示す図である。
【図１９Ａ】図１９Ａは、実施の形態３にかかるＵＥの一例を示す図である。
【図１９Ｂ】図１９Ｂは、図１９Ａに示したＵＥにおける信号の流れの一例を示す図である。
【図２０Ａ】図２０Ａは、実施の形態３にかかるｅＮＢによる処理の一例を示すフローチャート（その１）である。
【図２０Ｂ】図２０Ｂは、実施の形態３にかかるｅＮＢによる処理の一例を示すフローチャート（その２）である。
【図２０Ｃ】図２０Ｃは、実施の形態３にかかるｅＮＢによる処理の一例を示すフローチャート（その３）である。
【図２１Ａ】図２１Ａは、実施の形態３にかかるＵＥによる処理の一例を示すフローチャート（その１）である。
【図２１Ｂ】図２１Ｂは、実施の形態３にかかるＵＥによる処理の一例を示すフローチャート（その２）である。
【図２１Ｃ】図２１Ｃは、実施の形態３にかかるＵＥによる処理の一例を示すフローチャート（その３）である。
【図２２】図２２は、ＨＡＲＱプロセス数の変更の一例を示す図である。
【図２３Ａ】図２３Ａは、送信電力制御モードにおけるＵＬグラントのビットマップの第１例を示す図である。
【図２３Ｂ】図２３Ｂは、ＴＴＩバンドルサイズ／ＨＡＲＱプロセス数制御モードにおけるＵＬグラントのビットマップの第１例を示す図である。
【図２４Ａ】図２４Ａは、送信電力制御モードにおけるＵＬグラントのビットマップの第２例を示す図である。
【図２４Ｂ】図２４Ｂは、ＴＴＩバンドルサイズ／ＨＡＲＱプロセス数制御モードにおけるＵＬグラントのビットマップの第２例を示す図である。
【図２５Ａ】図２５Ａは、ＴＴＩバンドルサイズ／ＨＡＲＱプロセス数制御モードにおける送信電力制御コマンド決定方法の一例を示す図（その１）である。
【図２５Ｂ】図２５Ｂは、ＴＴＩバンドルサイズ／ＨＡＲＱプロセス数制御モードにおける送信電力制御コマンド決定方法の一例を示す図（その２）である。
【図２６】図２６は、実施の形態４にかかる無線通信システムの動作の一例を示すシーケンス図である。
【図２７Ａ】図２７Ａは、実施の形態４にかかるｅＮＢの一例を示す図である。
【図２７Ｂ】図２７Ｂは、図２７Ａに示したｅＮＢにおける信号の流れの一例を示す図である。
【図２８Ａ】図２８Ａは、実施の形態４にかかるＵＥの一例を示す図である。
【図２８Ｂ】図２８Ｂは、図２８Ａに示したＵＥにおける信号の流れの一例を示す図である。
【図２９Ａ】図２９Ａは、実施の形態４にかかるｅＮＢによる処理の一例を示すフローチャート（その１）である。
【図２９Ｂ】図２９Ｂは、実施の形態４にかかるｅＮＢによる処理の一例を示すフローチャート（その２）である。
【図２９Ｃ】図２９Ｃは、実施の形態４にかかるｅＮＢによる処理の一例を示すフローチャート（その３）である。
【図３０Ａ】図３０Ａは、実施の形態４にかかるＵＥによる処理の一例を示すフローチャート（その１）である。
【図３０Ｂ】図３０Ｂは、実施の形態４にかかるＵＥによる処理の一例を示すフローチャート（その２）である。
【図３０Ｃ】図３０Ｃは、実施の形態４にかかるＵＥによる処理の一例を示すフローチャート（その３）である。
【発明を実施するための形態】
【００１４】
以下に図面を参照して、本発明にかかる無線通信システム、基地局、端末および処理方法の実施の形態を詳細に説明する。
【００１５】
（実施の形態１）
図１Ａは、実施の形態１にかかる無線通信システムの一例を示す図である。図１Ｂは、図１Ａに示した無線通信システムにおける信号の流れの一例を示す図である。図１Ａ，図１Ｂに示すように、実施の形態１にかかる無線通信システム１００は、基地局１１０と、端末１２０と、を含む。
【００１６】
端末１２０は、基地局１１０へ無線信号を送信する。また、端末１２０は、基地局１１０へ同一のデータを連続して送信することが可能である。同一のデータの連続した送信は、基地局１１０において同一のデータを復調可能な複数の無線信号の送信である。したがって、この複数の無線信号は、互いに同一のデータを復調可能な無線信号であれば、互いに異なる無線信号であってもよい。
【００１７】
基地局１１０は、送信部１１１と、制御部１１２と、を備える。送信部１１１は、端末１２０へ制御情報１３０を送信する。制御情報１３０は、一例としては、端末１２０から基地局１１０への無線信号の送信に対して基地局１１０が割り当てた無線リソースを示す情報である。
【００１８】
制御部１１２は、第１状態と第２状態とを切り替え可能である。第１状態において、制御部１１２は、送信部１１１によって送信される制御情報１３０の所定領域１３１に、端末１２０の送信電力を指示する複数通りの値を格納する。第２状態において、制御部１１２は、制御情報１３０の所定領域１３１に、端末１２０が同一のデータを連続して送信する回数を指示する複数通りの値を格納する。また、制御部１１２が第１状態において所定領域１３１に格納する複数通りの値と、制御部１１２が第２状態において所定領域１３１に格納する複数通りの値と、の間には重複する値が含まれる。
【００１９】
端末１２０は、受信部１２１と、制御部１２２と、を備える。受信部１２１は、基地局１１０から送信された制御情報１３０を受信する。そして、受信部１２１は、受信した制御情報１３０を制御部１２２へ出力する。
【００２０】
制御部１２２は、第３状態と第４状態とを切り替え可能である。制御部１２２は、たとえば、基地局１１０の制御部１１２が第１状態である場合は第３状態となり、基地局１１０の制御部１１２が第２状態である場合は第４状態となる。
【００２１】
第３状態において、制御部１２２は、第１状態の基地局１１０から受信部１２１が受信した制御情報１３０の所定領域１３１の値に基づいて、自端末から基地局１１０への無線信号の送信電力を調整する。このとき、制御部１２２は、所定領域１３１の値に基づく、基地局１１０へ同一のデータを連続して送信する回数の調整は行わない。
【００２２】
第４状態において、制御部１２２は、第２状態の基地局１１０から受信部１２１が受信した制御情報１３０の所定領域１３１の値に基づいて、自端末が基地局１１０へ同一のデータを連続して送信する回数を調整する。このとき、制御部１２２は、所定領域１３１の値に基づく、基地局１１０への無線信号の送信電力の調整は行わない。
【００２３】
このように、実施の形態１によれば、端末１２０の送信電力制御に用いられる制御情報１３０の所定領域１３１を用いて、端末１２０が同一のデータを連続して送信する回数を通知することができる。これにより、該回数を可変としつつ、基地局１１０から端末１２０への該回数の通知に伴う制御情報（たとえば制御情報１３０）のオーバーヘッドの増加を抑えることができる。
【００２４】
＜状態の切り替え方法の第１例＞
たとえば、基地局１１０は、第１状態において、送信電力を指示する値および第４状態への切り替えを指示する値の中から選択した値を所定領域１３１に格納する。また、基地局１１０は、第２状態において、端末１２０が同一のデータを連続して送信する回数を指示する値および第３状態への切り替えを指示する値の中から選択した値を所定領域１３１に格納する。そして、基地局１１０は、第１状態および第２状態のうちの所定領域１３１に格納した値に対応する状態に切り替える。また、端末１２０は、第３状態および第４状態のうちの所定領域の値に対応する状態に切り替える。
【００２５】
たとえば、基地局１１０が第４状態への切り替えを指示する値を所定領域１３１に格納した場合に、端末１２０が第４状態へ移行し、基地局１１０が第２状態へ移行する。また、基地局１１０が第３状態への切り替えを指示する値を所定領域１３１に格納した場合に、端末１２０が第３状態へ移行し、基地局１１０が第１状態へ移行する。
【００２６】
このように、所定領域１３１に格納され得る値のうちの一部の値を、状態の切り替えを指示する値とすることができる。これにより、基地局１１０が第１状態である場合は端末１２０が第３状態となり、基地局１１０が第２状態である場合は端末１２０が第４状態となるように制御することが可能になる。
【００２７】
＜状態の切り替え方法の第２例＞
また、端末１２０が、端末１２０の送信電力に応じた情報を基地局１１０へ送信するようにしてもよい。そして、基地局１１０が、第１状態および第２状態のうちの、端末１２０から受信した、端末１２０の送信電力に応じた情報に対応する状態に切り替えるようにしてもよい。この場合に、端末１２０は、第３状態および第４状態のうちの、基地局１１０へ送信した、端末１２０の送信電力に応じた情報に対応する状態に切り替える。
【００２８】
このように、端末１２０が基地局１１０へ送信する、端末１２０の送信電力に応じた情報を状態の切り替えに用いることができる。これにより、基地局１１０が第１状態である場合は端末１２０が第３状態となり、基地局１１０が第２状態である場合は端末１２０が第４状態となるように制御することが可能になる。また、所定領域１３１において各パラメータの指示に利用可能な値が多くなるため、より柔軟な制御が可能になる。端末１２０の送信電力に応じた情報は、一例としては、端末１２０の送信電力と、端末１２０の最大送信電力と、の差分を示す情報とすることができる。
【００２９】
＜上りの通信品質に基づく値の選択＞
基地局１１０の制御部１１２は、たとえば、端末１２０から基地局１１０への無線通信の品質に基づいて、所定領域１３１に格納する値を選択する。無線通信の品質には、一例としては、端末１２０からの無線信号の基地局１１０におけるＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）を用いることができる。
【００３０】
＜変形例１＞
また、端末１２０が同一のデータを連続して送信する回数に代えて、端末１２０が基地局１１０へデータを送信してから該データを再送するまでの時間を、制御情報１３０の所定領域１３１を用いて制御してもよい。これにより、該時間を可変としつつ、基地局１１０から端末１２０への該時間の通知に伴う制御情報（たとえば制御情報１３０）のオーバーヘッドの増加を抑えることができる。
【００３１】
＜変形例２＞
また、端末１２０が同一のデータを連続して送信する回数に代えて、端末１２０が同一のデータを連続して送信する処理を同一のデータについて行うプロセスの数を、制御情報１３０の所定領域１３１を用いて制御してもよい。これにより、該プロセスの数を可変としつつ、基地局１１０から端末１２０への該プロセスの数の通知に伴う制御情報（たとえば制御情報１３０）のオーバーヘッドの増加を抑えることができる。
【００３２】
（実施の形態２）
（実施の形態２にかかる無線通信システム）
図２Ａは、実施の形態２にかかる無線通信システムの一例を示す図である。図２Ａに示すように、実施の形態２にかかる無線通信システム２００は、ｅＮＢ２１０と、ＵＥ２２０と、を含むセルラ通信システムである。ｅＮＢ２１０およびＵＥ２２０は、たとえばＬＴＥによる無線通信が可能である。セル２１１は、ｅＮＢ２１０との間で無線通信が可能な領域である。ＵＥ２２０は、セル２１１に位置しており、ｅＮＢ２１０との間で無線通信が可能なＵＥ（Ｕｓｅｒ  Ｅｑｕｉｐｍｅｎｔ：ユーザ端末）である。
【００３３】
図１Ａ，図１Ｂに示した無線通信システム１００は、たとえば図２Ａに示す無線通信システム２００によって実現することができる。図１Ａ，図１Ｂに示した基地局１１０は、たとえば図２Ａに示すｅＮＢ２１０によって実現することができる。図１Ａ，図１Ｂに示した端末１２０は、たとえば図２Ａに示すＵＥ２２０によって実現することができる。
【００３４】
（ＬＴＥの上りリンクにおけるＴＴＩバンドリング）
図２Ｂは、ＬＴＥの上りリンクにおけるＴＴＩバンドリングの一例を示す図である。図２Ｂにおいて、横軸は時間（サブフレーム）を示している。
【００３５】
ＵＬグラント２４１（Ｕｐ  Ｌｉｎｋ  ｇｒａｎｔ）は、ｅＮＢ２１０からＵＥ２２０へ送信されるスケジューリング情報であって、ＵＥ２２０の上り通信に対してｅＮＢ２１０が割り当てた無線リソースを示す情報である。
【００３６】
ＵＥ２２０は、ＵＬグラント２４１を受信したサブフレーム２３０から４［ｍｓ］後のサブフレーム２３１〜２３４（４個のＴＴＩ）において、同一のデータを示すパケットを連続して４回送信するＴＴＩバンドリングを行う。サブフレーム２３１〜２３４において送信される４個のパケットは、たとえばＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）によって送信される（ＰＵＳＣＨ  ｃｏｄｉｎｇ）。
【００３７】
また、サブフレーム２３１〜２３４において送信される４個のパケットは、受信側で同一のデータを復号可能なパケットであれば、互いに異なるパケットであってもよい。たとえば、サブフレーム２３１〜２３４において送信される４個のパケットは、ＨＡＲＱのＲＶ（Ｒｅｄｕｎｄａｎｃｙ  Ｖｅｒｓｉｏｎ：反復バージョン）のように、それぞれ特徴が異なる各パケットとしてもよい（ＲＶ＝０，２，３，１）。この特徴は、一例としてはデータブロックの伝送開始位置とすることができる。
【００３８】
応答信号２４２は、サブフレーム２３４から４［ｍｓ］後のサブフレーム２３５においてｅＮＢ２１０からＵＥ２２０へ送信される、サブフレーム２３１〜２３４で送信されたパケットに対する応答信号である。図２Ｂに示す例では、応答信号２４２は、サブフレーム２３１〜２３４で送信されたパケットが示すデータを正常に受信（復号）できなかったことを示すＮＡＣＫ（否定信号）である。
【００３９】
ＵＥ２２０は、応答信号２４２（ＮＡＣＫ）を受信したため、サブフレーム２３１からＲＴＴ２４３が経過したサブフレーム２３６〜２３９において、サブフレーム２３１〜２３４と同一のデータを示すパケットを連続して４回送信するＴＴＩバンドリングを行う。ＲＴＴ２４３は、ＵＥ２２０がデータを送信してから該データを再送するまでの時間である。ＲＴＴ２４３は、図２Ｂに示す例では１６［ｍｓ］のＲＴＴ（Ｒｏｕｎｄ  Ｔｒｉｐ  Ｔｉｍｅ：ラウンドトリップタイム）である。
【００４０】
（ＴＴＩバンドルサイズの変更）
図３は、ＴＴＩバンドルサイズの変更の一例を示す図である。図３において、横軸は時間（サブフレーム）を示す。図３に示す新規送信３０１において、ＵＥ２２０は、同一の新規データを示すパケットを８回（８サブフレーム）連続してｅＮＢ２１０へ送信するＴＴＩバンドリング（ＴＴＩバンドルサイズ＝８ＴＴＩ）を行っている。また、新規送信３０１の次の新規送信３０２において、ＵＥ２２０は、同一の新規データを示すパケットを４回（４サブフレーム）連続してｅＮＢ２１０へ送信するＴＴＩバンドリング（ＴＴＩバンドルサイズ＝４ＴＴＩ）を行っている。
【００４１】
また、新規送信３０２の次の新規送信３０３において、ＵＥ２２０は、同一の新規データを示すパケットを２回（２サブフレーム）連続してｅＮＢ２１０へ送信するＴＴＩバンドリング（ＴＴＩバンドルサイズ＝２ＴＴＩ）を行っている。また、新規送信３０３の次の新規送信３０４において、ＵＥ２２０は、新規データを示すパケットを１回（１サブフレーム）ｅＮＢ２１０へ送信するＴＴＩバンドリング（ＴＴＩバンドルサイズ＝１ＴＴＩ）を行っている。新規送信３０４は、ＴＴＩバンドルサイズが１であるため、実質的にＴＴＩバンドリングが無効である状態と同様である。
【００４２】
後述のＬＴＥのＡｌｔ．６．３においては、図３に示すように、ＴＴＩバンドリングのＴＴＩバンドルサイズを可変にすることが検討されている。このために、ｅＮＢ２１０は、制御信号を用いてＵＥ２２０にＴＴＩバンドルサイズを通知する。この際に、ｅＮＢ２１０は、たとえばＵＬグラントに格納するＴＰＣコマンドを用いてＵＥ２２０にＴＴＩバンドルサイズを通知する。ＴＰＣコマンドは、ＵＥ２２０の送信電力を制御するために設定される制御信号の領域（たとえば２［ｂｉｔ］）である。ＵＥ２２０は、ｅＮＢ２１０から受信したＵＬグラントに格納されたＴＰＣコマンドに基づいてＴＴＩバンドルサイズを調整する。
【００４３】
たとえば上位レイヤの制御によってｅＮＢ２１０とＵＥ２２０との間のＴＴＩバンドリングが有効化された場合に、ｅＮＢ２１０およびＵＥ２２０は、送信電力制御モードと、ＴＴＩバンドルサイズ制御モードと、に切り替え可能な状態となる。
【００４４】
たとえば、送信電力制御モードにおいては、ＵＥ２２０は、ＵＥ２２０のＴＴＩバンドルサイズを１（最小値）に固定する。そして、ｅＮＢ２１０は、ＴＰＣコマンドを用いてＵＥ２２０に送信電力を通知する。また、ＵＥ２２０は、ＴＰＣコマンドに基づいてＵＥ２２０の送信電力を調整する。
【００４５】
一方、ＴＴＩバンドルサイズ制御モードにおいては、ＵＥ２２０は、ＵＥ２２０の送信電力を最大値に固定する。そして、ｅＮＢ２１０は、ＴＰＣコマンドを用いてＵＥ２２０にＴＴＩバンドルサイズを通知する。また、ＵＥ２２０は、ＴＰＣコマンドに基づいてＵＥ２２０のＴＴＩバンドルサイズを調整する。
【００４６】
このように、ＴＴＩバンドルサイズを固定する送信電力制御モードと、送信電力を固定するＴＴＩバンドルサイズ制御モードと、を切り替えることにより、送信電力を制御するためのＴＰＣコマンドを用いてＴＴＩバンドルサイズの制御も行うことができる。これにより、ＵＥ２２０のＴＴＩバンドルサイズを可変とする場合の制御情報のオーバーヘッドの増加を抑えることができる。このため、無線チャネルの変動に追従してＴＴＩバンドルサイズを制御可能にしつつ、制御情報のオーバーヘッドの増加を抑えることができる。
【００４７】
（ＵＬグラントのビットマップの第１例）
図４Ａは、送信電力制御モードにおけるＵＬグラントのビットマップの第１例を示す図である。図４Ａに示すテーブル４１０は、送信電力制御モードにおける、ＴＰＣコマンドと、ＴＰＣコマンドによる通知内容と、の対応関係を示す。
【００４８】
たとえば、送信電力制御モードにおけるＴＰＣコマンド＝“００”は、ＴＴＩバンドルサイズ制御モードに移行することを示す。また、送信電力制御モードにおけるＴＰＣコマンド＝“０１”は、ＴＴＩバンドルサイズを１に維持し、送信電力増分を−１［ｄＢ］とすることを示す。
【００４９】
また、送信電力制御モードにおけるＴＰＣコマンド＝“１０”は、ＴＴＩバンドルサイズを１に維持し、送信電力増分を０［ｄＢ］（変化なし）とすることを示す。また、送信電力制御モードにおけるＴＰＣコマンド＝“１１”は、ＴＴＩバンドルサイズを１に維持し、送信電力増分を１［ｄＢ］とすることを示す。
【００５０】
図４Ｂは、ＴＴＩバンドルサイズ制御モードにおけるＵＬグラントのビットマップの第１例を示す図である。図４Ｂに示すテーブル４２０は、ＴＴＩバンドルサイズ制御モードにおける、ＴＰＣコマンドと、ＴＰＣコマンドによる通知内容と、の対応関係を示す。
【００５１】
たとえば、ＴＴＩバンドルサイズ制御モードにおけるＴＰＣコマンド＝“００”は、ＴＴＩバンドルサイズを１とし、送信電力制御モードに移行することを示す。また、ＴＴＩバンドルサイズ制御モードにおけるＴＰＣコマンド＝“０１”は、ＴＴＩバンドルサイズを２とすることを示す。
【００５２】
また、ＴＴＩバンドルサイズ制御モードにおけるＴＰＣコマンド＝“１０”は、ＴＴＩバンドルサイズを４とすることを示す。また、ＴＴＩバンドルサイズ制御モードにおけるＴＰＣコマンド＝“１１”は、ＴＴＩバンドルサイズを８とすることを示す。
【００５３】
（ＵＬグラントのビットマップの第２例）
図５Ａは、送信電力制御モードにおけるＵＬグラントのビットマップの第２例を示す図である。図５Ａに示すテーブル５１０は、送信電力制御モードにおける、ＴＰＣコマンドと、ＴＰＣコマンドによる通知内容と、の対応関係を示す。
【００５４】
たとえば、送信電力制御モードにおけるＴＰＣコマンド＝“００”は、ＴＴＩバンドルサイズを１に維持し、送信電力増分を−１［ｄＢ］とすることを示す。また、送信電力制御モードにおけるＴＰＣコマンド＝“０１”は、ＴＴＩバンドルサイズを１に維持し、送信電力増分を０［ｄＢ］とすることを示す。
【００５５】
また、送信電力制御モードにおけるＴＰＣコマンド＝“１０”は、ＴＴＩバンドルサイズを１に維持し、送信電力増分を１［ｄＢ］とすることを示す。また、送信電力制御モードにおけるＴＰＣコマンド＝“１１”は、ＴＴＩバンドルサイズを１に維持し、送信電力増分を３［ｄＢ］とすることを示す。
【００５６】
このように、ＴＴＩバンドルサイズ制御モードへの移行をＴＰＣコマンドによって明示的に通知しなくてもよい。この場合は、ｅＮＢ２１０およびＵＥ２２０は、たとえばＰＨＲ（Ｐｏｗｅｒ  Ｈｅａｄｒｏｏｍ  Ｒｅｐｏｒｔｉｎｇ：送信電力余裕量報告）に基づいて、ＴＴＩバンドルサイズ制御モードへの移行を判断することができる。これにより、ＴＰＣコマンドによって指示可能な送信電力増分の種類が増えるため、より柔軟なＵＥ２２０の送信電力の制御が可能になる。
【００５７】
ＰＨＲは、ＵＥ２２０の送信電力の状態を示す情報であって、たとえば、ＵＥ２２０の最大送信電力と、ｅＮＢ２１０による所望の送信電力と、の差分を示す。また、ＰＨＲは、ＭＡＣコントロールエレメントとして、ＵＥ２２０からｅＮＢ２１０への上りデータ信号に付随して送信される。
【００５８】
ＰＨＲは、たとえばＵＥ２２０の送信電力が最大値に達する場合は０以下の値（所定値）となる。したがって、ｅＮＢ２１０は、ＵＥ２２０から受信したＰＨＲが０以下である場合にＴＴＩバンドルサイズ制御モードへ移行する。また、ＵＥ２２０は、ｅＮＢ２１０へ送信するＰＨＲが０以下である場合にＴＴＩバンドルサイズ制御モードへ移行する。これにより、送信電力制御モードにおいて、ＵＥ２２０の送信電力が最大値に達する場合にＴＴＩバンドルサイズ制御モードへ移行することができる。
【００５９】
図５Ｂは、ＴＴＩバンドルサイズ制御モードにおけるＵＬグラントのビットマップの第２例を示す図である。図５Ｂに示すテーブル５２０は、ＴＴＩバンドルサイズ制御モード、すなわちＵＥ２２０の送信電力が最大値に達している場合（最大送信電力時）における、ＴＰＣコマンドと、ＴＰＣコマンドによる通知内容と、の対応関係を示す。図５Ｂに示すテーブル５２０は、たとえば図４Ｂに示したテーブル４２０と同様にすることができる。以下、実施の形態２について、図５Ａ，図５Ｂに示したＵＬグラントのビットマップ（第２例）を用いる場合について説明する。
【００６０】
（送信電力制御コマンド決定方法）
図６Ａは、送信電力制御モードにおける送信電力制御コマンド決定方法の一例を示す図である。図６Ａに示すテーブル６１０は、送信電力制御モードにおける、受信ＳＩＮＲの測定値の目標値との差分Ｄｉｆｆに関する条件と、ｅＮＢ２１０が選択するＴＰＣコマンドと、の対応関係を示す。差分Ｄｉｆｆは、ｅＮＢ２１０におけるＵＥ２２０からの受信品質である受信ＳＩＮＲの測定値から所定の目標値を減じた値である。
【００６１】
たとえば、ｅＮＢ２１０は、Ｄｉｆｆ＞０．５［ｄＢ］である場合は、送信電力増分＝−１［ｄＢ］を示すＴＰＣコマンド＝“００”を選択する。また、ｅＮＢ２１０は、０．５［ｄＢ］≧Ｄｉｆｆ＞−０．５［ｄＢ］である場合は、送信電力増分＝０［ｄＢ］を示すＴＰＣコマンド＝“０１”を選択する。また、ｅＮＢ２１０は、−０．５［ｄＢ］≧Ｄｉｆｆ＞−１．５ｄＢ［ｄＢ］である場合は、送信電力増分＝１［ｄＢ］を示すＴＰＣコマンド＝“１０”を選択する。また、ｅＮＢ２１０は、−１．５［ｄＢ］≧Ｄｉｆｆである場合は、送信電力増分＝３［ｄＢ］を示すＴＰＣコマンド＝“１１”を選択する。
【００６２】
図６Ｂおよび図６Ｃは、ＴＴＩバンドルサイズ制御モードにおける送信電力制御コマンド決定方法の一例を示す図である。図６Ｂに示すテーブル６２０は、ＴＴＩバンドルサイズ制御モードにおける、受信ＳＩＮＲの測定値の目標値との差分Ｄｉｆｆに関する条件と、ｅＮＢ２１０が選択するＴＴＩバンドルサイズの調整量と、の対応関係を示す。
【００６３】
たとえば、ｅＮＢ２１０は、Ｄｉｆｆ＞７．５［ｄＢ］である場合は、ＴＴＩバンドルサイズの調整量として１／８倍を選択する。また、ｅＮＢ２１０は、７．５［ｄＢ］≧Ｄｉｆｆ＞４．５［ｄＢ］である場合は、ＴＴＩバンドルサイズの調整量として１／４倍を選択する。また、ｅＮＢ２１０は、４．５［ｄＢ］≧Ｄｉｆｆ＞１．５［ｄＢ］である場合は、ＴＴＩバンドルサイズの調整量として１／２倍を選択する。
【００６４】
また、ｅＮＢ２１０は、１．５［ｄＢ］≧Ｄｉｆｆ＞−１．５［ｄＢ］である場合は、ＴＴＩバンドルサイズの調整量として１倍（変化なし）を選択する。また、ｅＮＢ２１０は、−１．５［ｄＢ］≧Ｄｉｆｆ＞−４．５［ｄＢ］である場合は、ＴＴＩバンドルサイズの調整量として２倍を選択する。また、ｅＮＢ２１０は、−４．５［ｄＢ］≧Ｄｉｆｆ＞−７．５［ｄＢ］である場合は、ＴＴＩバンドルサイズの調整量として４倍を選択する。また、ｅＮＢ２１０は、−７．５［ｄＢ］≧Ｄｉｆｆである場合は、ＴＴＩバンドルサイズの調整量として８倍を選択する。
【００６５】
図６Ｃに示すテーブル６３０は、ＴＴＩバンドルサイズ制御モードにおける、選択したＴＴＩバンドルサイズの調整量に基づくＴＴＩバンドルサイズの調整結果と、ｅＮＢ２１０が選択するＴＰＣコマンドと、の対応関係を示す。たとえば、ｅＮＢ２１０は、調整結果≦１である場合は、ＴＴＩバンドルサイズ＝１、かつ送信電力制御モードへの移行を示すＴＰＣコマンド＝“００”を選択する。
【００６６】
また、ｅＮＢ２１０は、調整結果＝２である場合は、ＴＴＩバンドルサイズ＝２を示すＴＰＣコマンド＝“０１”を選択する。また、ｅＮＢ２１０は、調整結果＝４である場合は、ＴＴＩバンドルサイズ＝４を示すＴＰＣコマンド＝“１０”を選択する。また、ｅＮＢ２１０は、調整結果≧８である場合は、ＴＴＩバンドルサイズ＝８を示すＴＰＣコマンド＝“１１”を選択する。
【００６７】
（実施の形態２にかかる無線通信システムの動作）
図７は、実施の形態２にかかる無線通信システムの動作の一例を示すシーケンス図である。実施の形態２にかかる無線通信システム２００においては、たとえば以下の各ステップが行われる。
【００６８】
まず、ｅＮＢ２１０が、ＵＥ２２０との間のＴＴＩバンドリングを有効化する（ステップＳ７０１）。つぎに、ｅＮＢ２１０が、ＴＴＩバンドリングを有効にすることを指示する上位レイヤ制御信号（ＴＴＩバンドリング＝ＴＲＵＥ）をＵＥ２２０へ送信する（ステップＳ７０２）。
【００６９】
つぎに、ＵＥ２２０が、ｅＮＢ２１０との間のＴＴＩバンドリングを有効化する（ステップＳ７０３）。図７に示す例では、ＴＴＩバンドリングを有効化したｅＮＢ２１０およびＵＥ２２０は、初期モードとしてＴＴＩバンドルサイズ制御モードになるとする。
【００７０】
つぎに、ＵＥ２２０が、ｅＮＢ２１０へサウンディングＲＳ（Ｒｅｆｅｒｅｎｃｅ  Ｓｉｇｎａｌ：参照信号）を送信する（ステップＳ７０４）。つぎに、ｅＮＢ２１０が、ステップＳ７０４によって送信されたサウンディングＲＳに基づく受信品質を測定する（ステップＳ７０５）。受信品質は、たとえば受信ＳＩＮＲである。図７に示す例では、ｅＮＢ２１０は、ステップＳ７０５によって測定した受信品質に基づいて、ＵＥ２２０のＴＴＩバンドルサイズを１ＴＴＩに変更させることを決定したとする。
【００７１】
つぎに、ｅＮＢ２１０が、ステップＳ７０５によって測定した受信品質に基づくＵＬグラントをＵＥ２２０へ送信する（ステップＳ７０６）。ステップＳ７０６のＵＬグラントには、ＴＰＣコマンド＝“００”が含まれる。すなわち、ステップＳ７０６のＵＬグラントは、ＴＴＩバンドルサイズを１ＴＴＩに設定し、送信電力制御モードに移行することを指示するＴＰＣコマンドを含む（たとえば図５Ｂ参照）。
【００７２】
つぎに、ＵＥ２２０が、ステップＳ７０６によって送信されたＵＬグラントに含まれるＴＰＣコマンドに基づいて、ＵＥ２２０のＴＴＩバンドルサイズを１ＴＴＩに調整する（ステップＳ７０７）。つぎに、ＵＥ２２０が、ステップＳ７０６によって送信されたＵＬグラントによって指示された無線リソースにより、ＰＵＳＣＨおよびＰＨＲを送信する（ステップＳ７０８）。ステップＳ７０８におけるＰＵＳＣＨの送信は、ＰＵＳＣＨを１回だけ送信するＴＴＩバンドリングにより行われる。
【００７３】
また、ステップＳ７０６により、ｅＮＢ２１０およびＵＥ２２０は送信電力制御モードに移行する。
【００７４】
つぎに、ＵＥ２２０が、ｅＮＢ２１０へサウンディングＲＳを送信する（ステップＳ７０９）。つぎに、ｅＮＢ２１０が、ステップＳ７０９によって送信されたサウンディングＲＳに基づく受信品質を測定する（ステップＳ７１０）。図７に示す例では、ｅＮＢ２１０は、ステップＳ７１０によって測定した受信品質に基づいて、ＵＥ２２０の送信電力を３［ｄＢ］増加させることを決定したとする。
【００７５】
つぎに、ｅＮＢ２１０が、ステップＳ７１０によって測定した受信品質に基づくＵＬグラントをＵＥ２２０へ送信する（ステップＳ７１１）。ステップＳ７１１のＵＬグラントには、ＴＰＣコマンド＝“１１”が含まれる。すなわち、ステップＳ７１１のＵＬグラントは、送信電力を３［ｄＢ］増加させることを指示するＴＰＣコマンドを含む（たとえば図５Ａ参照）。
【００７６】
つぎに、ＵＥ２２０が、ステップＳ７１１によって送信されたＵＬグラントに含まれるＴＰＣコマンドに基づいて送信電力を３［ｄＢ］増加させるように調整する（ステップＳ７１２）。ステップＳ７１２によって、ＵＥ２２０の送信電力が最大送信電力に到達したとする。したがって、ＵＥ２２０のＰＨＲは０以下となる。
【００７７】
つぎに、ＵＥ２２０が、ステップＳ７１１によって送信されたＵＬグラントによって指示された無線リソースにより、ＰＵＳＣＨおよびＰＨＲを送信する（ステップＳ７１３）。ステップＳ７１３におけるＰＵＳＣＨの送信は、ＰＵＳＣＨを１回だけ送信するＴＴＩバンドリングにより行われる。
【００７８】
ＵＥ２２０のＰＨＲが０［ｄＢ］以下になったことにより、ｅＮＢ２１０およびＵＥ２２０はＴＴＩバンドルサイズ制御モードへ移行する。
【００７９】
つぎに、ＵＥ２２０が、ｅＮＢ２１０へサウンディングＲＳを送信する（ステップＳ７１４）。つぎに、ｅＮＢ２１０が、ステップＳ７１４によって送信されたサウンディングＲＳに基づく受信品質を測定する（ステップＳ７１５）。図７に示す例では、ｅＮＢ２１０は、ステップＳ７１４によって測定した受信品質に基づいて、ＵＥ２２０のＴＴＩバンドルサイズを２ＴＴＩに変更することを決定したとする。
【００８０】
つぎに、ｅＮＢ２１０が、ステップＳ７１５によって測定した受信品質に基づくＵＬグラントをＵＥ２２０へ送信する（ステップＳ７１６）。ステップＳ７１６のＵＬグラントには、ＴＰＣコマンド＝“０１”が含まれる。すなわち、ステップＳ７１６のＵＬグラントは、ＴＴＩバンドルサイズを２ＴＴＩに設定することを指示するＴＰＣコマンドを含む（たとえば図５Ｂ参照）。
【００８１】
つぎに、ＵＥ２２０が、ステップＳ７１６によって送信されたＵＬグラントに含まれるＴＰＣコマンドに基づいて、ＴＴＩバンドルサイズを２ＴＴＩに調整する（ステップＳ７１７）。つぎに、ＵＥ２２０が、ステップＳ７１６によって送信されたＵＬグラントによって指示された無線リソースにより、ＰＵＳＣＨおよびＰＨＲを送信する（ステップＳ７１８）。ステップＳ７１８におけるＰＵＳＣＨの送信は、同一データを示すＰＵＳＣＨを２回だけ連続して送信するＴＴＩバンドリングにより行われる。
【００８２】
なお、ステップＳ７０４，Ｓ７０９，Ｓ７１４によるサウンディングＲＳの送信は、たとえばＵＥ２２０による周期的なサウンディングＲＳの送信であってもよい。
【００８３】
（実施の形態２にかかるｅＮＢ）
図８Ａは、実施の形態２にかかるｅＮＢの一例を示す図である。図８Ｂは、図８Ａに示したｅＮＢにおける信号の流れの一例を示す図である。図８Ａ，図８Ｂに示すように、実施の形態２にかかるｅＮＢ２１０は、受信アンテナ８０１と、受信ＲＦ部８０２と、ＰＵＳＣＨ復調部８０３と、受信ＳＩＮＲ推定部８０４と、を備える。
【００８４】
また、ｅＮＢ２１０は、送信電力制御コマンド生成部８０５と、ＴＴＩバンドリングコマンド生成部８０６と、ＰＵＳＣＨスケジューラ８０７と、ＵＬグラント生成部８０８と、長区間受信品質判定部８０９と、ＰＤＳＣＨ生成部８１０と、を備える。また、ｅＮＢ２１０は、物理チャネル多重部８１１と、送信ＲＦ部８１２と、送信アンテナ８１３と、モード切替制御部８１４と、を備える。
【００８５】
受信アンテナ８０１は、ＵＥ２２０から無線送信された上り信号（上り受信信号）を受信し、受信した信号を受信ＲＦ部８０２へ出力する。受信ＲＦ部８０２は、受信アンテナ８０１から出力された信号の受信ＲＦ処理を行う。受信ＲＦ処理には、たとえばＲＦ（Ｒａｄｉｏ  Ｆｒｅｑｕｅｎｃｙ：高周波）帯からベースバンド帯への周波数変換が含まれる。受信ＲＦ部８０２は、受信ＲＦ処理によって得られた信号をＰＵＳＣＨ復調部８０３および受信ＳＩＮＲ推定部８０４へ出力する。
【００８６】
ＰＵＳＣＨ復調部８０３は、受信ＲＦ部８０２から出力された信号に含まれるＰＵＳＣＨおよびＰＨＲを復調する。そして、ＰＵＳＣＨ復調部８０３は、復調したＰＨＲをモード切替制御部８１４へ出力する。
【００８７】
受信ＳＩＮＲ推定部８０４は、受信ＲＦ部８０２から出力された信号に含まれる参照信号（たとえばＵＥ２２０からのサウンディングＲＳ）に基づく受信ＳＩＮＲを推定する。そして、受信ＳＩＮＲ推定部８０４は、推定した受信ＳＩＮＲを送信電力制御コマンド生成部８０５およびＴＴＩバンドリングコマンド生成部８０６、長区間受信品質判定部８０９およびモード切替制御部８１４へ出力する。
【００８８】
送信電力制御コマンド生成部８０５は、モード切替制御部８１４からの切替結果に基づいて、送信電力制御モード時に、受信ＳＩＮＲ推定部８０４から出力された受信ＳＩＮＲに基づくＵＥ２２０への送信電力制御コマンドを生成する。送信電力制御コマンドは、送信電力を指示する情報である。送信電力制御コマンド生成部８０５は、生成した送信電力制御コマンドをＵＬグラント生成部８０８へ出力する。
【００８９】
ＴＴＩバンドリングコマンド生成部８０６は、モード切替制御部８１４からの切替結果に基づいて、ＴＴＩバンドルサイズ制御モード時に、受信ＳＩＮＲ推定部８０４から出力された受信ＳＩＮＲに基づくＵＥ２２０へのＴＴＩバンドリングコマンドを生成する。ＴＴＩバンドリングコマンドは、ＴＴＩバンドルサイズを指示する情報である。ＴＴＩバンドリングコマンド生成部８０６は、生成したＴＴＩバンドリングコマンドをＰＵＳＣＨスケジューラ８０７およびＵＬグラント生成部８０８へ出力する。
【００９０】
ＰＵＳＣＨスケジューラ８０７は、ＴＴＩバンドリングコマンド生成部８０６から出力されたＴＴＩバンドリングコマンドに基づいて、ＵＥ２２０のＰＵＳＣＨのスケジューリングを行う。たとえば、ＰＵＳＣＨスケジューラ８０７は、ＴＴＩバンドリングコマンドが示すＴＴＩバンドルサイズに対応する連続したサブフレームをＵＥ２２０に割り当てるスケジューリングを行う。そして、ＰＵＳＣＨスケジューラ８０７は、ＰＵＳＣＨのスケジューリング結果をＵＬグラント生成部８０８へ出力する。
【００９１】
ＵＬグラント生成部８０８は、ＰＵＳＣＨスケジューラ８０７から出力されたＰＵＳＣＨのスケジューリング結果を示すＵＬグラントを生成する。ＵＬグラントは、ＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）としてＵＥ２２０へ送信される下りの制御情報である。
【００９２】
また、ＵＬグラント生成部８０８は、送信電力制御コマンド生成部８０５から出力された送信電力制御コマンドまたはＴＴＩバンドリングコマンド生成部８０６から出力されたＴＴＩバンドリングコマンドを、ＵＬグラントにＴＰＣコマンドとして格納する。そして、ＵＬグラント生成部８０８は、ＴＰＣコマンドを格納したＵＬグラントを物理チャネル多重部８１１へ出力する。
【００９３】
長区間受信品質判定部８０９は、受信ＳＩＮＲ推定部８０４から出力される受信ＳＩＮＲの時間平均を算出し、算出結果を閾値と比較することにより、ＵＥ２２０の長区間の受信品質を判定する。時間平均にはたとえば移動平均を用いることができる。長区間受信品質判定部８０９は、長区間の受信品質の判定結果に基づく、ＴＴＩバンドリングの有効／無効を示す上位レイヤ制御信号をＰＤＳＣＨ生成部８１０およびモード切替制御部８１４へ出力する。上位レイヤ制御信号は、たとえばＲＬＣ（Ｒａｄｉｏ  Ｌｉｎｋ  Ｃｏｎｔｒｏｌ：無線リンク制御）層の制御信号である。
【００９４】
ＰＤＳＣＨ生成部８１０は、長区間受信品質判定部８０９から出力された上位レイヤ制御信号を含むＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）を生成する。そして、ＰＤＳＣＨ生成部８１０は、生成したＰＤＳＣＨを物理チャネル多重部８１１へ出力する。
【００９５】
物理チャネル多重部８１１は、ＵＬグラント生成部８０８から出力されたＵＬグラント（ＰＤＣＣＨ）と、ＰＤＳＣＨ生成部８１０から出力されたＰＤＳＣＨと、を多重化する。そして、物理チャネル多重部８１１は、多重化により得られた信号（多重化信号）を送信ＲＦ部８１２へ出力する。
【００９６】
送信ＲＦ部８１２は、物理チャネル多重部８１１から出力された信号の送信ＲＦ処理を行う。送信ＲＦ処理には、たとえば、ベースバンド帯からＲＦ帯への周波数変換が含まれる。送信ＲＦ部８１２は、送信ＲＦ処理を行った信号を送信アンテナ８１３へ出力する。送信アンテナ８１３は、送信ＲＦ部８１２から出力された信号（下り送信信号）をＵＥ２２０へ無線送信する。
【００９７】
モード切替制御部８１４は、長区間受信品質判定部８０９から出力された上位レイヤ制御信号に基づいて、ｅＮＢ２１０とＵＥ２２０との間のＴＴＩバンドリングが有効化されると、ＴＴＩバンドルサイズ制御モードと送信電力制御モードとの切替制御を開始する。具体的には、モード切替制御部８１４は、受信ＳＩＮＲ推定部８０４から出力された受信ＳＩＮＲ、あるいはＰＵＳＣＨ復調部８０３から出力されたＰＨＲに基づいて各モードの切替を行う。そして、モード切替制御部８１４は、切替結果を送信電力制御コマンド生成部８０５およびＴＴＩバンドリングコマンド生成部８０６へ出力する。
【００９８】
図１Ａ，図１Ｂに示した送信部１１１は、たとえば物理チャネル多重部８１１、送信ＲＦ部８１２および送信アンテナ８１３により実現することができる。図１Ａ，図１Ｂに示した制御部１１２は、たとえば送信電力制御コマンド生成部８０５、ＴＴＩバンドリングコマンド生成部８０６、ＵＬグラント生成部８０８、長区間受信品質判定部８０９およびモード切替制御部８１４により実現することができる。
【００９９】
図８Ｃは、ｅＮＢのハードウェア構成の一例を示す図である。図８Ａ，図８Ｂに示したｅＮＢ２１０は、たとえば図８Ｃに示す通信装置８３０によって実現することができる。通信装置８３０は、ＣＰＵ８３１と、メモリ８３２と、無線通信インタフェース８３３と、有線通信インタフェース８３４と、を備える。ＣＰＵ８３１、メモリ８３２、無線通信インタフェース８３３および有線通信インタフェース８３４は、バス８３９によって接続される。
【０１００】
ＣＰＵ８３１（Ｃｅｎｔｒａｌ  Ｐｒｏｃｅｓｓｉｎｇ  Ｕｎｉｔ）は、通信装置８３０の全体の制御を司る。メモリ８３２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ８３１のワークエリアとして使用される。補助メモリは、たとえば磁気ディスク、光ディスク、フラッシュメモリなどの不揮発メモリである。補助メモリには、通信装置８３０を動作させる各種のプログラムが記憶されている。補助メモリに記憶されたプログラムは、メインメモリにロードされてＣＰＵ８３１によって実行される。
【０１０１】
無線通信インタフェース８３３は、無線によって通信装置８３０の外部（たとえばＵＥ２２０）との間で通信を行う通信インタフェースである。無線通信インタフェース８３３は、ＣＰＵ８３１によって制御される。
【０１０２】
有線通信インタフェース８３４は、有線によって通信装置８３０の外部（たとえば上位装置）との間で通信を行う通信インタフェースである。有線通信インタフェース８３４は、ＣＰＵ８３１によって制御される。
【０１０３】
図８Ａ，図８Ｂに示した受信アンテナ８０１、受信ＲＦ部８０２、送信ＲＦ部８１２および送信アンテナ８１３は、たとえば無線通信インタフェース８３３により実現することができる。図８Ａ，図８Ｂに示したＰＵＳＣＨ復調部８０３、受信ＳＩＮＲ推定部８０４、送信電力制御コマンド生成部８０５、ＴＴＩバンドリングコマンド生成部８０６およびＰＵＳＣＨスケジューラ８０７は、たとえばＣＰＵ８３１により実現することができる。図８Ａ，図８Ｂに示したＵＬグラント生成部８０８、長区間受信品質判定部８０９、ＰＤＳＣＨ生成部８１０、物理チャネル多重部８１１、送信ＲＦ部８１２、送信アンテナ８１３、モード切替制御部８１４は、たとえばＣＰＵ８３１により実現することができる。
【０１０４】
（実施の形態２にかかるＵＥ）
図９Ａは、実施の形態２にかかるＵＥの一例を示す図である。図９Ｂは、図９Ａに示したＵＥにおける信号の流れの一例を示す図である。図９Ａ，図９Ｂに示すように、実施の形態２にかかるＵＥ２２０は、受信アンテナ９０１と、受信ＲＦ部９０２と、ＰＤＳＣＨ復調部９０３と、ＰＤＣＣＨ復調部９０４と、モード切替制御部９０５と、送信電力算出部９０６と、を備える。また、ＵＥ２２０は、ＴＴＩバンドリング制御部９０７と、ＰＵＳＣＨスケジューラ９０８と、ＳＲＳ生成部９０９と、物理チャネル多重部９１０と、送信電力制御部９１１と、送信ＲＦ部９１２と、送信アンテナ９１３と、を備える。
【０１０５】
受信アンテナ９０１は、ｅＮＢ２１０から無線送信された下り信号（下り受信信号）を受信し、受信した信号を受信ＲＦ部９０２へ出力する。受信ＲＦ部９０２は、受信アンテナ９０１から出力された信号の受信ＲＦ処理を行う。受信ＲＦ処理には、たとえばＲＦ帯からベースバンド帯への周波数変換が含まれる。受信ＲＦ部９０２は、受信ＲＦ処理によって得られた信号をＰＤＳＣＨ復調部９０３およびＰＤＣＣＨ復調部９０４へ出力する。
【０１０６】
ＰＤＳＣＨ復調部９０３は、受信ＲＦ部９０２から出力された信号に含まれるＰＤＳＣＨを復調する。そして、ＰＤＳＣＨ復調部９０３は、復調したＰＤＳＣＨに含まれる上位レイヤ制御信号をモード切替制御部９０５へ出力する。
【０１０７】
ＰＤＣＣＨ復調部９０４は、受信ＲＦ部９０２から出力された信号に含まれるＰＤＣＣＨを復調する。そして、ＰＤＣＣＨ復調部９０４は、復調したＰＤＣＣＨ（ＵＬグラント）をモード切替制御部９０５、送信電力算出部９０６、ＴＴＩバンドリング制御部９０７およびＰＵＳＣＨスケジューラ９０８へ出力する。
【０１０８】
モード切替制御部９０５は、ＰＤＳＣＨ復調部９０３から出力された上位レイヤ制御信号に基づいて、ｅＮＢ２１０との間のＴＴＩバンドリングが有効化されると、ＴＴＩバンドルサイズ制御モードと送信電力制御モードとの切替制御を開始する。具体的には、モード切替制御部９０５は、ＰＤＣＣＨ復調部９０４から出力されたＵＬグラント（ＰＤＣＣＨ）のＴＰＣ領域に格納されたＴＰＣコマンドに基づいて、各モードの切り替えを行う。
【０１０９】
また、モード切替制御部９０５は、送信電力算出部９０６から出力されたＰＨＲが０以下である場合は、次回の送信からＴＴＩバンドルサイズ制御モードに切り替える。モード切替制御部９０５は、モードの切替結果を、送信電力算出部９０６およびＴＴＩバンドリング制御部９０７へ出力する。
【０１１０】
送信電力算出部９０６は、モード切替制御部９０５から出力された切替結果に基づいて、送信電力制御モード時に、ＰＤＣＣＨ復調部９０４から出力されたＵＬグラントに基づいてＵＥ２２０の送信電力を調整した場合のＵＥ２２０の送信電力を算出する。そして、送信電力算出部９０６は、算出した送信電力を送信電力制御部９１１へ通知する。また、送信電力算出部９０６は、算出した送信電力とＵＥ２２０の最大送信電力とに基づくＰＨＲをモード切替制御部９０５およびＰＵＳＣＨスケジューラ９０８へ出力する。
【０１１１】
ＴＴＩバンドリング制御部９０７は、モード切替制御部９０５から出力された切替結果に基づいて、ＴＴＩバンドルサイズ制御モード時に、ＰＤＣＣＨ復調部９０４から出力されたＵＬグラントに格納されたＴＰＣコマンドを取得する。そして、ＴＴＩバンドリング制御部９０７は、取得したＴＰＣコマンドに基づくＴＴＩバンドルサイズを決定する。つぎに、ＴＴＩバンドリング制御部９０７は、決定したＴＴＩバンドルサイズをＰＵＳＣＨスケジューラ９０８へ通知する。
【０１１２】
ＰＵＳＣＨスケジューラ９０８は、ＰＤＣＣＨ復調部９０４から出力されたＵＬグラントに基づいて、ＵＥ２２０からｅＮＢ２１０へのＰＵＳＣＨのスケジューリングを行う。また、ＰＵＳＣＨスケジューラ９０８は、ＴＴＩバンドリング制御部９０７から出力されたＴＴＩバンドルサイズによって連続送信するようにＰＵＳＣＨのスケジューリングを行う。ＰＵＳＣＨスケジューラ９０８は、スケジューリング結果に基づくＰＵＳＣＨを物理チャネル多重部９１０へ出力する。また、ＰＵＳＣＨスケジューラ９０８は、送信電力算出部９０６から出力されたＰＨＲのスケジューリングを行い、スケジューリング結果に基づいてＰＨＲを物理チャネル多重部９１０へ出力する。
【０１１３】
ＳＲＳ生成部９０９は、周期的なサウンディングＲＳ（Ｓｏｕｎｄｉｎｇ  Ｒｅｆｅｒｅｎｃｅ  Ｓｉｇｎａｌ）を生成して物理チャネル多重部９１０へ出力する。
【０１１４】
物理チャネル多重部９１０は、ＰＵＳＣＨスケジューラ９０８から出力されたＰＵＳＣＨおよびＰＨＲと、ＳＲＳ生成部９０９から出力されたサウンディングＲＳと、を多重化する。そして、物理チャネル多重部９１０は、多重化により得られた信号（多重化信号）を送信電力制御部９１１へ出力する。
【０１１５】
送信電力制御部９１１は、送信電力算出部９０６から通知された送信電力となるように、物理チャネル多重部９１０から出力された信号の送信電力を制御する。そして、送信電力制御部９１１は、送信電力を制御した信号を送信ＲＦ部９１２へ出力する。
【０１１６】
送信ＲＦ部９１２は、送信電力制御部９１１から出力された信号の送信ＲＦ処理を行う。送信ＲＦ処理には、たとえば、ベースバンド帯からＲＦ帯への周波数変換が含まれる。送信ＲＦ部９１２は、送信ＲＦ処理を行った信号を送信アンテナ９１３へ出力する。送信アンテナ９１３は、送信ＲＦ部９１２から出力された信号（上り送信信号）をｅＮＢ２１０へ無線送信する。
【０１１７】
図１Ａ，図１Ｂに示した受信部１２１は、たとえば受信アンテナ９０１、受信ＲＦ部９０２およびＰＤＣＣＨ復調部９０４により実現することができる。図１Ａ，図１Ｂに示した制御部１２２は、たとえばモード切替制御部９０５、送信電力算出部９０６およびＴＴＩバンドリング制御部９０７により実現することができる。
【０１１８】
図９Ｃは、ＵＥのハードウェア構成の一例を示す図である。図９Ａ，図９Ｂに示したＵＥ２２０は、たとえば図９Ｃに示す通信装置９３０によって実現することができる。通信装置９３０は、ＣＰＵ９３１と、メモリ９３２と、ユーザインタフェース９３３と、無線通信インタフェース９３４と、を備える。ＣＰＵ９３１、メモリ９３２、ユーザインタフェース９３３および無線通信インタフェース９３４は、バス９３９によって接続される。
【０１１９】
ＣＰＵ９３１は、通信装置９３０の全体の制御を司る。メモリ９３２には、たとえばメインメモリおよび補助メモリが含まれる。メインメモリは、たとえばＲＡＭである。メインメモリは、ＣＰＵ９３１のワークエリアとして使用される。補助メモリは、たとえば磁気ディスク、フラッシュメモリなどの不揮発メモリである。補助メモリには、通信装置９３０を動作させる各種のプログラムが記憶されている。補助メモリに記憶されたプログラムは、メインメモリにロードされてＣＰＵ９３１によって実行される。
【０１２０】
ユーザインタフェース９３３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース９３３は、ＣＰＵ９３１によって制御される。
【０１２１】
無線通信インタフェース９３４は、無線によって通信装置９３０の外部（たとえばｅＮＢ２１０）との間で通信を行う通信インタフェースである。無線通信インタフェース９３４は、ＣＰＵ９３１によって制御される。
【０１２２】
図９Ａ，図９Ｂに示した受信アンテナ９０１、受信ＲＦ部９０２、送信ＲＦ部９１２および送信アンテナ９１３は、たとえば無線通信インタフェース９３４によって実現することができる。図９Ａ，図９Ｂに示したＰＤＳＣＨ復調部９０３、ＰＤＣＣＨ復調部９０４、モード切替制御部９０５、送信電力算出部９０６およびＴＴＩバンドリング制御部９０７は、たとえばＣＰＵ９３１によって実現することができる。図９Ａ，図９Ｂに示したＰＵＳＣＨスケジューラ９０８、ＳＲＳ生成部９０９、物理チャネル多重部９１０および送信電力制御部９１１は、たとえばＣＰＵ９３１によって実現することができる。
【０１２３】
（実施の形態２にかかるｅＮＢによる処理）
図１０Ａ〜図１０Ｃは、実施の形態２にかかるｅＮＢによる処理の一例を示すフローチャートである。実施の形態２にかかるｅＮＢ２１０は、たとえば図１０Ａ〜図１０Ｃに示す各ステップを実行する。まず、ｅＮＢ２１０は、ＵＥ２２０からの長区間の受信品質を測定する（ステップＳ１００１）。長区間の受信品質は、たとえば受信ＳＩＮＲの時間平均である。
【０１２４】
つぎに、ｅＮＢ２１０は、ステップＳ１００１の測定結果に基づいて、ＵＥ２２０からの長区間の受信品質が既定値以下であるか否かを判断する（ステップＳ１００２）。受信品質が既定値以下でない場合（ステップＳ１００２：Ｎｏ）は、ｅＮＢ２１０は、ＴＴＩバンドリングを無効（ＦＡＬＳＥ）にすることを示す上位レイヤ制御信号をＵＥ２２０へ送信する（ステップＳ１００３）。
【０１２５】
つぎに、ｅＮＢ２１０は、ＵＥ２２０からの瞬時受信品質を測定する（ステップＳ１００４）。瞬時受信品質は、たとえば受信ＳＩＮＲの瞬時値である。つぎに、ｅＮＢ２１０は、ステップＳ１００４によって測定した受信ＳＩＮＲが所定の目標値より高いか否かを判断する（ステップＳ１００５）。受信ＳＩＮＲが所定の目標値より高い場合（ステップＳ１００５：Ｙｅｓ）は、ｅＮＢ２１０は、ＴＰＣコマンドに“００”を設定し（ステップＳ１００６）、ステップＳ１０１２へ移行する。
【０１２６】
ステップＳ１００５において、受信ＳＩＮＲが所定の目標値より高くない場合（ステップＳ１００５：Ｎｏ）は、ｅＮＢ２１０は、ステップＳ１００４によって測定した受信ＳＩＮＲが所定の目標値と同程度であるか否かを判断する（ステップＳ１００７）。受信ＳＩＮＲが所定の目標値と同程度である場合（ステップＳ１００７：Ｙｅｓ）は、ｅＮＢ２１０は、ＴＰＣコマンドに“０１”を設定し（ステップＳ１００８）、ステップＳ１０１２へ移行する。
【０１２７】
ステップＳ１００７において、受信ＳＩＮＲが所定の目標値と同程度でない場合（ステップＳ１００７：Ｎｏ）は、ｅＮＢ２１０は、ステップＳ１００４によって測定した受信ＳＩＮＲが所定の目標値より１［ｄＢ］程度低いか否かを判断する（ステップＳ１００９）。受信ＳＩＮＲが所定の目標値より１［ｄＢ］程度低い場合（ステップＳ１００９：Ｙｅｓ）は、ｅＮＢ２１０は、ＴＰＣコマンドに“１０”を設定し（ステップＳ１０１０）、ステップＳ１０１２へ移行する。
【０１２８】
ステップＳ１００９において、受信ＳＩＮＲが所定の目標値より１［ｄＢ］程度低くない場合（ステップＳ１００９：Ｎｏ）、すなわち受信ＳＩＮＲの所定の目標値に対する差が１［ｄＢ］より大きい場合は、ｅＮＢ２１０は、ステップＳ１０１１へ移行する。具体的には、ｅＮＢ２１０は、ＴＰＣコマンドに“１１”を設定し（ステップＳ１０１１）、ステップＳ１０１２へ移行する。
【０１２９】
つぎに、ｅＮＢ２１０は、ステップＳ１００５〜Ｓ１０１１によって設定したＴＰＣコマンドを格納したＵＬグラントをＵＥ２２０へ送信する（ステップＳ１０１２）。つぎに、ｅＮＢ２１０は、ステップＳ１０１２によって送信したＵＬグラントにより指示した無線リソースによって、ＵＥ２２０からのＰＵＳＣＨを受信する（ステップＳ１０１３）。
【０１３０】
つぎに、ｅＮＢ２１０は、長区間の受信品質の判定タイミングか否かを判断する（ステップＳ１０１４）。長区間の受信品質の判定タイミングは、たとえば周期的なタイミングである。判定タイミングでない場合（ステップＳ１０１４：Ｎｏ）は、ｅＮＢ２１０は、ステップＳ１００４へ戻る。判定タイミングである場合（ステップＳ１０１４：Ｙｅｓ）は、ｅＮＢ２１０は、ステップＳ１００１へ戻る。
【０１３１】
ステップＳ１００２において、長区間の受信品質が既定値以下である場合（ステップＳ１００２：Ｙｅｓ）は、ｅＮＢ２１０は、ＵＥ２２０との間のＴＴＩバンドリングを有効化する（ステップＳ１０１５）。つぎに、ｅＮＢ２１０は、ＴＴＩバンドリングを有効（ＴＲＵＥ）にすることを示す上位レイヤ制御信号をＵＥ２２０へ送信する（ステップＳ１０１６）。つぎに、ｅＮＢ２１０は、ＵＥ２２０からの瞬時受信品質を測定する（ステップＳ１０１７）。
【０１３２】
つぎに、ｅＮＢ２１０は、現在のモードがＴＴＩバンドルサイズ制御モードであるか否かを判断する（ステップＳ１０１８）。ＴＴＩバンドルサイズ制御モードでなく送信電力制御モードである場合（ステップＳ１０１８：Ｎｏ）は、ｅＮＢ２１０は、ステップＳ１０１９へ移行する。ステップＳ１０１９〜Ｓ１０２７は、ステップＳ１００５〜Ｓ１０１３と同様である。
【０１３３】
ステップＳ１０２７のつぎに、ｅＮＢ２１０は、ＵＥ２２０からのＰＨＲが０［ｄＢ］以下であるか否かを判断する（ステップＳ１０２８）。ＰＨＲが０［ｄＢ］以下でない場合（ステップＳ１０２８：Ｎｏ）は、ｅＮＢ２１０は、送信電力制御モードを維持し（ステップＳ１０２９）、ステップＳ１０３１へ移行する。ＰＨＲが０［ｄＢ］以下である場合（ステップＳ１０２８：Ｙｅｓ）は、ｅＮＢ２１０は、ＴＴＩバンドルサイズ制御モードへ移行し（ステップＳ１０３０）、ステップＳ１０３１へ移行する。
【０１３４】
つぎに、ｅＮＢ２１０は、長区間の受信品質の判定タイミングか否かを判断する（ステップＳ１０３１）。判定タイミングでない場合（ステップＳ１０３１：Ｎｏ）は、ｅＮＢ２１０は、ステップＳ１０１７へ戻る。判定タイミングである場合（ステップＳ１０３１：Ｙｅｓ）は、ｅＮＢ２１０は、ステップＳ１００１へ戻る。
【０１３５】
ステップＳ１０１８において、現在のモードがＴＴＩバンドルサイズ制御モードである場合（ステップＳ１０１８：Ｙｅｓ）は、ｅＮＢ２１０は、ステップＳ１０３２へ移行する。すなわち、ｅＮＢ２１０は、ステップＳ１０１７によって測定した受信ＳＩＮＲと所定の目標値の差分に基づいて、ＵＥ２２０のＴＴＩバンドルサイズの調整量を決定する（ステップＳ１０３２）。
【０１３６】
つぎに、ｅＮＢ２１０は、ステップＳ１０３２によって決定した調整量に基づく調整後のＵＥ２２０のＴＴＩバンドルサイズが１以下であるか否かを判断する（ステップＳ１０３３）。調整後のＴＴＩバンドルサイズが１以下である場合（ステップＳ１０３３：Ｙｅｓ）は、ｅＮＢ２１０は、ＴＰＣコマンドに“００”を設定し（ステップＳ１０３４）、ステップＳ１０４０へ移行する。
【０１３７】
ステップＳ１０３３において、調整後のＴＴＩバンドルサイズが１以下でない場合（ステップＳ１０３３：Ｎｏ）は、ｅＮＢ２１０は、調整後のＴＴＩバンドルサイズが２であるか否かを判断する（ステップＳ１０３５）。調整後のＴＴＩバンドルサイズが２である場合（ステップＳ１０３５：Ｙｅｓ）は、ｅＮＢ２１０は、ＴＰＣコマンドに“０１”を設定し（ステップＳ１０３６）、ステップＳ１０４０へ移行する。
【０１３８】
ステップＳ１０３５において、調整後のＴＴＩバンドルサイズが２でない場合（ステップＳ１０３５：Ｎｏ）は、ｅＮＢ２１０は、調整後のＴＴＩバンドルサイズが４であるか否かを判断する（ステップＳ１０３７）。調整後のＴＴＩバンドルサイズが４である場合（ステップＳ１０３７：Ｙｅｓ）は、ｅＮＢ２１０は、ＴＰＣコマンドに“１０”を設定し（ステップＳ１０３８）、ステップＳ１０４０へ移行する。
【０１３９】
ステップＳ１０３７において、調整後のＴＴＩバンドルサイズが４でない場合（ステップＳ１０３７：Ｎｏ）は、ｅＮＢ２１０は、ＴＰＣコマンドに“１１”を設定し（ステップＳ１０３９）、ステップＳ１０４０へ移行する。
【０１４０】
つぎに、ｅＮＢ２１０は、ステップＳ１０３３〜Ｓ１０３９によって設定したＴＰＣコマンドを格納したＵＬグラントをＵＥ２２０へ送信する（ステップＳ１０４０）。つぎに、ｅＮＢ２１０は、ステップＳ１０４０によって送信したＵＬグラントにより指示した無線リソースによって、ＵＥ２２０からのＰＵＳＣＨを受信する（ステップＳ１０４１）。つぎに、ｅＮＢ２１０は、ステップＳ１０３３〜Ｓ１０３９によって設定したＴＰＣコマンドが“００”であったか否かを判断する（ステップＳ１０４２）。
【０１４１】
ステップＳ１０４２において、ＴＰＣコマンドが“００”でなかった場合（ステップＳ１０４２：Ｎｏ）は、ｅＮＢ２１０は、ＴＴＩバンドルサイズ制御モードを維持し（ステップＳ１０４３）、ステップＳ１０３１へ移行する。ＴＰＣコマンドが“００”であった場合（ステップＳ１０４２：Ｙｅｓ）は、ｅＮＢ２１０は、送信電力制御モードへ移行し（ステップＳ１０４４）、ステップＳ１０３１へ移行する。
【０１４２】
（実施の形態２にかかるＵＥによる処理）
図１１Ａ〜図１１Ｃは、実施の形態２にかかるＵＥによる処理の一例を示すフローチャートである。実施の形態２にかかるＵＥ２２０は、たとえば図１１Ａ〜図１１Ｃに示す各ステップを実行する。まず、ＵＥ２２０は、ｅＮＢ２１０との間のＴＴＩバンドリングが有効（ＴＲＵＥ）であるか否かを判断する（ステップＳ１１０１）。ステップＳ１１０１の判断は、ｅＮＢ２１０から受信した上位レイヤ制御信号に基づいて行うことができる。
【０１４３】
ステップＳ１１０１において、ＴＴＩバンドリングが有効でない場合（ステップＳ１１０１：Ｎｏ）は、ＵＥ２２０は、ｅＮＢ２１０へサウンディングＲＳを送信する（ステップＳ１１０２）。つぎに、ＵＥ２２０は、ｅＮＢ２１０からのＵＬグラントを受信する（ステップＳ１１０３）。
【０１４４】
つぎに、ＵＥ２２０は、ステップＳ１１０３によって受信したＵＬグラントに格納されたＴＰＣコマンドが“００”であるか否かを判断する（ステップＳ１１０４）。ＴＰＣコマンドが“００”である場合（ステップＳ１１０４：Ｙｅｓ）は、ＵＥ２２０は、送信電力増分が−１［ｄＢ］であると判定し（ステップＳ１１０５）、ステップＳ１１１１へ移行する。
【０１４５】
ステップＳ１１０４において、ＴＰＣコマンドが“００”でない場合（ステップＳ１１０４：Ｎｏ）は、ＵＥ２２０は、ＴＰＣコマンドが“０１”であるか否かを判断する（ステップＳ１１０６）。ＴＰＣコマンドが“０１”である場合（ステップＳ１１０６：Ｙｅｓ）は、ＵＥ２２０は、送信電力増分が０［ｄＢ］であると判定し（ステップＳ１１０７）、ステップＳ１１１１へ移行する。
【０１４６】
ステップＳ１１０６において、ＴＰＣコマンドが“０１”でない場合（ステップＳ１１０６：Ｎｏ）は、ＵＥ２２０は、ＴＰＣコマンドが“１０”であるか否かを判断する（ステップＳ１１０８）。ＴＰＣコマンドが“１０”である場合（ステップＳ１１０８：Ｙｅｓ）は、ＵＥ２２０は、送信電力増分が１［ｄＢ］であると判定し（ステップＳ１１０９）、ステップＳ１１１１へ移行する。
【０１４７】
ステップＳ１１０８において、ＴＰＣコマンドが“１０”でない場合（ステップＳ１１０８：Ｎｏ）は、ＵＥ２２０は、送信電力増分が３［ｄＢ］であると判定し（ステップＳ１１１０）、ステップＳ１１１１へ移行する。
【０１４８】
つぎに、ＵＥ２２０は、ステップＳ１１０４〜Ｓ１１１０によって判定した送信電力増分に基づいてＵＥ２２０の送信電力を調整する（ステップＳ１１１１）。つぎに、ＵＥ２２０は、ステップＳ１１０３によって受信したＵＬグラントが示す無線リソースにおいて、ステップＳ１１１１によって調整した送信電力によって、ｅＮＢ２１０へＰＵＳＣＨおよびＰＨＲを送信する（ステップＳ１１１２）。
【０１４９】
つぎに、ＵＥ２２０は、上位レイヤ制御信号の受信タイミングか否かを判断する（ステップＳ１１１３）。上位レイヤ制御信号の受信タイミングは、たとえば周期的なタイミングである。上位レイヤ制御信号の受信タイミングでない場合（ステップＳ１１１３：Ｎｏ）は、ＵＥ２２０はステップＳ１１０３へ戻る。上位レイヤ制御信号の受信タイミングである場合（ステップＳ１１１３：Ｙｅｓ）は、ＵＥ２２０はステップＳ１１０１へ戻る。
【０１５０】
ステップＳ１１０１において、ＴＴＩバンドリングが有効である場合（ステップＳ１１０１：Ｙｅｓ）は、ＵＥ２２０は、ＴＴＩバンドリングを内部的に有効化する（ステップＳ１１１４）。つぎに、ＵＥ２２０は、ｅＮＢ２１０へサウンディングＲＳを送信する（ステップＳ１１１５）。つぎに、ＵＥ２２０は、ｅＮＢ２１０からのＵＬグラントを受信する（ステップＳ１１１６）。
【０１５１】
つぎに、ＵＥ２２０は、現在のモードがＴＴＩバンドルサイズ制御モードであるか否かを判断する（ステップＳ１１１７）。ＴＴＩバンドルサイズ制御モードでなく送信電力制御モードである場合（ステップＳ１１１７：Ｎｏ）は、ＵＥ２２０は、ステップＳ１１１８へ移行する。ステップＳ１１１８〜Ｓ１１２５は、ステップＳ１１０４〜Ｓ１１１１と同様である。
【０１５２】
ステップＳ１１２５のつぎに、ＵＥ２２０は、自装置におけるＰＨＲが０［ｄＢ］以下であるか否かを判断する（ステップＳ１１２６）。ＰＨＲが０［ｄＢ］以下でない場合（ステップＳ１１２６：Ｎｏ）は、ＵＥ２２０は、送信電力制御モードを維持し（ステップＳ１１２７）、ステップＳ１１２９へ移行する。ＰＨＲが０［ｄＢ］以下である場合（ステップＳ１１２６：Ｙｅｓ）は、ＵＥ２２０は、ＴＴＩバンドルサイズ制御モードへ移行し（ステップＳ１１２８）、ステップＳ１１２９へ移行する。
【０１５３】
つぎに、ＵＥ２２０は、ステップＳ１１１６によって受信したＵＬグラントが示す無線リソースにおいて、ステップＳ１１２５によって調整した送信電力によって、ｅＮＢ２１０へＰＵＳＣＨおよびＰＨＲを送信する（ステップＳ１１２９）。つぎに、ＵＥ２２０は、上位レイヤ制御信号の受信タイミングか否かを判断する（ステップＳ１１３０）。上位レイヤ制御信号の受信タイミングでない場合（ステップＳ１１３０：Ｎｏ）は、ＵＥ２２０は、ステップＳ１１１６へ戻る。上位レイヤ制御信号の受信タイミングである場合（ステップＳ１１３０：Ｙｅｓ）は、ＵＥ２２０は、ステップＳ１１０１へ戻る。
【０１５４】
ステップＳ１１１７において、ＴＴＩバンドルサイズ制御モードである場合（ステップＳ１１１７：Ｙｅｓ）は、ＵＥ２２０は、ステップＳ１１１６によって受信したＵＬグラントに格納されたＴＰＣコマンドが“００”であるか否かを判断する（ステップＳ１１３１）。ＴＰＣコマンドが“００”である場合（ステップＳ１１３１：Ｙｅｓ）は、ＵＥ２２０は、ＴＴＩバンドルサイズが１であると判定し（ステップＳ１１３２）、ステップＳ１１３８へ移行する。
【０１５５】
ステップＳ１１３１において、ＴＰＣコマンドが“００”でない場合（ステップＳ１１３１：Ｎｏ）は、ＵＥ２２０は、ＴＰＣコマンドが“０１”であるか否かを判断する（ステップＳ１１３３）。ＴＰＣコマンドが“０１”である場合（ステップＳ１１３３：Ｙｅｓ）は、ＵＥ２２０は、ＴＴＩバンドルサイズが２であると判定し（ステップＳ１１３４）、ステップＳ１１３８へ移行する。
【０１５６】
ステップＳ１１３３において、ＴＰＣコマンドが“０１”でない場合（ステップＳ１１３３：Ｎｏ）は、ＵＥ２２０は、ＴＰＣコマンドが“１０”であるか否かを判断する（ステップＳ１１３５）。ＴＰＣコマンドが“１０”である場合（ステップＳ１１３５：Ｙｅｓ）は、ＵＥ２２０は、ＴＴＩバンドルサイズが４であると判定し（ステップＳ１１３６）、ステップＳ１１３８へ移行する。
【０１５７】
ステップＳ１１３５において、ＴＰＣコマンドが“１０”でない場合（ステップＳ１１３５：Ｎｏ）は、ＵＥ２２０は、ＴＴＩバンドルサイズが８であると判定し（ステップＳ１１３７）、ステップＳ１１３８へ移行する。
【０１５８】
つぎに、ＵＥ２２０は、ステップＳ１１３１〜Ｓ１１３７によって判定したＴＴＩバンドルサイズによってＴＴＩバンドルサイズを調整する（ステップＳ１１３８）。つぎに、ＵＥ２２０は、ステップＳ１１１６によって受信したＵＬグラントに格納されたＴＰＣコマンドが“００”であったか否かを判断する（ステップＳ１１３９）。
【０１５９】
ステップＳ１１３９において、ＴＰＣコマンドが“００”でなかった場合（ステップＳ１１３９：Ｎｏ）は、ＵＥ２２０は、ＴＴＩバンドルサイズ制御モードを維持し（ステップＳ１１４０）、ステップＳ１１２９へ移行する。ＴＰＣコマンドが“００”であった場合（ステップＳ１１３９：Ｙｅｓ）は、ＵＥ２２０は、送信電力制御モードへ移行し（ステップＳ１１４１）、ステップＳ１１２９へ移行する。
【０１６０】
（ＴＴＩバンドルサイズの変更の他の例）
図１２Ａおよび図１２Ｂは、ＴＴＩバンドルサイズの変更の他の例を示す図である。図１２Ａ，図１２Ｂにおいて、横軸は時間（サブフレーム）を示す。図１２Ａに示す例では、ＵＥ２２０は、新規送信１２０１において、同一の新規データを示すパケットを４回連続してｅＮＢ２１０へ送信するＴＴＩバンドリング（ＴＴＩバンドルサイズ＝４ＴＴＩ）を行っている。また、ＵＥ２２０は、新規送信１２０１についての再送１２０２，１２０３，１２０４において、新規送信１２０１と同じ再送データを示すパケットを４回連続してｅＮＢ２１０へ送信するＴＴＩバンドリング（ＴＴＩバンドルサイズ＝４ＴＴＩ）を行っている。
【０１６１】
図１２Ｂに示す例では、ＵＥ２２０は、新規送信１２０１において、同一の新規データを示すパケットを８回連続してｅＮＢ２１０へ送信するＴＴＩバンドリング（ＴＴＩバンドルサイズ＝８ＴＴＩ）を行っている。また、ＵＥ２２０は、新規送信１２０１についての再送１２０２，１２０３，１２０４において、新規送信１２０１と同じ再送データを示すパケットを４回連続してｅＮＢ２１０へ送信するＴＴＩバンドリング（ＴＴＩバンドルサイズ＝４ＴＴＩ）を行っている。
【０１６２】
後述のＬＴＥのＡｌｔ．６．１においては、図１２Ａ，図１２Ｂに示すように、新規送信と再送で異なるＴＴＩバンドルサイズを用いることが検討されている。上述したＴＴＩバンドルサイズの変更は、このように新規送信と再送で異なるＴＴＩバンドルサイズを用いる場合の新規送信のＴＴＩバンドルサイズの変更に適用することもできる。
【０１６３】
たとえば、ｅＮＢ２１０は、ＵＥ２２０の新規送信のＴＴＩバンドルサイズを４ＴＴＩと８ＴＴＩで切り替えることで、図１２Ａ，図１２Ｂに示す各状態を切り替えることができる。このように、ＵＥ２２０は、データの新規送信および再送のうちの新規送信についてのＴＴＩバンドルサイズを調整するようにしてもよい。また、ここでは新規送信と再送のうちの新規送信のＴＴＩバンドルサイズを変更する場合について説明したが、再送のＴＴＩバンドルサイズを変更する場合も同様である。
【０１６４】
このように、実施の形態２によれば、ＵＥ２２０の送信電力制御に用いられるＵＬグラントのＴＰＣコマンドを用いて、ＵＥ２２０のＴＴＩバンドルサイズを通知することができる。これにより、ＵＥ２２０のＴＴＩバンドルサイズを可変としつつ、ｅＮＢ２１０からＵＥ２２０へのＴＴＩバンドルサイズの通知に伴う制御情報のオーバーヘッドの増加を抑えることができる。
【０１６５】
（実施の形態３）
実施の形態３について、実施の形態２と異なる部分について説明する。
【０１６６】
（ＲＴＴの変更）
図１３Ａおよび図１３Ｂは、ＲＴＴの変更の一例を示す図である。図１３Ａ，図１３Ｂにおいて、横軸は時間（サブフレーム）を示す。図１３Ａ，図１３Ｂに示す例では、ＵＥ２２０は、新規送信１３０１において、同一の新規データを示すパケットを４回連続してｅＮＢ２１０へ送信するＴＴＩバンドリング（ＴＴＩバンドルサイズ＝４ＴＴＩ）を行っている。また、再送１３０２〜１３０５は、新規送信１３０１と同じ再送データを示すパケットを４回連続して送信する再送である。
【０１６７】
図１３Ａに示す例では、各再送までのＲＴＴは１６［ｍｓ］（１６サブフレーム）に設定されている。図１３Ｂに示す例では、各再送までのＲＴＴは１２［ｍｓ］（１２サブフレーム）に設定されている。また、図１３Ａ，図１３Ｂに示す例において、許容される遅延時間は５２［ｍｓ］である。
【０１６８】
後述のＬＴＥのＡｌｔ．１においては、図１３Ｂに示すように、ＲＴＴを現在の１６［ｍｓ］から１２［ｍｓ］に短縮することが検討されている。これに対して、実施の形態３にかかる無線通信システム２００においては、ＲＴＴを可変とする。
【０１６９】
このために、ｅＮＢ２１０は、制御信号を用いてＵＥ２２０にＲＴＴを通知する。この際に、ｅＮＢ２１０は、たとえばＵＬグラントに格納するＴＰＣコマンドを用いてＵＥ２２０にＲＴＴを通知する。ＵＥ２２０は、ｅＮＢ２１０から受信したＵＬグラントに格納されたＴＰＣコマンドに基づいてＲＴＴを調整する。
【０１７０】
たとえば上位レイヤの制御によってｅＮＢ２１０とＵＥ２２０との間のＴＴＩバンドリングが有効化された場合に、ｅＮＢ２１０およびＵＥ２２０は、送信電力制御モードと、ＴＴＩバンドルサイズ／ＲＴＴ制御モードと、に切り替え可能な状態となる。
【０１７１】
たとえば、送信電力制御モードにおいては、ＵＥ２２０は、ＵＥ２２０のＲＴＴを８［ｍｓ］（最小値）に固定する。そして、ｅＮＢ２１０は、ＴＰＣコマンドを用いてＵＥ２２０に送信電力を通知する。また、ＵＥ２２０は、ＴＰＣコマンドに基づいてＵＥ２２０の送信電力を調整する。
【０１７２】
一方、ＴＴＩバンドルサイズ／ＲＴＴ制御モードにおいては、ＵＥ２２０は、ＵＥ２２０の送信電力を最大値に固定する。そして、ｅＮＢ２１０は、ＴＰＣコマンドを用いてＵＥ２２０にＲＴＴを通知する。また、ＵＥ２２０は、ＴＰＣコマンドに基づいてＵＥ２２０のＲＴＴを調整する。
【０１７３】
このように、ＲＴＴを固定する送信電力制御モードと、送信電力を固定するＴＴＩバンドルサイズ／ＲＴＴ制御モードと、を切り替えることにより、送信電力を制御するためのＴＰＣコマンドを用いてＲＴＴの制御も行うことができる。これにより、ＵＥ２２０のＲＴＴを可変とする場合の制御情報のオーバーヘッドの増加を抑えることができる。このため、無線チャネルの変動に追従してＲＴＴを制御可能にしつつ、制御情報のオーバーヘッドの増加を抑えることができる。
【０１７４】
（単位時間あたりの送信パケットの総エネルギ）
図１３Ｃは、単位時間あたりの送信パケットの総エネルギの一例を示す図である。単位時間Ｎ’において新規送信または再送によって送信されたパケットの総エネルギは、たとえば図１３Ｃのテーブル１３３０のようになる。
【０１７５】
たとえば、テーブル１３３０の（ａ）に示すように、ＴＴＩバンドルサイズを１、ＲＴＴを８［ｍｓ］とすると、単位時間Ｎ’におけるパケットの総エネルギは３Ｎ’／２４＝Ｎとなる。ここで、Ｎは簡単のために定義する単位エネルギである。また、テーブル１３３０の（ｂ）に示すように、ＴＴＩバンドルサイズを４、ＲＴＴを１６［ｍｓ］とすると、単位時間Ｎ’におけるパケットの総エネルギは６Ｎ’／２４＝２Ｎとなり、（ａ）の場合の２．０倍となる。
【０１７６】
また、テーブル１３３０の（ｃ）に示すように、ＴＴＩバンドルサイズを４、ＲＴＴを１２［ｍｓ］とすると、単位時間Ｎ’におけるパケットの総エネルギは８Ｎ’／２４＝２．６７Ｎとなり、（ａ）の場合の２．６７倍となる。また、テーブル１３３０の（ｄ）に示すように、ＴＴＩバンドルサイズを４、ＲＴＴを８［ｍｓ］とすると、単位時間Ｎ’におけるパケットの総エネルギは１２Ｎ’／２４＝４Ｎとなり、（ａ）の場合の４倍となる。
【０１７７】
（ＵＬグラントのビットマップの第１例）
図１４Ａは、送信電力制御モードにおけるＵＬグラントのビットマップの第１例を示す図である。図１４Ａに示すテーブル１４１０は、送信電力制御モードにおける、ＴＰＣコマンドと、ＴＰＣコマンドによる通知内容と、の対応関係を示す。
【０１７８】
たとえば、送信電力制御モードにおけるＴＰＣコマンド＝“００”は、ＴＴＩバンドルサイズ／ＲＴＴ制御モードに移行することを示す。また、送信電力制御モードにおけるＴＰＣコマンド＝“０１”は、ＴＴＩバンドルサイズを１に維持し、ＲＴＴを８に維持し、送信電力増分を−１［ｄＢ］とすることを示す。
【０１７９】
また、送信電力制御モードにおけるＴＰＣコマンド＝“１０”は、ＴＴＩバンドルサイズを１に維持し、ＲＴＴを８に維持し、送信電力増分を０［ｄＢ］（変化なし）とすることを示す。また、送信電力制御モードにおけるＴＰＣコマンド＝“１１”は、ＴＴＩバンドルサイズを１に維持し、ＲＴＴを８に維持し、送信電力増分を１［ｄＢ］とすることを示す。
【０１８０】
図１４Ｂは、ＴＴＩバンドルサイズ／ＲＴＴ制御モードにおけるＵＬグラントのビットマップの第１例を示す図である。図１４Ｂに示すテーブル１４２０は、ＴＴＩバンドルサイズ／ＲＴＴ制御モードにおける、ＴＰＣコマンドと、ＴＰＣコマンドによる通知内容と、の対応関係を示す。
【０１８１】
たとえば、ＴＴＩバンドルサイズ／ＲＴＴ制御モードにおけるＴＰＣコマンド＝“００”は、ＴＴＩバンドルサイズを１とし、ＲＴＴを８とし、送信電力制御モードに移行することを示す。また、ＴＴＩバンドルサイズ／ＲＴＴ制御モードにおけるＴＰＣコマンド＝“０１”は、ＴＴＩバンドルサイズを４とし、ＲＴＴを１６とすることを示す。
【０１８２】
また、ＴＴＩバンドルサイズ／ＲＴＴ制御モードにおけるＴＰＣコマンド＝“１０”は、ＴＴＩバンドルサイズを４とし、ＲＴＴを１２とすることを示す。また、ＴＴＩバンドルサイズ／ＲＴＴ制御モードにおけるＴＰＣコマンド＝“１１”は、ＴＴＩバンドルサイズを４とし、ＲＴＴを８とすることを示す。
【０１８３】
（ＵＬグラントのビットマップの第２例）
図１５Ａは、送信電力制御モードにおけるＵＬグラントのビットマップの第２例を示す図である。図１５Ａに示すテーブル１５１０は、送信電力制御モードにおける、ＴＰＣコマンドと、ＴＰＣコマンドによる通知内容と、の対応関係を示す。
【０１８４】
たとえば、送信電力制御モードにおけるＴＰＣコマンド＝“００”は、ＴＴＩバンドルサイズを１に維持し、ＲＴＴを８に維持し、送信電力増分を−１［ｄＢ］とすることを示す。また、送信電力制御モードにおけるＴＰＣコマンド＝“０１”は、ＴＴＩバンドルサイズを１に維持し、ＲＴＴを８に維持し、送信電力増分を０［ｄＢ］とすることを示す。
【０１８５】
また、送信電力制御モードにおけるＴＰＣコマンド＝“１０”は、ＴＴＩバンドルサイズを１に維持し、ＲＴＴを８に維持し、送信電力増分を１［ｄＢ］とすることを示す。また、送信電力制御モードにおけるＴＰＣコマンド＝“１１”は、ＴＴＩバンドルサイズを１に維持し、ＲＴＴを８に維持し、送信電力増分を３［ｄＢ］とすることを示す。
【０１８６】
このように、ＴＴＩバンドルサイズ／ＲＴＴ制御モードへの移行をＴＰＣコマンドによって明示的に通知しなくてもよい。この場合は、ｅＮＢ２１０およびＵＥ２２０は、たとえばＰＨＲに基づいて、ＴＴＩバンドルサイズ／ＲＴＴ制御モードへの移行を判断することができる。これにより、ＴＰＣコマンドによって指示可能な送信電力増分の種類が増えるため、より柔軟なＵＥ２２０の送信電力の制御が可能になる。
【０１８７】
たとえば、ｅＮＢ２１０は、ＵＥ２２０から受信したＰＨＲが０以下である場合にＴＴＩバンドルサイズ／ＲＴＴ制御モードへ移行する。また、ＵＥ２２０は、ｅＮＢ２１０へ送信するＰＨＲが０以下である場合にＴＴＩバンドルサイズ／ＲＴＴ制御モードへ移行する。これにより、送信電力制御モードにおいて、ＵＥ２２０の送信電力が最大値に達する場合にＴＴＩバンドルサイズ／ＲＴＴ制御モードへ移行することができる。
【０１８８】
図１５Ｂは、ＴＴＩバンドルサイズ／ＲＴＴ制御モードにおけるＵＬグラントのビットマップの第２例を示す図である。図１５Ｂに示すテーブル１５２０は、ＴＴＩバンドルサイズ／ＲＴＴ制御モード、すなわちＵＥ２２０の送信電力が最大値に達している場合（最大送信電力時）における、ＴＰＣコマンドと、ＴＰＣコマンドによる通知内容と、の対応関係を示す。図１５Ｂに示すテーブル１５２０は、たとえば図１４Ｂに示したテーブル１４２０と同様にすることができる。以下、実施の形態３について、図１５Ａ，図１５Ｂに示したＵＬグラントのビットマップ（第２例）を用いる場合について説明する。
【０１８９】
（送信電力制御コマンド決定方法）
送信電力制御モードにおける送信電力制御コマンド決定方法については、たとえば図６Ａに示した送信電力制御コマンド決定方法と同様である。
【０１９０】
図１６Ａおよび図１６Ｂは、ＴＴＩバンドルサイズ／ＲＴＴ制御モードにおける送信電力制御コマンド決定方法の一例を示す図である。図１６Ａに示すテーブル１６１０は、ＴＴＩバンドルサイズ／ＲＴＴ制御モードにおける、受信ＳＩＮＲの測定値の目標値との差分Ｄｉｆｆに関する条件と、ｅＮＢ２１０が選択する単位時間あたりの送信パケットの総エネルギの調整量と、の対応関係を示す。
【０１９１】
たとえば、ｅＮＢ２１０は、Ｄｉｆｆ＞４．５［ｄＢ］である場合は、単位時間あたりの送信パケットの総エネルギの調整量として１／４倍を選択する。また、ｅＮＢ２１０は、４．５［ｄＢ］≧Ｄｉｆｆ＞１．５［ｄＢ］である場合は、単位時間あたりの送信パケットの総エネルギの調整量として１／２倍を選択する。
【０１９２】
また、ｅＮＢ２１０は、１．５［ｄＢ］≧Ｄｉｆｆ＞−１．５［ｄＢ］である場合は、単位時間あたりの送信パケットの総エネルギの調整量として１倍（変化なし）を選択する。また、ｅＮＢ２１０は、−１．５［ｄＢ］≧Ｄｉｆｆ＞−４．５［ｄＢ］である場合は、単位時間あたりの送信パケットの総エネルギの調整量として２倍を選択する。また、ｅＮＢ２１０は、−４．５［ｄＢ］≧Ｄｉｆｆである場合は、単位時間あたりの送信パケットの総エネルギの調整量として４倍を選択する。
【０１９３】
図１６Ｂに示すテーブル１６２０は、ＴＴＩバンドルサイズ／ＲＴＴ制御モードにおける、選択した単位時間あたりの送信パケットの総エネルギの調整量に基づく単位時間あたりの送信パケットの総エネルギの調整結果と、ｅＮＢ２１０が選択するＴＰＣコマンドと、の対応関係を示す。たとえば、ｅＮＢ２１０は、調整結果＜１．５Ｎである場合は、ＴＴＩバンドルサイズ＝１、ＲＴＴ＝８、かつ送信電力制御モードへの移行を示すＴＰＣコマンド＝“００”を選択する。
【０１９４】
また、ｅＮＢ２１０は、２．３３Ｎ＞調整結果≧１．５Ｎである場合は、ＴＴＩバンドルサイズ＝４、ＲＴＴ＝１６を示すＴＰＣコマンド＝“０１”を選択する。また、ｅＮＢ２１０は、３．３３Ｎ＞調整結果≧２．３３Ｎである場合は、ＴＴＩバンドルサイズ＝４、ＲＴＴ＝１２を示すＴＰＣコマンド＝“１０”を選択する。また、ｅＮＢ２１０は、調整結果≧３．３３Ｎである場合は、ＴＴＩバンドルサイズ＝４、ＲＴＴ＝８を示すＴＰＣコマンド＝“１１”を選択する。
【０１９５】
（実施の形態３にかかる無線通信システムの動作）
図１７は、実施の形態３にかかる無線通信システムの動作の一例を示すシーケンス図である。実施の形態３にかかる無線通信システム２００においては、たとえば以下の各ステップが行われる。
【０１９６】
まず、ｅＮＢ２１０が、ＵＥ２２０との間のＴＴＩバンドリングを有効化する（ステップＳ１７０１）。つぎに、ｅＮＢ２１０が、ＴＴＩバンドリングを有効にすることを指示する上位レイヤ制御信号（ＴＴＩバンドリング＝ＴＲＵＥ）をＵＥ２２０へ送信する（ステップＳ１７０２）。
【０１９７】
つぎに、ＵＥ２２０が、ｅＮＢ２１０との間のＴＴＩバンドリングを有効化する（ステップＳ１７０３）。図１７に示す例では、ＴＴＩバンドリングを有効化したｅＮＢ２１０およびＵＥ２２０は、初期モードとしてＴＴＩバンドルサイズ／ＲＴＴ制御モードになるとする。
【０１９８】
つぎに、ＵＥ２２０が、ｅＮＢ２１０へサウンディングＲＳを送信する（ステップＳ１７０４）。つぎに、ｅＮＢ２１０が、ステップＳ１７０４によって送信されたサウンディングＲＳに基づく受信品質を測定する（ステップＳ１７０５）。受信品質は、たとえば受信ＳＩＮＲである。図１７に示す例では、ｅＮＢ２１０は、ステップＳ１７０５によって測定した受信品質に基づいて、ＵＥ２２０のＲＴＴを８［ｍｓ］に変更させ、かつ送信電力制御モードへ移行することを決定したとする。
【０１９９】
つぎに、ｅＮＢ２１０が、ステップＳ１７０５によって測定した受信品質に基づくＵＬグラントをＵＥ２２０へ送信する（ステップＳ１７０６）。ステップＳ１７０６のＵＬグラントには、ＴＰＣコマンド＝“００”が含まれる。すなわち、ステップＳ１７０６のＵＬグラントは、ＲＴＴを８［ｍｓ］に設定し、送信電力制御モードに移行することを指示するＴＰＣコマンドを含む（たとえば図１５Ｂ参照）。
【０２００】
つぎに、ＵＥ２２０が、ステップＳ１７０６によって送信されたＵＬグラントに含まれるＴＰＣコマンドに基づいて、ＵＥ２２０のＴＴＩバンドルサイズを１ＴＴＩ、ＲＴＴを８［ｍｓ］に調整する（ステップＳ１７０７）。つぎに、ＵＥ２２０が、ステップＳ１７０６によって送信されたＵＬグラントによって指示された無線リソースにより、ＰＵＳＣＨおよびＰＨＲを送信する（ステップＳ１７０８）。ステップＳ１７０８におけるＰＵＳＣＨの送信は、ＰＵＳＣＨを１回だけ送信するＴＴＩバンドリングにより行われる。
【０２０１】
また、ステップＳ１７０６により、ｅＮＢ２１０およびＵＥ２２０は送信電力制御モードに移行する。
【０２０２】
つぎに、ＵＥ２２０が、ｅＮＢ２１０へサウンディングＲＳを送信する（ステップＳ１７０９）。つぎに、ｅＮＢ２１０が、ステップＳ１７０９によって送信されたサウンディングＲＳに基づく受信品質を測定する（ステップＳ１７１０）。図１７に示す例では、ｅＮＢ２１０は、ステップＳ１７１０によって測定した受信品質に基づいて、ＵＥ２２０の送信電力を３［ｄＢ］増加させることを決定したとする。
【０２０３】
つぎに、ｅＮＢ２１０が、ステップＳ１７１０によって測定した受信品質に基づくＵＬグラントをＵＥ２２０へ送信する（ステップＳ１７１１）。ステップＳ１７１１のＵＬグラントには、ＴＰＣコマンド＝“１１”が含まれる。すなわち、ステップＳ１７１１のＵＬグラントは、送信電力を３［ｄＢ］増加させることを指示するＴＰＣコマンドを含む（たとえば図１５Ａ参照）。
【０２０４】
つぎに、ＵＥ２２０が、ステップＳ１７１１によって送信されたＵＬグラントに含まれるＴＰＣコマンドに基づいて送信電力を３［ｄＢ］増加させるように調整する（ステップＳ１７１２）。ステップＳ１７１２によって、ＵＥ２２０の送信電力が最大送信電力に到達したとする。したがって、ＵＥ２２０のＰＨＲは０以下となる。
【０２０５】
つぎに、ＵＥ２２０が、ステップＳ１７１１によって送信されたＵＬグラントによって指示された無線リソースにより、ＰＵＳＣＨおよびＰＨＲを送信する（ステップＳ１７１３）。ステップＳ１７１３におけるＰＵＳＣＨの送信は、ＰＵＳＣＨを１回だけ送信するＴＴＩバンドリングにより行われる。
【０２０６】
ＵＥ２２０のＰＨＲが０［ｄＢ］以下になったことにより、ｅＮＢ２１０およびＵＥ２２０はＴＴＩバンドルサイズ／ＲＴＴ制御モードへ移行する。
【０２０７】
つぎに、ＵＥ２２０が、ｅＮＢ２１０へサウンディングＲＳを送信する（ステップＳ１７１４）。つぎに、ｅＮＢ２１０が、ステップＳ１７１４によって送信されたサウンディングＲＳに基づく受信品質を測定する（ステップＳ１７１５）。図１７に示す例では、ｅＮＢ２１０は、ステップＳ１７１４によって測定した受信品質に基づいて、ＵＥ２２０のＲＴＴを１６［ｍｓ］に変更することを決定したとする。
【０２０８】
つぎに、ｅＮＢ２１０が、ステップＳ１７１５によって測定した受信品質に基づくＵＬグラントをＵＥ２２０へ送信する（ステップＳ１７１６）。ステップＳ１７１６のＵＬグラントには、ＴＰＣコマンド＝“０１”が含まれる。すなわち、ステップＳ１７１６のＵＬグラントは、ＴＴＩバンドルサイズを４、ＲＴＴを１６［ｍｓ］に設定することを指示するＴＰＣコマンドを含む（たとえば図１５Ｂ参照）。
【０２０９】
つぎに、ＵＥ２２０が、ステップＳ１７１６によって送信されたＵＬグラントに含まれるＴＰＣコマンドに基づいて、ＴＴＩバンドルサイズを４ＴＴＩ、ＲＴＴを１６［ｍｓ］に調整する（ステップＳ１７１７）。つぎに、ＵＥ２２０が、ステップＳ１７１６によって送信されたＵＬグラントによって指示された無線リソースにより、ＰＵＳＣＨおよびＰＨＲを送信する（ステップＳ１７１８）。ステップＳ１７１８におけるＰＵＳＣＨの送信は、同一データを示すＰＵＳＣＨを４ＴＴＩだけ連続して送信するＴＴＩバンドリングにより行われる。
【０２１０】
なお、ステップＳ１７０４，Ｓ１７０９，Ｓ１７１４によるサウンディングＲＳの送信は、たとえばＵＥ２２０による周期的なサウンディングＲＳの送信であってもよい。
【０２１１】
（実施の形態３にかかるｅＮＢ）
図１８Ａは、実施の形態３にかかるｅＮＢの一例を示す図である。図１８Ｂは、図１８Ａに示したｅＮＢにおける信号の流れの一例を示す図である。図１８Ａ，図１８Ｂにおいて、図８Ａ，図８Ｂに示した部分と同様の部分については同一の符号を付して説明を省略する。図１８Ａ，図１８Ｂに示すように、実施の形態３にかかるｅＮＢ２１０は、図８Ａ，図８Ｂに示したＴＴＩバンドリングコマンド生成部８０６に代えて、ＴＴＩバンドリング／ＲＴＴコマンド生成部１８０１を備える。ＴＴＩバンドリング／ＲＴＴコマンド生成部１８０１は、たとえば図８Ｃに示したＣＰＵ８３１によって実現することができる。
【０２１２】
ＴＴＩバンドリング／ＲＴＴコマンド生成部１８０１は、モード切替制御部８１４からの切替結果に基づいて、ＴＴＩバンドルサイズ／ＲＴＴ制御モード時に、受信ＳＩＮＲ推定部８０４から出力された受信ＳＩＮＲを取得する。そして、ＴＴＩバンドリング／ＲＴＴコマンド生成部１８０１は、取得した受信ＳＩＮＲに基づくＵＥ２２０へのＴＴＩバンドリング／ＲＴＴコマンドを生成する。ＴＴＩバンドリングコマンドは、ＴＴＩバンドルサイズおよびＲＴＴを指示する情報である。ＴＴＩバンドリング／ＲＴＴコマンド生成部１８０１は、生成したＴＴＩバンドリング／ＲＴＴコマンドをＰＵＳＣＨスケジューラ８０７およびＵＬグラント生成部８０８へ出力する。
【０２１３】
モード切替制御部８１４は、ｅＮＢ２１０とＵＥ２２０との間のＴＴＩバンドリングが有効化されると、ＴＴＩバンドルサイズ／ＲＴＴ制御モードと送信電力制御モードとの切替制御を開始する。
【０２１４】
図１Ａ，図１Ｂに示した制御部１１２は、たとえば送信電力制御コマンド生成部８０５、ＴＴＩバンドリング／ＲＴＴコマンド生成部１８０１、ＵＬグラント生成部８０８、長区間受信品質判定部８０９およびモード切替制御部８１４により実現することができる。
【０２１５】
（実施の形態３にかかるＵＥ）
図１９Ａは、実施の形態３にかかるＵＥの一例を示す図である。図１９Ｂは、図１９Ａに示したＵＥにおける信号の流れの一例を示す図である。図１９Ａ，図１９Ｂにおいて、図９Ａ，図９Ｂに示した部分と同様の部分については同一の符号を付して説明を省略する。図１８Ａ，図１８Ｂに示すように、実施の形態３にかかるＵＥ２２０は、図９Ａ，図９Ｂに示したＴＴＩバンドリング制御部９０７に代えて、ＴＴＩバンドリング／ＲＴＴ制御部１９０１を備える。ＴＴＩバンドリング／ＲＴＴ制御部１９０１は、たとえば図９Ｃに示したＣＰＵ９３１によって実現することができる。
【０２１６】
モード切替制御部９０５は、ｅＮＢ２１０との間のＴＴＩバンドリングが有効化されると、ＴＴＩバンドルサイズ／ＲＴＴ制御モードと送信電力制御モードとの切替制御を開始する。たとえば、モード切替制御部９０５は、送信電力算出部９０６から出力されたＰＨＲが０以下である場合は、次回の送信からＴＴＩバンドルサイズ／ＲＴＴ制御モードに切り替える。
【０２１７】
ＴＴＩバンドリング／ＲＴＴ制御部１９０１は、モード切替制御部９０５から出力された切替結果に基づいて、ＴＴＩバンドルサイズ／ＲＴＴ制御モード時に、ＰＤＣＣＨ復調部９０４から出力されたＵＬグラントに格納されたＴＰＣコマンドを取得する。そして、ＴＴＩバンドリング／ＲＴＴ制御部１９０１は、取得したＴＰＣコマンドに基づくＴＴＩバンドルサイズおよびＲＴＴを決定し、決定したＴＴＩバンドルサイズおよびＲＴＴをＰＵＳＣＨスケジューラ９０８へ通知する。
【０２１８】
ＰＵＳＣＨスケジューラ９０８は、ＴＴＩバンドリング／ＲＴＴ制御部１９０１から出力されたＴＴＩバンドルサイズおよびＲＴＴによって連続送信および再送を行うようにＰＵＳＣＨのスケジューリングを行う。
【０２１９】
図１Ａ，図１Ｂに示した制御部１２２は、たとえばモード切替制御部９０５、送信電力算出部９０６およびＴＴＩバンドリング／ＲＴＴ制御部１９０１により実現することができる。
【０２２０】
（実施の形態３にかかるｅＮＢによる処理）
図２０Ａ〜図２０Ｃは、実施の形態３にかかるｅＮＢによる処理の一例を示すフローチャートである。実施の形態３にかかるｅＮＢ２１０は、たとえば図２０Ａ〜図２０Ｃに示す各ステップを実行する。図２０Ａ，図２０Ｂに示すステップＳ２００１〜Ｓ２０３１は、図１０Ａ，図１０Ｂに示したステップＳ１００１〜Ｓ１０３１と同様である。ただし、ステップＳ２０３０において、ｅＮＢ２１０は、ＴＴＩバンドルサイズ／ＲＴＴ制御モードへ移行する（ステップＳ２０３０）。
【０２２１】
また、ステップＳ２０１８において、ｅＮＢ２１０は、現在のモードがＴＴＩバンドルサイズ／ＲＴＴ制御モードであるか否かを判断する（ステップＳ２０１８）。モードがＴＴＩバンドルサイズ／ＲＴＴ制御モードでない場合（ステップＳ２０１８：Ｎｏ）は、ｅＮＢ２１０は、ステップＳ２０１９へ移行する。
【０２２２】
ステップＳ２０１８において、現在のモードがＴＴＩバンドルサイズ／ＲＴＴ制御モードである場合（ステップＳ２０１８：Ｙｅｓ）は、ｅＮＢ２１０は、ステップＳ２０３２へ移行する。すなわち、ｅＮＢ２１０は、ステップＳ２０１７によって測定した受信ＳＩＮＲと所定の目標値の差分に基づいて、ＵＥ２２０の単位時間あたりの送信パケットの総エネルギの調整量を決定する（ステップＳ２０３２）。
【０２２３】
つぎに、ｅＮＢ２１０は、ステップＳ２０３２によって決定した調整量に基づく調整後のＵＥ２２０の単位時間あたりの送信パケットの総エネルギが１．５Ｎ未満であるか否かを判断する（ステップＳ２０３３）。単位時間あたりの送信パケットの総エネルギが１．５Ｎ未満である場合（ステップＳ２０３３：Ｙｅｓ）は、ｅＮＢ２１０は、ＴＰＣコマンドに“００”を設定し（ステップＳ２０３４）、ステップＳ２０４０へ移行する。
【０２２４】
ステップＳ２０３３において、調整後の単位時間あたりの送信パケットの総エネルギが１．５Ｎ未満でない場合（ステップＳ２０３３：Ｎｏ）は、ｅＮＢ２１０は、調整後の単位時間あたりの送信パケットの総エネルギが１．５Ｎ以上かつ２．３３Ｎ未満であるか否かを判断する（ステップＳ２０３５）。調整後の単位時間あたりの送信パケットの総エネルギが１．５Ｎ以上かつ２．３３Ｎ未満である場合（ステップＳ２０３５：Ｙｅｓ）は、ｅＮＢ２１０は、ＴＰＣコマンドに“０１”を設定し（ステップＳ２０３６）、ステップＳ２０４０へ移行する。
【０２２５】
ステップＳ２０３５において、調整後の単位時間あたりの送信パケットの総エネルギが１．５Ｎ以上かつ２．３３Ｎ未満でない場合（ステップＳ２０３５：Ｎｏ）は、ｅＮＢ２１０は、調整後単位時間あたりの送信パケットの総エネルギが２．３３Ｎ以上かつ３．３３Ｎ未満であるか否かを判断する（ステップＳ２０３７）。調整後の単位時間あたりの送信パケットの総エネルギが２．３３Ｎ以上かつ３．３３Ｎ未満である場合（ステップＳ２０３７：Ｙｅｓ）は、ｅＮＢ２１０は、ＴＰＣコマンドに“１０”を設定し（ステップＳ２０３８）、ステップＳ２０４０へ移行する。
【０２２６】
ステップＳ２０３７において、調整後の単位時間あたりの送信パケットの総エネルギが２．３３Ｎ以上かつ３．３３Ｎ未満でない場合（ステップＳ２０３７：Ｎｏ）は、ｅＮＢ２１０は、ＴＰＣコマンドに“１１”を設定し（ステップＳ２０３９）、ステップＳ２０４０へ移行する。
【０２２７】
つぎに、ｅＮＢ２１０は、ステップＳ２０３３〜Ｓ２０３９によって設定したＴＰＣコマンドを格納したＵＬグラントをＵＥ２２０へ送信する（ステップＳ２０４０）。つぎに、ｅＮＢ２１０は、ステップＳ２０４０によって送信したＵＬグラントにより指示した無線リソースによって、ＵＥ２２０からのＰＵＳＣＨを受信する（ステップＳ２０４１）。つぎに、ｅＮＢ２１０は、ステップＳ２０３３〜Ｓ２０３９によって設定したＴＰＣコマンドが“００”であったか否かを判断する（ステップＳ２０４２）。
【０２２８】
ステップＳ２０４２において、ＴＰＣコマンドが“００”でなかった場合（ステップＳ２０４２：Ｎｏ）は、ｅＮＢ２１０は、ＴＴＩバンドルサイズ／ＲＴＴ制御モードを維持し（ステップＳ２０４３）、ステップＳ２０３１へ移行する。ＴＰＣコマンドが“００”であった場合（ステップＳ２０４２：Ｙｅｓ）は、ｅＮＢ２１０は、送信電力制御モードへ移行し（ステップＳ２０４４）、ステップＳ２０３１へ移行する。
【０２２９】
（実施の形態３にかかるＵＥによる処理）
図２１Ａ〜図２１Ｃは、実施の形態３にかかるＵＥによる処理の一例を示すフローチャートである。実施の形態３にかかるＵＥ２２０は、たとえば図２１Ａ〜図２１Ｃに示す各ステップを実行する。図２１Ａ，図２１Ｂに示すステップＳ２１０１〜Ｓ２１３０は、図１１Ａ，図１１Ｂに示したステップＳ１１０１〜Ｓ１１３０と同様である。ただし、ステップＳ２１２８において、ＵＥ２２０は、ＴＴＩバンドルサイズ／ＲＴＴ制御モードへ移行する（ステップＳ２１２８）。
【０２３０】
また、ステップＳ２１１７において、ＵＥ２２０は、現在のモードがＴＴＩバンドルサイズ／ＲＴＴ制御モードであるか否かを判断する（ステップＳ２１１７）。ＴＴＩバンドルサイズ／ＲＴＴ制御モードでなく送信電力制御モードである場合（ステップＳ２１１７：Ｎｏ）は、ＵＥ２２０は、ステップＳ２１１８へ移行する。ＴＴＩバンドルサイズ／ＲＴＴ制御モードである場合（ステップＳ２１１７：Ｙｅｓ）は、ＵＥ２２０は、ステップＳ２１１６によって受信したＵＬグラントに格納されたＴＰＣコマンドが“００”であるか否かを判断する（ステップＳ２１３１）。ＴＰＣコマンドが“００”である場合（ステップＳ２１３１：Ｙｅｓ）は、ＵＥ２２０は、ＴＴＩバンドルサイズが１、ＲＴＴが８であると判定し（ステップＳ２１３２）、ステップＳ２１３８へ移行する。
【０２３１】
ステップＳ２１３１において、ＴＰＣコマンドが“００”でない場合（ステップＳ２１３１：Ｎｏ）は、ＵＥ２２０は、ＴＰＣコマンドが“０１”であるか否かを判断する（ステップＳ２１３３）。ＴＰＣコマンドが“０１”である場合（ステップＳ２１３３：Ｙｅｓ）は、ＵＥ２２０は、ＴＴＩバンドルサイズが４、ＲＴＴが１６であると判定し（ステップＳ２１３４）、ステップＳ２１３８へ移行する。
【０２３２】
ステップＳ２１３３において、ＴＰＣコマンドが“０１”でない場合（ステップＳ２１３３：Ｎｏ）は、ＵＥ２２０は、ＴＰＣコマンドが“１０”であるか否かを判断する（ステップＳ２１３５）。ＴＰＣコマンドが“１０”である場合（ステップＳ２１３５：Ｙｅｓ）は、ＵＥ２２０は、ＴＴＩバンドルサイズが４、ＲＴＴが１２であると判定し（ステップＳ２１３６）、ステップＳ２１３８へ移行する。
【０２３３】
ステップＳ２１３５において、ＴＰＣコマンドが“１０”でない場合（ステップＳ２１３５：Ｎｏ）は、ＵＥ２２０は、ＴＴＩバンドルサイズが４、ＲＴＴが８であると判定し（ステップＳ２１３７）、ステップＳ２１３８へ移行する。
【０２３４】
つぎに、ＵＥ２２０は、ステップＳ２１３１〜Ｓ２１３７によって判定したＴＴＩバンドルサイズおよびＲＴＴによってＴＴＩバンドルサイズおよびＲＴＴを調整する（ステップＳ２１３８）。つぎに、ＵＥ２２０は、ステップＳ２１１６によって受信したＵＬグラントに格納されたＴＰＣコマンドが“００”であったか否かを判断する（ステップＳ２１３９）。
【０２３５】
ステップＳ２１３９において、ＴＰＣコマンドが“００”でなかった場合（ステップＳ２１３９：Ｎｏ）は、ＵＥ２２０は、ＴＴＩバンドルサイズ／ＲＴＴ制御モードを維持し（ステップＳ２１４０）、ステップＳ２１２９へ移行する。ＴＰＣコマンドが“００”であった場合（ステップＳ２１３９：Ｙｅｓ）は、ＵＥ２２０は、送信電力制御モードへ移行し（ステップＳ２１４１）、ステップＳ２１２９へ移行する。
【０２３６】
このように、実施の形態３によれば、ＵＥ２２０の送信電力制御に用いられるＵＬグラントのＴＰＣコマンドを用いて、ＵＥ２２０のＴＴＩバンドルサイズとＲＴＴとの組み合わせを通知することができる。これにより、ＵＥ２２０のＴＴＩバンドルサイズおよびＲＴＴを可変としつつ、ｅＮＢ２１０からＵＥ２２０へのＴＴＩバンドルサイズおよびＲＴＴの通知に伴う制御情報のオーバーヘッドの増加を抑えることができる。
【０２３７】
また、ＴＴＩバンドルサイズ／ＲＴＴ制御モードにおいて、ＴＰＣコマンドを用いてＴＴＩバンドルサイズとＲＴＴとの組み合わせを制御する場合について説明したが、ＲＴＴのみを制御（ＴＴＩバンドルサイズは固定）するようにしてもよい。この場合も、ＵＥ２２０のＲＴＴを可変としつつ、ｅＮＢ２１０からＵＥ２２０へのＲＴＴの通知に伴う制御情報のオーバーヘッドの増加を抑えることができる。
【０２３８】
（実施の形態４）
実施の形態４について、実施の形態２と異なる部分について説明する。
【０２３９】
（ＨＡＲＱプロセス数の変更）
図２２は、ＨＡＲＱプロセス数の変更の一例を示す図である。図２２において、横軸は時間（サブフレーム）を示す。図２２に示す例では、ＵＥ２２０は、新規送信２２１１において、ＨＡＲＱプロセス＃０によって同一の新規データ（トランスポートブロック＃０）を示すパケットを４回連続してｅＮＢ２１０へ送信するＴＴＩバンドリングを行っている。また、ＵＥ２２０は、新規送信２２２１において、ＨＡＲＱプロセス＃１によって同一の新規データを示すパケットを４回連続してｅＮＢ２１０へ送信するＴＴＩバンドリングを行っている。また、新規送信２２１１，２２２１は同一の新規データの送信である。
【０２４０】
また、ＵＥ２２０は、再送２２１２において、ＨＡＲＱプロセス＃０によって、新規送信２２１１と同一のデータを示すパケットを４回連続してｅＮＢ２１０へ送信するＴＴＩバンドリングを行っている。ＵＥ２２０は、再送２２２２において、ＨＡＲＱプロセス＃１によって、新規送信２２２１と同一のデータを示すパケットを４回連続してｅＮＢ２１０へ送信するＴＴＩバンドリングを行っている。したがって、再送２２１２，２２２２は同一の再送データの送信である。
【０２４１】
また、ＵＥ２２０は、再送２２１３において、ＨＡＲＱプロセス＃０によって、新規送信２２１１と同一のデータを示すパケットを４回連続してｅＮＢ２１０へ送信するＴＴＩバンドリングを行っている。ＵＥ２２０は、再送２２２３において、ＨＡＲＱプロセス＃１によって、新規送信２２２１と同一のデータを示すパケットを４回連続してｅＮＢ２１０へ送信するＴＴＩバンドリングを行っている。したがって、再送２２１３，２２２３は同一の再送データの送信である。
【０２４２】
後述のＬＴＥのＡｌｔ．６．２においては、図２２に示すように、同一信号を複数（図２２に示す例では２個）のＨＡＲＱプロセスで送信することが検討されている。これに対して、実施の形態４にかかる無線通信システム２００においては、ＨＡＲＱプロセス数を可変とする。ＨＡＲＱプロセス数は、ＴＴＩバンドリングによるデータの送信を同一のデータについて行うＨＡＲＱのプロセスの数である。
【０２４３】
このために、ｅＮＢ２１０は、制御信号を用いてＵＥ２２０にＨＡＲＱプロセス数を通知する。この際に、ｅＮＢ２１０は、たとえばＵＬグラントに格納するＴＰＣコマンドを用いてＵＥ２２０にＨＡＲＱプロセス数を通知する。ＵＥ２２０は、ｅＮＢ２１０から受信したＵＬグラントに格納されたＴＰＣコマンドに基づいてＨＡＲＱプロセス数を調整する。たとえば上位レイヤの制御によってｅＮＢ２１０とＵＥ２２０との間のＴＴＩバンドリングが有効化された場合に、ｅＮＢ２１０およびＵＥ２２０は、送信電力制御モードと、ＴＴＩバンドルサイズ／ＨＡＲＱプロセス数制御モードと、に切り替え可能な状態となる。
【０２４４】
たとえば、送信電力制御モードにおいては、ＵＥ２２０は、ＵＥ２２０のＨＡＲＱプロセス数を１（最小値）に固定する。そして、ｅＮＢ２１０は、ＴＰＣコマンドを用いてＵＥ２２０に送信電力を通知する。また、ＵＥ２２０は、ＴＰＣコマンドに基づいてＵＥ２２０の送信電力を調整する。
【０２４５】
一方、ＴＴＩバンドルサイズ／ＨＡＲＱプロセス数制御モードにおいては、ＵＥ２２０は、ＵＥ２２０の送信電力を最大値に固定する。そして、ｅＮＢ２１０は、ＴＰＣコマンドを用いてＵＥ２２０にＨＡＲＱプロセス数を通知する。また、ＵＥ２２０は、ＴＰＣコマンドに基づいてＵＥ２２０のＨＡＲＱプロセス数を調整する。
【０２４６】
このように、ＨＡＲＱプロセス数を固定する送信電力制御モードと、送信電力を固定するＴＴＩバンドルサイズ／ＨＡＲＱプロセス数制御モードと、を切り替えることができる。したがって、送信電力を制御するためのＴＰＣコマンドを用いてＨＡＲＱプロセス数の制御も行うことができる。これにより、ＵＥ２２０のＨＡＲＱプロセス数を可変とする場合の制御情報のオーバーヘッドの増加を抑えることができる。このため、無線チャネルの変動に追従してＨＡＲＱプロセス数を制御可能にしつつ、制御情報のオーバーヘッドの増加を抑えることができる。
【０２４７】
（ＵＬグラントのビットマップの第１例）
図２３Ａは、送信電力制御モードにおけるＵＬグラントのビットマップの第１例を示す図である。図２３Ａに示すテーブル２３１０は、送信電力制御モードにおける、ＴＰＣコマンドと、ＴＰＣコマンドによる通知内容と、の対応関係を示す。
【０２４８】
たとえば、送信電力制御モードにおけるＴＰＣコマンド＝“００”は、ＴＴＩバンドルサイズ／ＨＡＲＱプロセス数制御モードに移行することを示す。また、送信電力制御モードにおけるＴＰＣコマンド＝“０１”は、ＴＴＩバンドルサイズを１に維持し、送信電力増分を−１［ｄＢ］とすることを示す。
【０２４９】
また、送信電力制御モードにおけるＴＰＣコマンド＝“１０”は、ＴＴＩバンドルサイズを１に維持し、送信電力増分を０［ｄＢ］（変化なし）とすることを示す。また、送信電力制御モードにおけるＴＰＣコマンド＝“１１”は、ＴＴＩバンドルサイズを１に維持し、送信電力増分を１［ｄＢ］とすることを示す。また、送信電力制御モードにおける各ＴＰＣコマンドは、さらにＨＡＲＱプロセス数を１のまま維持することを示してもよい。
【０２５０】
図２３Ｂは、ＴＴＩバンドルサイズ／ＨＡＲＱプロセス数制御モードにおけるＵＬグラントのビットマップの第１例を示す図である。図２３Ｂに示すテーブル２３２０は、ＴＴＩバンドルサイズ／ＨＡＲＱプロセス数制御モードにおける、ＴＰＣコマンドと、ＴＰＣコマンドによる通知内容と、の対応関係を示す。
【０２５１】
たとえば、ＴＴＩバンドルサイズ／ＨＡＲＱプロセス数制御モードにおけるＴＰＣコマンド＝“００”は、ＴＴＩバンドルサイズを１とし、送信電力制御モードに移行することを示す。また、ＴＴＩバンドルサイズ／ＨＡＲＱプロセス数制御モードにおけるＴＰＣコマンド＝“００”は、さらにＨＡＲＱプロセス数を１とすることを示してもよい。
【０２５２】
また、ＴＴＩバンドルサイズ／ＨＡＲＱプロセス数制御モードにおけるＴＰＣコマンド＝“０１”は、ＴＴＩバンドルサイズを４とし、ＨＡＲＱプロセス数を１とすることを示す。また、ＴＴＩバンドルサイズ／ＨＡＲＱプロセス数制御モードにおけるＴＰＣコマンド＝“１０”は、ＴＴＩバンドルサイズを４とし、ＨＡＲＱプロセス数を２とすることを示す。また、ＴＴＩバンドルサイズ／ＨＡＲＱプロセス数制御モードにおけるＴＰＣコマンド＝“１１”は、ＴＴＩバンドルサイズを４とし、ＨＡＲＱプロセス数を４とすることを示す。
【０２５３】
（ＵＬグラントのビットマップの第２例）
図２４Ａは、送信電力制御モードにおけるＵＬグラントのビットマップの第２例を示す図である。図２４Ａに示すテーブル２４１０は、送信電力制御モードにおける、ＴＰＣコマンドと、ＴＰＣコマンドによる通知内容と、の対応関係を示す。
【０２５４】
たとえば、送信電力制御モードにおけるＴＰＣコマンド＝“００”は、ＴＴＩバンドルサイズを１に維持し、送信電力増分を−１［ｄＢ］とすることを示す。また、送信電力制御モードにおけるＴＰＣコマンド＝“０１”は、ＴＴＩバンドルサイズを１に維持し、送信電力増分を０［ｄＢ］とすることを示す。
【０２５５】
また、送信電力制御モードにおけるＴＰＣコマンド＝“１０”は、ＴＴＩバンドルサイズを１に維持し、送信電力増分を１［ｄＢ］とすることを示す。また、送信電力制御モードにおけるＴＰＣコマンド＝“１１”は、ＴＴＩバンドルサイズを８に維持し、送信電力増分を３［ｄＢ］とすることを示す。また、送信電力制御モードにおける各ＴＰＣコマンドは、さらにＨＡＲＱプロセス数を１のまま維持することを示してもよい。
【０２５６】
このように、ＴＴＩバンドルサイズ／ＨＡＲＱプロセス数制御モードへの移行をＴＰＣコマンドによって明示的に通知しなくてもよい。この場合は、ｅＮＢ２１０およびＵＥ２２０は、たとえばＰＨＲに基づいてＴＴＩバンドルサイズ／ＨＡＲＱプロセス数制御モードへの移行を判断することができる。これにより、ＴＰＣコマンドによって指示可能な送信電力増分の種類が増えるため、より柔軟なＵＥ２２０の送信電力の制御が可能になる。
【０２５７】
たとえば、ｅＮＢ２１０は、ＵＥ２２０から受信したＰＨＲが０以下である場合にＴＴＩバンドルサイズ／ＨＡＲＱプロセス数制御モードへ移行する。また、ＵＥ２２０は、ｅＮＢ２１０へ送信するＰＨＲが０以下である場合にＴＴＩバンドルサイズ／ＨＡＲＱプロセス数制御モードへ移行する。これにより、送信電力制御モードにおいて、ＵＥ２２０の送信電力が最大値に達する場合にＴＴＩバンドルサイズ／ＨＡＲＱプロセス数制御モードへ移行することができる。
【０２５８】
図２４Ｂは、ＴＴＩバンドルサイズ／ＨＡＲＱプロセス数制御モードにおけるＵＬグラントのビットマップの第２例を示す図である。図２４Ｂに示すテーブル２４２０は、ＴＴＩバンドルサイズ／ＨＡＲＱプロセス数制御モード、すなわちＵＥ２２０の送信電力が最大値に達している場合（最大送信電力時）における、ＴＰＣコマンドと、ＴＰＣコマンドによる通知内容と、の対応関係を示す。図２４Ｂに示すテーブル２４２０は、たとえば図２３Ｂに示したテーブル２３２０と同様にすることができる。以下、実施の形態４について、図２４Ａ，図２４Ｂに示したＵＬグラントのビットマップ（第２例）を用いる場合について説明する。
【０２５９】
（送信電力制御コマンド決定方法）
送信電力制御モードにおける送信電力制御コマンド決定方法については、たとえば図６Ａに示した送信電力制御コマンド決定方法と同様である。
【０２６０】
図２５Ａおよび図２５Ｂは、ＴＴＩバンドルサイズ／ＨＡＲＱプロセス数制御モードにおける送信電力制御コマンド決定方法の一例を示す図である。図２５Ａに示すテーブル２５１０は、ＴＴＩバンドルサイズ／ＨＡＲＱプロセス数制御モードにおける、受信ＳＩＮＲの測定値の目標値との差分Ｄｉｆｆに関する条件と、ｅＮＢ２１０が選択するＨＡＲＱプロセス数の調整量と、の対応関係を示す。
【０２６１】
たとえば、ｅＮＢ２１０は、Ｄｉｆｆ＞７．５［ｄＢ］である場合は、ＨＡＲＱプロセス数の調整量として１／８倍を選択する。また、ｅＮＢ２１０は、７．５［ｄＢ］≧Ｄｉｆｆ＞４．５［ｄＢ］である場合は、ＨＡＲＱプロセス数の調整量として１／４倍を選択する。また、ｅＮＢ２１０は、４．５［ｄＢ］≧Ｄｉｆｆ＞１．５［ｄＢ］である場合は、ＨＡＲＱプロセス数の調整量として１／２倍を選択する。
【０２６２】
また、ｅＮＢ２１０は、１．５［ｄＢ］≧Ｄｉｆｆ＞−１．５［ｄＢ］である場合は、ＨＡＲＱプロセス数の調整量として１倍（変化なし）を選択する。また、ｅＮＢ２１０は、−１．５［ｄＢ］≧Ｄｉｆｆ＞−４．５［ｄＢ］である場合は、ＨＡＲＱプロセス数の調整量として２倍を選択する。また、ｅＮＢ２１０は、−４．５［ｄＢ］≧Ｄｉｆｆ＞−７．５［ｄＢ］である場合は、ＨＡＲＱプロセス数の調整量として４倍を選択する。また、ｅＮＢ２１０は、−７．５［ｄＢ］≧Ｄｉｆｆである場合は、ＨＡＲＱプロセス数の調整量として８倍を選択する。
【０２６３】
図２５Ｂに示すテーブル２５２０は、ＴＴＩバンドルサイズ／ＨＡＲＱプロセス数制御モードにおける、選択したＨＡＲＱプロセス数の調整量に基づくＨＡＲＱプロセス数の調整結果と、ｅＮＢ２１０が選択するＴＰＣコマンドと、の対応関係を示す。たとえば、ｅＮＢ２１０は、調整結果＜１である場合は、ＴＴＩバンドルサイズ＝１、ＨＡＲＱプロセス数＝１かつ送信電力制御モードへの移行を示すＴＰＣコマンド＝“００”を選択する。
【０２６４】
また、ｅＮＢ２１０は、調整結果＝１である場合は、ＴＴＩバンドルサイズ＝４、ＨＡＲＱプロセス数＝１を示すＴＰＣコマンド＝“０１”を選択する。また、ｅＮＢ２１０は、調整結果＝２である場合は、ＴＴＩバンドルサイズ＝４、ＨＡＲＱプロセス数＝２を示すＴＰＣコマンド＝“１０”を選択する。また、ｅＮＢ２１０は、調整結果≧４である場合は、ＴＴＩバンドルサイズ＝４、ＨＡＲＱプロセス数＝４を示すＴＰＣコマンド＝“１１”を選択する。
【０２６５】
（実施の形態４にかかる無線通信システムの動作）
図２６は、実施の形態４にかかる無線通信システムの動作の一例を示すシーケンス図である。実施の形態４にかかる無線通信システム２００においては、たとえば以下の各ステップが行われる。
【０２６６】
まず、ｅＮＢ２１０が、ＵＥ２２０との間のＴＴＩバンドリングを有効化する（ステップＳ２６０１）。つぎに、ｅＮＢ２１０が、ＴＴＩバンドリングを有効にすることを指示する上位レイヤ制御信号（ＴＴＩバンドリング＝ＴＲＵＥ）をＵＥ２２０へ送信する（ステップＳ２６０２）。
【０２６７】
つぎに、ＵＥ２２０が、ｅＮＢ２１０との間のＴＴＩバンドリングを有効化する（ステップＳ２６０３）。図２６に示す例では、ＴＴＩバンドリングを有効化したｅＮＢ２１０およびＵＥ２２０は、初期モードとしてＴＴＩバンドルサイズ／ＨＡＲＱプロセス数制御モードになるとする。
【０２６８】
つぎに、ＵＥ２２０が、ｅＮＢ２１０へサウンディングＲＳを送信する（ステップＳ２６０４）。つぎに、ｅＮＢ２１０が、ステップＳ２６０４によって送信されたサウンディングＲＳに基づく受信品質を測定する（ステップＳ２６０５）。受信品質は、たとえば受信ＳＩＮＲである。図２６に示す例では、ｅＮＢ２１０は、ステップＳ２６０５によって測定した受信品質に基づいて、ＵＥ２２０のＨＡＲＱプロセス数を１に変更させ、かつ送信電力制御モードに移行することを決定したとする。
【０２６９】
つぎに、ｅＮＢ２１０が、ステップＳ２６０５によって測定した受信品質に基づくＵＬグラントをＵＥ２２０へ送信する（ステップＳ２６０６）。ステップＳ２６０６のＵＬグラントには、ＴＰＣコマンド＝“００”が含まれる。すなわち、ステップＳ２６０６のＵＬグラントは、ＴＴＩバンドルサイズを１、ＨＡＲＱプロセス数を１に設定し、送信電力制御モードに移行することを指示するＴＰＣコマンドを含む（たとえば図２４Ｂ参照）。
【０２７０】
つぎに、ＵＥ２２０が、ステップＳ２６０６によって送信されたＵＬグラントに含まれるＴＰＣコマンドに基づいて、ＵＥ２２０のＴＴＩバンドルサイズを１ＴＴＩ、ＨＡＲＱプロセス数を１に調整する（ステップＳ２６０７）。つぎに、ＵＥ２２０が、ステップＳ２６０６によって送信されたＵＬグラントによって指示された無線リソースにより、ＰＵＳＣＨおよびＰＨＲを送信する（ステップＳ２６０８）。ステップＳ２６０８におけるＰＵＳＣＨの送信は、ＰＵＳＣＨを１回だけ送信するＴＴＩバンドリングにより行われる。
【０２７１】
また、ステップＳ２６０６により、ｅＮＢ２１０およびＵＥ２２０は送信電力制御モードに移行する。
【０２７２】
つぎに、ＵＥ２２０が、ｅＮＢ２１０へサウンディングＲＳを送信する（ステップＳ２６０９）。つぎに、ｅＮＢ２１０が、ステップＳ２６０９によって送信されたサウンディングＲＳに基づく受信品質を測定する（ステップＳ２６１０）。図２６に示す例では、ｅＮＢ２１０は、ステップＳ２６１０によって測定した受信品質に基づいて、ＵＥ２２０の送信電力を３［ｄＢ］増加させることを決定したとする。
【０２７３】
つぎに、ｅＮＢ２１０が、ステップＳ２６１０によって測定した受信品質に基づくＵＬグラントをＵＥ２２０へ送信する（ステップＳ２６１１）。ステップＳ２６１１のＵＬグラントには、ＴＰＣコマンド＝“１１”が含まれる。すなわち、ステップＳ２６１１のＵＬグラントは、送信電力を３［ｄＢ］増加させることを指示するＴＰＣコマンドを含む（たとえば図２４Ａ参照）。
【０２７４】
つぎに、ＵＥ２２０が、ステップＳ２６１１によって送信されたＵＬグラントに含まれるＴＰＣコマンドに基づいて送信電力を３［ｄＢ］増加させるように調整する（ステップＳ２６１２）。ステップＳ２６１２によって、ＵＥ２２０の送信電力が最大送信電力に到達したとする。したがって、ＵＥ２２０のＰＨＲは０以下となる。
【０２７５】
つぎに、ＵＥ２２０が、ステップＳ２６１１によって送信されたＵＬグラントによって指示された無線リソースにより、ＰＵＳＣＨおよびＰＨＲを送信する（ステップＳ２６１３）。ステップＳ２６１３におけるＰＵＳＣＨの送信は、ＰＵＳＣＨを１回だけ送信するＴＴＩバンドリングにより行われる。
【０２７６】
ＵＥ２２０のＰＨＲが０［ｄＢ］以下になったことにより、ｅＮＢ２１０およびＵＥ２２０はＴＴＩバンドルサイズ／ＨＡＲＱプロセス数制御モードへ移行する。
【０２７７】
つぎに、ＵＥ２２０が、ｅＮＢ２１０へサウンディングＲＳを送信する（ステップＳ２６１４）。つぎに、ｅＮＢ２１０が、ステップＳ２６１４によって送信されたサウンディングＲＳに基づく受信品質を測定する（ステップＳ２６１５）。図２６に示す例では、ｅＮＢ２１０は、ステップＳ２６１４によって測定した受信品質に基づいて、ＵＥ２２０のＨＡＲＱプロセス数を１に変更することを決定したとする。
【０２７８】
つぎに、ｅＮＢ２１０が、ステップＳ２６１５によって測定した受信品質に基づくＵＬグラントをＵＥ２２０へ送信する（ステップＳ２６１６）。ステップＳ２６１６のＵＬグラントには、ＴＰＣコマンド＝“０１”が含まれる。すなわち、ステップＳ２６１６のＵＬグラントは、ＴＴＩバンドルサイズを４、ＨＡＲＱプロセス数を１に設定することを指示するＴＰＣコマンドを含む（たとえば図２４Ｂ参照）。
【０２７９】
つぎに、ＵＥ２２０が、ステップＳ２６１６によって送信されたＵＬグラントに含まれるＴＰＣコマンドに基づいて、ＴＴＩバンドルサイズを４ＴＴＩ、ＨＡＲＱプロセス数を１に調整する（ステップＳ２６１７）。つぎに、ＵＥ２２０が、ステップＳ２６１６によって送信されたＵＬグラントによって指示された無線リソースにより、ＰＵＳＣＨおよびＰＨＲを送信する（ステップＳ２６１８）。ステップＳ２６１８におけるＰＵＳＣＨの送信は、同一データを示すＰＵＳＣＨを４ＴＴＩだけ連続して送信するＴＴＩバンドリングにより行われる。
【０２８０】
なお、ステップＳ２６０４，Ｓ２６０９，Ｓ２６１４によるサウンディングＲＳの送信は、たとえばＵＥ２２０による周期的なサウンディングＲＳの送信であってもよい。
【０２８１】
（実施の形態４にかかるｅＮＢ）
図２７Ａは、実施の形態４にかかるｅＮＢの一例を示す図である。図２７Ｂは、図２７Ａに示したｅＮＢにおける信号の流れの一例を示す図である。図２７Ａ，図２７Ｂにおいて、図８Ａ，図８Ｂに示した部分と同様の部分については同一の符号を付して説明を省略する。図２７Ａ，図２７Ｂに示すように、実施の形態４にかかるｅＮＢ２１０は、図８Ａ，図８Ｂに示したＴＴＩバンドリングコマンド生成部８０６に代えて、ＴＴＩバンドリング／ＨＡＲＱプロセス数コマンド生成部２７０１を備える。ＴＴＩバンドリング／ＨＡＲＱプロセス数コマンド生成部２７０１は、たとえば図８Ｃに示したＣＰＵ８３１によって実現することができる。
【０２８２】
ＴＴＩバンドリング／ＨＡＲＱプロセス数コマンド生成部２７０１は、モード切替制御部８１４からの切替結果に基づいて、ＴＴＩバンドルサイズ／ＨＡＲＱプロセス数制御モード時に、受信ＳＩＮＲ推定部８０４から出力された受信ＳＩＮＲを取得する。そして、ＴＴＩバンドリング／ＨＡＲＱプロセス数コマンド生成部２７０１は、取得した受信ＳＩＮＲに基づくＵＥ２２０へのＴＴＩバンドリング／ＨＡＲＱプロセス数コマンドを生成する。ＴＴＩバンドリング／ＨＡＲＱプロセス数コマンドは、ＴＴＩバンドルサイズおよびＨＡＲＱプロセス数を指示する情報である。ＴＴＩバンドリング／ＨＡＲＱプロセス数コマンド生成部２７０１は、生成したＴＴＩバンドリング／ＨＡＲＱプロセス数コマンドをＰＵＳＣＨスケジューラ８０７およびＵＬグラント生成部８０８へ出力する。
【０２８３】
モード切替制御部８１４は、ｅＮＢ２１０とＵＥ２２０との間のＴＴＩバンドリングが有効化されると、ＴＴＩバンドルサイズ／ＨＡＲＱプロセス数制御モードと送信電力制御モードとの切替制御を開始する。
【０２８４】
図１Ａ，図１Ｂの制御部１１２は、送信電力制御コマンド生成部８０５、ＴＴＩバンドリング／ＨＡＲＱプロセス数コマンド生成部２７０１、ＵＬグラント生成部８０８、長区間受信品質判定部８０９およびモード切替制御部８１４などで実現することができる。
【０２８５】
（実施の形態４にかかるＵＥ）
図２８Ａは、実施の形態４にかかるＵＥの一例を示す図である。図２８Ｂは、図２８Ａに示したＵＥにおける信号の流れの一例を示す図である。図２８Ａ，図２８Ｂにおいて、図９Ａ，図９Ｂに示した部分と同様の部分については同一の符号を付して説明を省略する。図２７Ａ，図２７Ｂに示すように、実施の形態４にかかるＵＥ２２０は、図９Ａ，図９Ｂに示したＴＴＩバンドリング制御部９０７に代えて、ＴＴＩバンドリング／ＨＡＲＱプロセス数制御部２８０１を備える。ＴＴＩバンドリング／ＨＡＲＱプロセス数制御部２８０１は、たとえば図９Ｃに示したＣＰＵ９３１によって実現することができる。
【０２８６】
モード切替制御部９０５は、ｅＮＢ２１０との間のＴＴＩバンドリングが有効化されると、ＴＴＩバンドルサイズ／ＨＡＲＱプロセス数制御モードと送信電力制御モードとの切替制御を開始する。たとえば、モード切替制御部９０５は、送信電力算出部９０６から出力されたＰＨＲが０以下である場合は、次回の送信からＴＴＩバンドルサイズ／ＨＡＲＱプロセス数制御モードに切り替える。
【０２８７】
ＴＴＩバンドリング／ＨＡＲＱプロセス数制御部２８０１は、モード切替制御部９０５から出力された切替結果に基づいて、ＴＴＩバンドルサイズ／ＨＡＲＱプロセス数制御モード時に、ＴＴＩバンドルサイズおよびＨＡＲＱプロセス数を決定する。具体的には、ＴＴＩバンドリング／ＨＡＲＱプロセス数制御部２８０１は、ＰＤＣＣＨ復調部９０４から出力されたＵＬグラントに格納されたＴＰＣコマンドに基づくＴＴＩバンドルサイズおよびＨＡＲＱプロセス数を決定する。そして、ＴＴＩバンドリング／ＨＡＲＱプロセス数制御部２８０１は、決定したＴＴＩバンドルサイズおよびＨＡＲＱプロセス数をＰＵＳＣＨスケジューラ９０８へ通知する。
【０２８８】
ＰＵＳＣＨスケジューラ９０８は、ＴＴＩバンドリング／ＨＡＲＱプロセス数制御部２８０１から出力されたＴＴＩバンドルサイズおよびＨＡＲＱプロセス数によって連続送信およびＨＡＲＱを行うようにＰＵＳＣＨのスケジューリングを行う。
【０２８９】
図１Ａ，図１Ｂに示した制御部１２２は、たとえばモード切替制御部９０５、送信電力算出部９０６およびＴＴＩバンドリング／ＨＡＲＱプロセス数制御部２８０１により実現することができる。
【０２９０】
（実施の形態４にかかるｅＮＢによる処理）
図２９Ａ〜図２９Ｃは、実施の形態４にかかるｅＮＢによる処理の一例を示すフローチャートである。実施の形態４にかかるｅＮＢ２１０は、たとえば図２９Ａ〜図２９Ｃに示す各ステップを実行する。図２９Ａ，図２９Ｂに示すステップＳ２９０１〜Ｓ２９３１は、図１０Ａ，図１０Ｂに示したステップＳ１００１〜Ｓ１０３１と同様である。ただし、ステップＳ２９３０において、ｅＮＢ２１０は、ＴＴＩバンドルサイズ／ＨＡＲＱプロセス数制御モードへ移行する（ステップＳ２９３０）。
【０２９１】
また、ステップＳ２９１８において、ｅＮＢ２１０は、現在のモードがＴＴＩバンドルサイズ／ＨＡＲＱプロセス数制御モードであるか否かを判断する（ステップＳ２９１８）。モードがＴＴＩバンドルサイズ／ＨＡＲＱプロセス数制御モードでない場合（ステップＳ２９１８：Ｎｏ）は、ｅＮＢ２１０は、ステップＳ２９１９へ移行する。
【０２９２】
ステップＳ２９１８において、現在のモードがＴＴＩバンドルサイズ／ＨＡＲＱプロセス数制御モードである場合（ステップＳ２９１８：Ｙｅｓ）は、ｅＮＢ２１０は、ステップＳ２９３２へ移行する。すなわち、ｅＮＢ２１０は、ステップＳ２９１７によって測定した受信ＳＩＮＲと所定の目標値の差分に基づいて、ＵＥ２２０のＨＡＲＱプロセス数の調整量を決定する（ステップＳ２９３２）。
【０２９３】
つぎに、ｅＮＢ２１０は、ステップＳ２９３２によって決定した調整量に基づく調整後のＵＥ２２０のＨＡＲＱプロセス数が１未満であるか否かを判断する（ステップＳ２９３３）。ＨＡＲＱプロセス数が１未満である場合（ステップＳ２９３３：Ｙｅｓ）は、ｅＮＢ２１０は、ＴＰＣコマンドに“００”を設定し（ステップＳ２９３４）、ステップＳ２９４０へ移行する。
【０２９４】
ステップＳ２９３３において、調整後のＨＡＲＱプロセス数が１未満でない場合（ステップＳ２９３３：Ｎｏ）は、ｅＮＢ２１０は、調整後のＨＡＲＱプロセス数が１であるか否かを判断する（ステップＳ２９３５）。調整後のＨＡＲＱプロセス数が１である場合（ステップＳ２９３５：Ｙｅｓ）は、ｅＮＢ２１０は、ＴＰＣコマンドに“０１”を設定し（ステップＳ２９３６）、ステップＳ２９４０へ移行する。
【０２９５】
ステップＳ２９３５において、調整後のＨＡＲＱプロセス数が１でない場合（ステップＳ２９３５：Ｎｏ）は、ｅＮＢ２１０は、調整後のＨＡＲＱプロセス数が２であるか否かを判断する（ステップＳ２９３７）。調整後のＨＡＲＱプロセス数が２である場合（ステップＳ２９３７：Ｙｅｓ）は、ｅＮＢ２１０は、ＴＰＣコマンドに“１０”を設定し（ステップＳ２９３８）、ステップＳ２９４０へ移行する。
【０２９６】
ステップＳ２９３７において、調整後のＨＡＲＱプロセス数が２でない場合（ステップＳ２９３７：Ｎｏ）は、ｅＮＢ２１０は、ＴＰＣコマンドに“１１”を設定し（ステップＳ２９３９）、ステップＳ２９４０へ移行する。
【０２９７】
つぎに、ｅＮＢ２１０は、ステップＳ２９３３〜Ｓ２９３９によって設定したＴＰＣコマンドを格納したＵＬグラントをＵＥ２２０へ送信する（ステップＳ２９４０）。つぎに、ｅＮＢ２１０は、ステップＳ２９４０によって送信したＵＬグラントにより指示した無線リソースによって、ＵＥ２２０からのＰＵＳＣＨを受信する（ステップＳ２９４１）。つぎに、ｅＮＢ２１０は、ステップＳ２９３３〜Ｓ２９３９によって設定したＴＰＣコマンドが“００”であったか否かを判断する（ステップＳ２９４２）。
【０２９８】
ステップＳ２９４２において、ＴＰＣコマンドが“００”でなかった場合（ステップＳ２９４２：Ｎｏ）は、ｅＮＢ２１０は、ＴＴＩバンドルサイズ／ＨＡＲＱプロセス数制御モードを維持し（ステップＳ２９４３）、ステップＳ２９３１へ移行する。ＴＰＣコマンドが“００”であった場合（ステップＳ２９４２：Ｙｅｓ）は、ｅＮＢ２１０は、送信電力制御モードへ移行し（ステップＳ２９４４）、ステップＳ２９３１へ移行する。
【０２９９】
（実施の形態４にかかるＵＥによる処理）
図３０Ａ〜図３０Ｃは、実施の形態４にかかるＵＥによる処理の一例を示すフローチャートである。実施の形態４にかかるＵＥ２２０は、たとえば図３０Ａ〜図３０Ｃに示す各ステップを実行する。図３０Ａ，図３０Ｂに示すステップＳ３００１〜Ｓ３０３０は、図１１Ａ，図１１Ｂに示したステップＳ１１０１〜Ｓ１１３０と同様である。
【０３００】
ただし、ステップＳ３０２８において、ＵＥ２２０は、ＴＴＩバンドルサイズ／ＨＡＲＱプロセス数制御モードへ移行する（ステップＳ３０２８）。また、ステップＳ３０１７において、ＵＥ２２０は、現在のモードがＴＴＩバンドルサイズ／ＨＡＲＱプロセス数制御モードであるか否かを判断する（ステップＳ３０１７）。ＴＴＩバンドルサイズ／ＨＡＲＱプロセス数制御モードでなく送信電力制御モードである場合（ステップＳ３０１７：Ｎｏ）は、ＵＥ２２０は、ステップＳ３０１８へ移行する。
【０３０１】
ステップＳ３０１７において、ＴＴＩバンドルサイズ／ＨＡＲＱプロセス数制御モードである場合（ステップＳ３０１７：Ｙｅｓ）は、ＵＥ２２０は、ステップＳ３０３１へ移行する。すなわち、ＵＥ２２０は、ステップＳ３０１６によって受信したＵＬグラントに格納されたＴＰＣコマンドが“００”であるか否かを判断する（ステップＳ３０３１）。ＴＰＣコマンドが“００”である場合（ステップＳ３０３１：Ｙｅｓ）は、ＵＥ２２０は、ＴＴＩバンドルサイズが１、ＨＡＲＱプロセス数が１であると判定し（ステップＳ３０３２）、ステップＳ３０３８へ移行する。
【０３０２】
ステップＳ３０３１において、ＴＰＣコマンドが“００”でない場合（ステップＳ３０３１：Ｎｏ）は、ＵＥ２２０は、ＴＰＣコマンドが“０１”であるか否かを判断する（ステップＳ３０３３）。ＴＰＣコマンドが“０１”である場合（ステップＳ３０３３：Ｙｅｓ）は、ＵＥ２２０は、ＴＴＩバンドルサイズが４、ＨＡＲＱプロセス数が１であると判定し（ステップＳ３０３４）、ステップＳ３０３８へ移行する。
【０３０３】
ステップＳ３０３３において、ＴＰＣコマンドが“０１”でない場合（ステップＳ３０３３：Ｎｏ）は、ＵＥ２２０は、ＴＰＣコマンドが“１０”であるか否かを判断する（ステップＳ３０３５）。ＴＰＣコマンドが“１０”である場合（ステップＳ３０３５：Ｙｅｓ）は、ＵＥ２２０は、ＴＴＩバンドルサイズが４、ＨＡＲＱプロセス数が２であると判定し（ステップＳ３０３６）、ステップＳ３０３８へ移行する。
【０３０４】
ステップＳ３０３５において、ＴＰＣコマンドが“１０”でない場合（ステップＳ３０３５：Ｎｏ）は、ＵＥ２２０は、ＴＴＩバンドルサイズが４、ＨＡＲＱプロセス数が４であると判定し（ステップＳ３０３７）、ステップＳ３０３８へ移行する。
【０３０５】
つぎに、ＵＥ２２０は、ステップＳ３０３１〜Ｓ３０３７によって判定したＴＴＩバンドルサイズおよびＨＡＲＱプロセス数によってＴＴＩバンドルサイズおよびＨＡＲＱプロセス数を調整する（ステップＳ３０３８）。つぎに、ＵＥ２２０は、ステップＳ３０１６によって受信したＵＬグラントに格納されたＴＰＣコマンドが“００”であったか否かを判断する（ステップＳ３０３９）。
【０３０６】
ステップＳ３０３９において、ＴＰＣコマンドが“００”でなかった場合（ステップＳ３０３９：Ｎｏ）は、ＵＥ２２０は、ＴＴＩバンドルサイズ／ＨＡＲＱプロセス数制御モードを維持し（ステップＳ３０４０）、ステップＳ３０２９へ移行する。ＴＰＣコマンドが“００”であった場合（ステップＳ３０３９：Ｙｅｓ）は、ＵＥ２２０は、送信電力制御モードへ移行し（ステップＳ３０４１）、ステップＳ３０２９へ移行する。
【０３０７】
このように、実施の形態４によれば、ＵＥ２２０の送信電力制御に用いられるＵＬグラントのＴＰＣコマンドを用いて、ＵＥ２２０のＴＴＩバンドルサイズとＨＡＲＱプロセス数との組み合わせを通知することができる。これにより、ＵＥ２２０のＴＴＩバンドルサイズおよびＨＡＲＱプロセス数を可変としつつ、ｅＮＢ２１０からＵＥ２２０へのＴＴＩバンドルサイズおよびＨＡＲＱプロセス数の通知に伴う制御情報のオーバーヘッドの増加を抑えることができる。
【０３０８】
また、ＴＴＩバンドルサイズ／ＨＡＲＱプロセス数制御モードにおいて、ＴＰＣコマンドを用いてＴＴＩバンドルサイズとＨＡＲＱプロセス数との組み合わせを制御する場合について説明した。これに対して、ＨＡＲＱプロセス数のみを制御（ＴＴＩバンドルサイズは固定）するようにしてもよい。この場合も、ＵＥ２２０のＨＡＲＱプロセス数を可変としつつ、ｅＮＢ２１０からＵＥ２２０へのＨＡＲＱプロセス数の通知に伴う制御情報のオーバーヘッドの増加を抑えることができる。
【０３０９】
以上説明したように、無線通信システム、基地局、端末および処理方法によれば、端末の送信電力制御に用いられる制御情報の所定領域を用いて、上り通信に関する端末の送信電力以外のパラメータを通知することができる。これにより、該パラメータを可変としつつ、基地局から端末への該パラメータの通知に伴う制御情報のオーバーヘッドの増加を抑えることができる。
【０３１０】
一例として、ＬＴＥ標準化のカバレッジ拡張（Ｃｏｖｅｒａｇｅ  ｅｎｈａｎｃｅｍｅｎｔｓ）技術が検討された。たとえば、Ｒｅｌ−１１  ＳＩとして、ＬＴＥシステムが単独でネットワークを構築する際に、カバレッジ特性を制限する原因となる物理チャネルを調査する検討が行われた（３ＧＰＰ  ＴＲ３６．８２４  Ｖ１１．０．０）。また、Ｒｅｌ−１２  ＷＩとして、ＵＬＶｏＩＰ等のカバレッジ拡張技術が検討された（３ＧＰＰ  ＲＰ−１３０８３３）。
【０３１１】
これらの検討された内容は、主に以下のＡｌｔ．１、Ａｌｔ．６．１、Ａｌｔ．６．２およびＡｌｔ．６．３に分類される。Ａｌｔ．１は、ＲＴＴを１６［ｍｓ］から１２［ｍｓ］に削減するという内容である。これにより、許容される遅延時間内で、より多数の再送パケットを合成でき、ゲインが増大する。Ａｌｔ．６．１は、新規送信時と再送時でＴＴＩバンドルサイズを変えるという内容である。これにより、新規送信時のＴＴＩバンドルサイズを大きくすることで、ゲインが増大する。
【０３１２】
Ａｌｔ．６．２は、複数のＨＡＲＱプロセスを使って１個のトランスポートブロック（ｔｒａｎｓｐｏｒｔ  ｂｌｏｃｋ）を送信するという内容である。これにより、許容される遅延時間内で、より多数の再送パケットを合成でき、ゲインが増大する。Ａｌｔ．６．３は、制御信号に従ってＴＴＩバンドルサイズを可変にするという内容である。これにより、より柔軟にゲインを調整することができる。
【０３１３】
たとえば、従来、上位レイヤ（たとえばＲＬＣ層）の制御信号により、ＴＴＩバンドリングの有効／無効が切り替えられるため、設定の変更に時間がかかり、無線チャネル品質に追従した制御が困難であった。
【０３１４】
このため、従来、たとえば、ＴＴＩバンドリングの有効時に無線チャネル品質が急激によくなった場合に、過剰なゲインのために時間周波数リソースを浪費してしまう場合があった。一方、ＴＴＩバンドリングの無効時に無線チャネル品質が急激に悪くなった場合に、十分なゲインを得られずに受信特性が劣化してしまう場合があった。また、ＲＴＴやＨＡＲＱプロセス数についても同様に、無線チャネル品質に応じて柔軟な調整ができなかったため、通信を効率よく行うことができなかった。
【０３１５】
これに対して、ＴＴＩバンドルサイズ、ＲＴＴ、ＨＡＲＱプロセス数などを可変にすることが考えられるが、これらの調整指示を基地局から端末へ通知するために制御情報のオーバーヘッドが増大してしまう。
【０３１６】
上述した各実施の形態によれば、たとえばＵＥ２２０の送信電力制御に用いられるＵＬグラントのＴＰＣコマンドを用いて、ＵＥ２２０のＴＴＩバンドルサイズなども通知することができる。これにより、ＵＥ２２０のＴＴＩバンドルサイズなどを可変としつつ、ｅＮＢ２１０からＵＥ２２０へのＴＴＩバンドルサイズの通知に伴う制御情報のオーバーヘッドの増加を抑えることができる。
【０３１７】
ここで、たとえばＴＴＩバンドリングの適用を要する場合は、ＵＥ２２０の送信電力はほぼ最大送信電力に達している可能性が高い。一方、ＵＥ２２０の送信電力を調整する場合は、ＴＴＩバンドリングを適用しなくても十分なゲインを得られている可能性が高い。このため、送信電力の制御とＴＴＩバンドリングの制御を同時に行うメリットは小さい。
【０３１８】
これに対して、上述した各実施の形態によれば、たとえば送信電力およびＴＴＩバンドルサイズのうちの一方を固定し、他方をＴＰＣコマンドによって制御することができる。これにより、ＴＰＣコマンドを、送信電力の制御と、ＴＴＩバンドルサイズの制御と、で共用し、制御情報のオーバーヘッドの増加を抑えることができる。
【０３１９】
同様に、送信電力の制御とＲＴＴの制御を同時に行うメリットは小さい。これに対して、上述した各実施の形態によれば、たとえば送信電力およびＲＴＴのうちの一方を固定し、他方をＴＰＣコマンドによって制御することができる。これにより、ＴＰＣコマンドを、送信電力の制御と、ＲＴＴの制御と、で共用し、制御情報のオーバーヘッドの増加を抑えることができる。
【０３２０】
同様に、送信電力の制御とＨＡＲＱプロセス数の制御を同時に行うメリットは小さい。これに対して、上述した各実施の形態によれば、たとえば送信電力およびＨＡＲＱプロセス数のうちの一方を固定し、他方をＴＰＣコマンドによって制御することができる。これにより、ＴＰＣコマンドを、送信電力の制御と、ＨＡＲＱプロセス数の制御と、で共用し、制御情報のオーバーヘッドの増加を抑えることができる。
【符号の説明】
【０３２１】
１００，２００  無線通信システム
１１０  基地局
１１１  送信部
１１２，１２２  制御部
１２０  端末
１２１  受信部
１３０  制御情報
１３１  所定領域
２１０  ｅＮＢ
２１１  セル
２２０  ＵＥ
２３０〜２３９  サブフレーム
２４１  ＵＬグラント
２４２  応答信号
２４３  ＲＴＴ
３０１〜３０４，１２０１，１３０１，２２１１，２２２１  新規送信
４１０，４２０，５１０，５２０，６１０，６２０，６３０，１３３０，１４１０，１４２０，１５１０，１５２０，１６１０，１６２０，２３１０，２３２０，２４１０，２４２０，２５１０，２５２０  テーブル
８０１，９０１  受信アンテナ
８０２，９０２  受信ＲＦ部
８０３  ＰＵＳＣＨ復調部
８０４  受信ＳＩＮＲ推定部
８０５  送信電力制御コマンド生成部
８０６  ＴＴＩバンドリングコマンド生成部
８０７，９０８  ＰＵＳＣＨスケジューラ
８０８  ＵＬグラント生成部
８０９  長区間受信品質判定部
８１０  ＰＤＳＣＨ生成部
８１１，９１０  物理チャネル多重部
８１２，９１２  送信ＲＦ部
８１３，９１３  送信アンテナ
８１４，９０５  モード切替制御部
８３０，９３０  通信装置
８３１，９３１  ＣＰＵ
８３２，９３２  メモリ
８３３，９３４  無線通信インタフェース
８３４  有線通信インタフェース
８３９，９３９  バス
９０３  ＰＤＳＣＨ復調部
９０４  ＰＤＣＣＨ復調部
９０６  送信電力算出部
９０７  ＴＴＩバンドリング制御部
９０９  ＳＲＳ生成部
９１１  送信電力制御部
９３３  ユーザインタフェース
１２０２〜１２０４，１３０２〜１３０５，２２１２，２２１３，２２２２，２２２３  再送
１８０１  ＴＴＩバンドリング／ＲＴＴコマンド生成部
１９０１  ＴＴＩバンドリング／ＲＴＴ制御部
２７０１  ＴＴＩバンドリング／ＨＡＲＱプロセス数コマンド生成部
２８０１  ＴＴＩバンドリング／ＨＡＲＱプロセス数制御部
【図１Ａ】
2015145780.tif 000003
【図１Ｂ】
2015145780.tif 000004
【図２Ａ】
2015145780.tif 000005
【図２Ｂ】
2015145780.tif 000006
【図３】
2015145780.tif 000007
【図４Ａ】
2015145780.tif 000008
【図４Ｂ】
2015145780.tif 000009
【図５Ａ】
2015145780.tif 000010
【図５Ｂ】
2015145780.tif 000011
【図６Ａ】
2015145780.tif 000012
【図６Ｂ】
2015145780.tif 000013
【図６Ｃ】
2015145780.tif 000014
【図７】
2015145780.tif 000015
【図８Ａ】
2015145780.tif 000016
【図８Ｂ】
2015145780.tif 000017
【図８Ｃ】
2015145780.tif 000018
【図９Ａ】
2015145780.tif 000019
【図９Ｂ】
2015145780.tif 000020
【図９Ｃ】
2015145780.tif 000021
【図１０Ａ】
2015145780.tif 000022
【図１０Ｂ】
2015145780.tif 000023
【図１０Ｃ】
2015145780.tif 000024
【図１１Ａ】
2015145780.tif 000025
【図１１Ｂ】
2015145780.tif 000026
【図１１Ｃ】
2015145780.tif 000027
【図１２Ａ】
2015145780.tif 000028
【図１２Ｂ】
2015145780.tif 000029
【図１３Ａ】
2015145780.tif 000030
【図１３Ｂ】
2015145780.tif 000031
【図１３Ｃ】
2015145780.tif 000032
【図１４Ａ】
2015145780.tif 000033
【図１４Ｂ】
2015145780.tif 000034
【図１５Ａ】
2015145780.tif 000035
【図１５Ｂ】
2015145780.tif 000036
【図１６Ａ】
2015145780.tif 000037
【図１６Ｂ】
2015145780.tif 000038
【図１７】
2015145780.tif 000039
【図１８Ａ】
2015145780.tif 000040
【図１８Ｂ】
2015145780.tif 000041
【図１９Ａ】
2015145780.tif 000042
【図１９Ｂ】
2015145780.tif 000043
【図２０Ａ】
2015145780.tif 000044
【図２０Ｂ】
2015145780.tif 000045
【図２０Ｃ】
2015145780.tif 000046
【図２１Ａ】
2015145780.tif 000047
【図２１Ｂ】
2015145780.tif 000048
【図２１Ｃ】
2015145780.tif 000049
【図２２】
2015145780.tif 000050
【図２３Ａ】
2015145780.tif 000051
【図２３Ｂ】
2015145780.tif 000052
【図２４Ａ】
2015145780.tif 000053
【図２４Ｂ】
2015145780.tif 000054
【図２５Ａ】
2015145780.tif 000055
【図２５Ｂ】
2015145780.tif 000056
【図２６】
2015145780.tif 000057
【図２７Ａ】
2015145780.tif 000058
【図２７Ｂ】
2015145780.tif 000059
【図２８Ａ】
2015145780.tif 000060
【図２８Ｂ】
2015145780.tif 000061
【図２９Ａ】
2015145780.tif 000062
【図２９Ｂ】
2015145780.tif 000063
【図２９Ｃ】
2015145780.tif 000064
【図３０Ａ】
2015145780.tif 000065
【図３０Ｂ】
2015145780.tif 000066
【図３０Ｃ】
2015145780.tif 000067
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
端末へ送信する制御情報に端末の送信電力を指示する値を格納する第１状態と、前記端末が同一のデータを複数回送信する回数を指示する値を制御情報に格納する第２状態と、を切り替え可能な基地局と、
前記第１状態の前記基地局から受信した制御情報に格納された値に基づいて送信電力を調整する第３状態と、前記第２状態の前記基地局から受信した制御情報に格納された値に基づいて、自端末が同一のデータを複数回送信する回数を調整する第４状態と、を切り替え可能な端末と、
を含むことを特徴とする無線通信システム。
【請求項２】
前記制御情報に、前記第１状態で端末の送信電力を指示する値を格納する所定領域と、前記第２状態で複数回送信する回数を指示する値を格納する所定領域とをそれぞれ設けることを特徴とする請求項１に記載の無線通信システム。
【請求項３】
前記端末は、前記第４状態において前記送信電力を調整しないことを特徴とする請求項１または２に記載の無線通信システム。
【請求項４】
前記基地局は、前記第１状態において、前記送信電力を指示する値および前記第４状態への切り替えを指示する値の中から選択した値を前記制御情報に格納し、前記第２状態において、前記回数を指示する値および前記第３状態への切り替えを指示する値の中から選択した値を前記制御情報に格納し、
前記基地局が前記第４状態への切り替えを指示する値を前記制御情報に格納した場合に、前記端末が前記第４状態へ移行し、前記基地局が前記第２状態へ移行し、
前記基地局が前記第３状態への切り替えを指示する値を前記制御情報に格納した場合に、前記端末が前記第３状態へ移行し、前記基地局が前記第１状態へ移行する、
ことを特徴とする請求項１〜３のいずれか一つに記載の無線通信システム。
【請求項５】
前記端末は、前記端末の送信電力に応じた情報を前記基地局へ送信し、
前記基地局は、前記第１状態および前記第２状態のうちの前記端末の送信電力に応じた情報に対応する状態に切り替え、
前記端末は、前記第３状態および前記第４状態のうちの前記端末の送信電力に応じた情報に対応する状態に切り替える、
ことを特徴とする請求項１〜３のいずれか一つに記載の無線通信システム。
【請求項６】
前記基地局は、前記第１状態において、前記送信電力に応じた情報が所定値になった場合に前記第２状態へ切り替え、
前記端末は、前記第３状態において、前記送信電力に応じた情報が前記所定値になった場合に前記第４状態へ切り替え、
前記基地局は、前記第２状態において、前記回数を指示する値および前記第３状態への切り替えを指示する値の中から選択した値を前記制御情報に格納し、前記選択した値が前記第１状態への切り替えを指示する値である場合に前記第１状態へ切り替え、
前記端末は、前記第４状態において、前記制御情報に格納された値が前記第３状態への切り替えを指示する値である場合に前記第３状態へ切り替える、
ことを特徴とする請求項５に記載の無線通信システム。
【請求項７】
前記端末の送信電力に応じた情報は、前記端末の送信電力と、前記端末の最大送信電力と、の差分を示す情報であることを特徴とする請求項５または６に記載の無線通信システム。
【請求項８】
前記端末は、データの新規送信および再送のうちの前記新規送信についての前記回数を調整することを特徴とする請求項１〜７のいずれか一つに記載の無線通信システム。
【請求項９】
前記基地局は、前記第２状態において、前記回数と、前記端末がデータを送信してから前記データを再送するまでの時間と、の組み合わせを示す値を前記制御情報に格納し、
前記端末は、前記第４状態において、前記制御情報に格納された値に基づいて、前記回数と、自端末がデータを送信してから前記データを再送するまでの時間と、の組み合わせを調整する、
ことを特徴とする請求項１〜７のいずれか一つに記載の無線通信システム。
【請求項１０】
前記基地局は、前記第２状態において、前記回数と、前記同一のデータを複数回送信する処理を同一のデータについて行うプロセスの数と、の組み合わせを示す値を前記制御情報に格納し、
前記端末は、前記第４状態において、前記制御情報に格納された値に基づいて、前記回数と、自端末が前記同一のデータを複数回送信する処理を同一のデータについて行うプロセスの数と、の組み合わせを調整する、
ことを特徴とする請求項１〜８のいずれか一つに記載の無線通信システム。
【請求項１１】
前記プロセスはＨＡＲＱ（Ｈｙｂｒｉｄ  Ａｕｔｏｍａｔｉｃ  Ｒｅｐｅａｔ  ｒｅＱｕｅｓｔ）のプロセスであることを特徴とする請求項１０に記載の無線通信システム。
【請求項１２】
前記制御情報は、前記端末から前記基地局への無線信号の送信に対して前記基地局が割り当てた無線リソースを示す情報であることを特徴とする請求項１〜１１のいずれか一つに記載の無線通信システム。
【請求項１３】
前記同一のデータを複数回送信する回数は、ＴＴＩ（Ｔｒａｎｓｍｉｓｓｉｏｎ  Ｔｉｍｅ  Ｉｎｔｅｒｖａｌ）バンドリングにおけるＴＴＩバンドルサイズであることを特徴とする請求項１〜１２のいずれか一つに記載の無線通信システム。
【請求項１４】
端末へ制御情報を送信する送信部と、
前記送信部によって送信される前記制御情報に前記端末の送信電力を指示する値を格納する第１状態と、前記端末が同一のデータを複数回送信する回数を指示する値を制御情報に格納する第２状態と、を切り替え可能な制御部と、
を備えることを特徴とする基地局。
【請求項１５】
前記制御情報に、前記第１状態で端末の送信電力を指示する値を格納する所定領域と、前記第２状態で複数回送信する回数を指示する値を格納する所定領域とをそれぞれ設けることを特徴とする請求項１４に記載の基地局。
【請求項１６】
端末へ送信する制御情報に前記端末の送信電力を指示する値を格納する第１状態と、前記端末が同一のデータを複数回送信する回数を指示する値を制御情報に格納する第２状態と、を切り替え可能な基地局から前記制御情報を受信する受信部と、
前記第１状態の前記基地局から前記受信部が受信した制御情報に格納された値に基づいて送信電力を調整する第３状態と、前記第２状態の前記基地局から前記受信部が受信した制御情報に格納された値に基づいて、自端末が同一のデータを複数回送信する回数を調整する第４状態と、を切り替え可能な制御部と、
を備えることを特徴とする端末。
【請求項１７】
前記制御情報には、前記第１状態で端末の送信電力を指示する値を格納する所定領域と、前記第２状態で複数回送信する回数を指示する値を格納する所定領域とがそれぞれ設けられることを特徴とする請求項１６に記載の端末。
【請求項１８】
基地局における処理方法であって、
端末へ制御情報を送信し、
送信する前記制御情報に前記端末の送信電力を指示する値を格納する第１状態と、前記端末が同一のデータを複数回送信する回数を指示する値を制御情報に格納する第２状態と、を切り替える、
ことを特徴とする処理方法。
【請求項１９】
端末における処理方法であって、
端末へ送信する制御情報に前記端末の送信電力を指示する値を格納する第１状態と、前記端末が同一のデータを複数回送信する回数を指示する値を制御情報に格納する第２状態と、を切り替え可能な基地局から前記制御情報を受信し、
前記第１状態の前記基地局から受信した制御情報に格納された値に基づいて送信電力を調整する第３状態と、前記第２状態の前記基地局から受信した制御情報に格納された値に基づいて、自端末が同一のデータを複数回送信する回数を調整する第４状態と、を切り替える、
ことを特徴とする処理方法。
【請求項２０】
端末へ送信する制御情報に端末の送信電力を指示する値を格納する第１状態と、前記端末がデータを送信してから前記データを再送するまでの時間を指示する値を制御情報に格納する第２状態と、を切り替え可能な基地局と、
前記第１状態の前記基地局から受信した制御情報に格納された値に基づいて送信電力を調整する第３状態と、前記第２状態の前記基地局から受信した制御情報に格納された値に基づいて、自端末がデータを送信してから前記データを再送するまでの時間を調整する第４状態と、を切り替え可能な端末と、
を含むことを特徴とする無線通信システム。
【請求項２１】
端末へ送信する制御情報に端末の送信電力を指示する値を格納する第１状態と、前記端末が同一のデータを複数回送信する処理を同一のデータについて行うプロセスの数を指示する値を制御情報に格納する第２状態と、を切り替え可能な基地局と、
前記第１状態の前記基地局から受信した制御情報に格納された値に基づいて送信電力を調整する第３状態と、前記第２状態の前記基地局から受信した制御情報に格納された値に基づいて、自端末が同一のデータを複数回送信する処理を同一のデータについて行うプロセスの数を調整する第４状態と、を切り替え可能な端末と、
を含むことを特徴とする無線通信システム。
【手続補正２】
【補正対象書類名】明細書
【補正対象項目名】全文
【補正方法】変更
【補正の内容】
【発明の詳細な説明】
【技術分野】
【０００１】
本発明は、無線通信システム、基地局、端末および処理方法に関する。
【背景技術】
【０００２】
従来、シングルＨＡＲＱ（Ｈｙｂｒｉｄ  Ａｕｔｏｍａｔｉｃ  Ｒｅｐｅａｔ  ｒｅＱｕｅｓｔ：ハイブリッド自動再送要求）プロセスに関連する情報を送信するために複数のＴＴＩ（Ｔｒａｎｓｍｉｓｓｉｏｎ  Ｔｉｍｅ  Ｉｎｔｅｒｖａｌ：送信時間間隔）を使用することが知られている（たとえば、下記特許文献１参照。）。
【０００３】
また、複数の上りリンクデータ送信を制御する下りリンク制御情報を検出し、下りリンク制御情報が上りリンクデータ送信の無効を指示している場合には、上りリンクデータ送信を無効とし、上りリンクデータ送信に対応するＨＡＲＱプロセスにＡＣＫをセットすることが知られている（たとえば、下記特許文献２参照。）。
【０００４】
また、ＶｏＩＰ（Ｖｏｉｃｅ  ｏｖｅｒ  ＩＰ）到着時間にマップされた送信時間を有するＴＴＩ送信のバンドルを処理し、バンドルされたＴＴＩ送信が、アクノレッジメント無しで処理され、バンドルされたＴＴＩ送信が正しく受信されたことを示すという技術が知られている（たとえば、下記特許文献３参照。）。
【０００５】
また、ＬＴＥ（Ｌｏｎｇ  Ｔｅｒｍ  Ｅｖｏｌｕｔｉｏｎ）において、上りリンクでのＴＰＣ（Ｔｒａｎｓｍｉｔ  Ｐｏｗｅｒ  Ｃｏｎｔｒｏｌ：送信電力制御）が検討されている。また、ＬＴＥにおいて、上りリンクで端末が同一のデータを連続して送信するＴＴＩバンドリングが検討されている。
【先行技術文献】
【特許文献】
【０００６】
【特許文献１】特開２０１３−９４０１号公報
【特許文献２】特開２０１２−１６５４７１号公報
【特許文献３】特表２０１３−５２０１４０号公報
【発明の概要】
【発明が解決しようとする課題】
【０００７】
しかしながら、上述した従来技術では、たとえば端末が同一のデータを連続して送信する回数を可変とする場合に、基地局から端末への該回数の通知に伴って制御情報のオーバーヘッドが増加する場合がある。
【０００８】
１つの側面では、本発明は、制御情報のオーバーヘッドの増加を抑えることができる無線通信システム、基地局、端末および処理方法を提供することを目的とする。
【課題を解決するための手段】
【０００９】
上述した課題を解決し、目的を達成するため、本発明の一側面によれば、基地局が、端末へ送信する制御情報に端末の送信電力を指示する値を格納する第１状態と、前記端末が同一のデータを複数回送信する回数を指示する値を制御情報に格納する第２状態と、を切り替え可能であり、端末が、前記第１状態の前記基地局から受信した制御情報の前記制御情報に格納された値に基づいて送信電力を調整する第３状態と、前記第２状態の前記基地局から受信した制御情報の前記制御情報に格納された値に基づいて、同一のデータを複数回送信する回数を調整する第４状態と、を切り替え可能である無線通信システム、基地局、端末および処理方法が提案される。
【００１０】
また、本発明の別の側面によれば、基地局が、端末へ送信する制御情報に端末の送信電力を指示する値を格納する第１状態と、前記端末がデータを送信してから前記データを再送するまでの時間を指示する値を制御情報に格納する第２状態と、を切り替え可能であり、端末が、前記第１状態の前記基地局から受信した制御情報の前記制御情報に格納された値に基づいて送信電力を調整する第３状態と、前記第２状態の前記基地局から受信した制御情報の前記制御情報に格納された値に基づいて、自端末がデータを送信してから前記データを再送するまでの時間を調整する第４状態と、を切り替え可能である無線通信システムと、前記無線通信システムに関する基地局、端末および処理方法が提案される。
【００１１】
また、本発明の別の側面によれば、基地局が、端末へ送信する制御情報に端末の送信電力を指示する値を格納する第１状態と、前記端末が同一のデータを複数回送信する処理を同一のデータについて行うプロセスの数を指示する値を制御情報に格納する第２状態と、を切り替え可能であり、端末が、前記第１状態の前記基地局から受信した制御情報の前記制御情報に格納された値に基づいて送信電力を調整する第３状態と、前記第２状態の前記基地局から受信した制御情報の前記制御情報に格納された値に基づいて、自端末が同一のデータを複数回送信する処理を同一のデータについて行うプロセスの数を調整する第４状態と、を切り替え可能である無線通信システムと、前記無線通信システムに関する基地局、端末および処理方法が提案される。
【発明の効果】
【００１２】
本発明の一側面によれば、制御情報のオーバーヘッドの増加を抑えることができるという効果を奏する。
【図面の簡単な説明】
【００１３】
【図１Ａ】図１Ａは、実施の形態１にかかる無線通信システムの一例を示す図である。
【図１Ｂ】図１Ｂは、図１Ａに示した無線通信システムにおける信号の流れの一例を示す図である。
【図２Ａ】図２Ａは、実施の形態２にかかる無線通信システムの一例を示す図である。
【図２Ｂ】図２Ｂは、ＬＴＥの上りリンクにおけるＴＴＩバンドリングの一例を示す図である。
【図３】図３は、ＴＴＩバンドルサイズの変更の一例を示す図である。
【図４Ａ】図４Ａは、送信電力制御モードにおけるＵＬグラントのビットマップの第１例を示す図である。
【図４Ｂ】図４Ｂは、ＴＴＩバンドルサイズ制御モードにおけるＵＬグラントのビットマップの第１例を示す図である。
【図５Ａ】図５Ａは、送信電力制御モードにおけるＵＬグラントのビットマップの第２例を示す図である。
【図５Ｂ】図５Ｂは、ＴＴＩバンドルサイズ制御モードにおけるＵＬグラントのビットマップの第２例を示す図である。
【図６Ａ】図６Ａは、送信電力制御モードにおける送信電力制御コマンド決定方法の一例を示す図である。
【図６Ｂ】図６Ｂは、ＴＴＩバンドルサイズ制御モードにおける送信電力制御コマンド決定方法の一例を示す図（その１）である。
【図６Ｃ】図６Ｃは、ＴＴＩバンドルサイズ制御モードにおける送信電力制御コマンド決定方法の一例を示す図（その２）である。
【図７】図７は、実施の形態２にかかる無線通信システムの動作の一例を示すシーケンス図である。
【図８Ａ】図８Ａは、実施の形態２にかかるｅＮＢの一例を示す図である。
【図８Ｂ】図８Ｂは、図８Ａに示したｅＮＢにおける信号の流れの一例を示す図である。
【図８Ｃ】図８Ｃは、ｅＮＢのハードウェア構成の一例を示す図である。
【図９Ａ】図９Ａは、実施の形態２にかかるＵＥの一例を示す図である。
【図９Ｂ】図９Ｂは、図９Ａに示したＵＥにおける信号の流れの一例を示す図である。
【図９Ｃ】図９Ｃは、ＵＥのハードウェア構成の一例を示す図である。
【図１０Ａ】図１０Ａは、実施の形態２にかかるｅＮＢによる処理の一例を示すフローチャート（その１）である。
【図１０Ｂ】図１０Ｂは、実施の形態２にかかるｅＮＢによる処理の一例を示すフローチャート（その２）である。
【図１０Ｃ】図１０Ｃは、実施の形態２にかかるｅＮＢによる処理の一例を示すフローチャート（その３）である。
【図１１Ａ】図１１Ａは、実施の形態２にかかるＵＥによる処理の一例を示すフローチャート（その１）である。
【図１１Ｂ】図１１Ｂは、実施の形態２にかかるＵＥによる処理の一例を示すフローチャート（その２）である。
【図１１Ｃ】図１１Ｃは、実施の形態２にかかるＵＥによる処理の一例を示すフローチャート（その３）である。
【図１２Ａ】図１２Ａは、ＴＴＩバンドルサイズの変更の他の例を示す図（その１）である。
【図１２Ｂ】図１２Ｂは、ＴＴＩバンドルサイズの変更の他の例を示す図（その２）である。
【図１３Ａ】図１３Ａは、ＲＴＴの変更の一例を示す図（その１）である。
【図１３Ｂ】図１３Ｂは、ＲＴＴの変更の一例を示す図（その２）である。
【図１３Ｃ】図１３Ｃは、単位時間あたりの送信パケットの総エネルギの一例を示す図である。
【図１４Ａ】図１４Ａは、送信電力制御モードにおけるＵＬグラントのビットマップの第１例を示す図である。
【図１４Ｂ】図１４Ｂは、ＴＴＩバンドルサイズ／ＲＴＴ制御モードにおけるＵＬグラントのビットマップの第１例を示す図である。
【図１５Ａ】図１５Ａは、送信電力制御モードにおけるＵＬグラントのビットマップの第２例を示す図である。
【図１５Ｂ】図１５Ｂは、ＴＴＩバンドルサイズ／ＲＴＴ制御モードにおけるＵＬグラントのビットマップの第２例を示す図である。
【図１６Ａ】図１６Ａは、ＴＴＩバンドルサイズ／ＲＴＴ制御モードにおける送信電力制御コマンド決定方法の一例を示す図（その１）である。
【図１６Ｂ】図１６Ｂは、ＴＴＩバンドルサイズ／ＲＴＴ制御モードにおける送信電力制御コマンド決定方法の一例を示す図（その２）である。
【図１７】図１７は、実施の形態３にかかる無線通信システムの動作の一例を示すシーケンス図である。
【図１８Ａ】図１８Ａは、実施の形態３にかかるｅＮＢの一例を示す図である。
【図１８Ｂ】図１８Ｂは、図１８Ａに示したｅＮＢにおける信号の流れの一例を示す図である。
【図１９Ａ】図１９Ａは、実施の形態３にかかるＵＥの一例を示す図である。
【図１９Ｂ】図１９Ｂは、図１９Ａに示したＵＥにおける信号の流れの一例を示す図である。
【図２０Ａ】図２０Ａは、実施の形態３にかかるｅＮＢによる処理の一例を示すフローチャート（その１）である。
【図２０Ｂ】図２０Ｂは、実施の形態３にかかるｅＮＢによる処理の一例を示すフローチャート（その２）である。
【図２０Ｃ】図２０Ｃは、実施の形態３にかかるｅＮＢによる処理の一例を示すフローチャート（その３）である。
【図２１Ａ】図２１Ａは、実施の形態３にかかるＵＥによる処理の一例を示すフローチャート（その１）である。
【図２１Ｂ】図２１Ｂは、実施の形態３にかかるＵＥによる処理の一例を示すフローチャート（その２）である。
【図２１Ｃ】図２１Ｃは、実施の形態３にかかるＵＥによる処理の一例を示すフローチャート（その３）である。
【図２２】図２２は、ＨＡＲＱプロセス数の変更の一例を示す図である。
【図２３Ａ】図２３Ａは、送信電力制御モードにおけるＵＬグラントのビットマップの第１例を示す図である。
【図２３Ｂ】図２３Ｂは、ＴＴＩバンドルサイズ／ＨＡＲＱプロセス数制御モードにおけるＵＬグラントのビットマップの第１例を示す図である。
【図２４Ａ】図２４Ａは、送信電力制御モードにおけるＵＬグラントのビットマップの第２例を示す図である。
【図２４Ｂ】図２４Ｂは、ＴＴＩバンドルサイズ／ＨＡＲＱプロセス数制御モードにおけるＵＬグラントのビットマップの第２例を示す図である。
【図２５Ａ】図２５Ａは、ＴＴＩバンドルサイズ／ＨＡＲＱプロセス数制御モードにおける送信電力制御コマンド決定方法の一例を示す図（その１）である。
【図２５Ｂ】図２５Ｂは、ＴＴＩバンドルサイズ／ＨＡＲＱプロセス数制御モードにおける送信電力制御コマンド決定方法の一例を示す図（その２）である。
【図２６】図２６は、実施の形態４にかかる無線通信システムの動作の一例を示すシーケンス図である。
【図２７Ａ】図２７Ａは、実施の形態４にかかるｅＮＢの一例を示す図である。
【図２７Ｂ】図２７Ｂは、図２７Ａに示したｅＮＢにおける信号の流れの一例を示す図である。
【図２８Ａ】図２８Ａは、実施の形態４にかかるＵＥの一例を示す図である。
【図２８Ｂ】図２８Ｂは、図２８Ａに示したＵＥにおける信号の流れの一例を示す図である。
【図２９Ａ】図２９Ａは、実施の形態４にかかるｅＮＢによる処理の一例を示すフローチャート（その１）である。
【図２９Ｂ】図２９Ｂは、実施の形態４にかかるｅＮＢによる処理の一例を示すフローチャート（その２）である。
【図２９Ｃ】図２９Ｃは、実施の形態４にかかるｅＮＢによる処理の一例を示すフローチャート（その３）である。
【図３０Ａ】図３０Ａは、実施の形態４にかかるＵＥによる処理の一例を示すフローチャート（その１）である。
【図３０Ｂ】図３０Ｂは、実施の形態４にかかるＵＥによる処理の一例を示すフローチャート（その２）である。
【図３０Ｃ】図３０Ｃは、実施の形態４にかかるＵＥによる処理の一例を示すフローチャート（その３）である。
【発明を実施するための形態】
【００１４】
以下に図面を参照して、本発明にかかる無線通信システム、基地局、端末および処理方法の実施の形態を詳細に説明する。
【００１５】
（実施の形態１）
図１Ａは、実施の形態１にかかる無線通信システムの一例を示す図である。図１Ｂは、図１Ａに示した無線通信システムにおける信号の流れの一例を示す図である。図１Ａ，図１Ｂに示すように、実施の形態１にかかる無線通信システム１００は、基地局１１０と、端末１２０と、を含む。
【００１６】
端末１２０は、基地局１１０へ無線信号を送信する。また、端末１２０は、基地局１１０へ同一のデータを連続して送信することが可能である。同一のデータの連続した送信は、基地局１１０において同一のデータを復調可能な複数の無線信号の送信である。したがって、この複数の無線信号は、互いに同一のデータを復調可能な無線信号であれば、互いに異なる無線信号であってもよい。
【００１７】
基地局１１０は、送信部１１１と、制御部１１２と、を備える。送信部１１１は、端末１２０へ制御情報１３０を送信する。制御情報１３０は、一例としては、端末１２０から基地局１１０への無線信号の送信に対して基地局１１０が割り当てた無線リソースを示す情報である。
【００１８】
制御部１１２は、第１状態と第２状態とを切り替え可能である。第１状態において、制御部１１２は、送信部１１１によって送信される制御情報１３０の所定領域１３１に、端末１２０の送信電力を指示する複数通りの値を格納する。第２状態において、制御部１１２は、制御情報１３０の所定領域１３１に、端末１２０が同一のデータを連続して送信する回数を指示する複数通りの値を格納する。また、制御部１１２が第１状態において所定領域１３１に格納する複数通りの値と、制御部１１２が第２状態において所定領域１３１に格納する複数通りの値と、の間には重複する値が含まれる。
【００１９】
端末１２０は、受信部１２１と、制御部１２２と、を備える。受信部１２１は、基地局１１０から送信された制御情報１３０を受信する。そして、受信部１２１は、受信した制御情報１３０を制御部１２２へ出力する。
【００２０】
制御部１２２は、第３状態と第４状態とを切り替え可能である。制御部１２２は、たとえば、基地局１１０の制御部１１２が第１状態である場合は第３状態となり、基地局１１０の制御部１１２が第２状態である場合は第４状態となる。
【００２１】
第３状態において、制御部１２２は、第１状態の基地局１１０から受信部１２１が受信した制御情報１３０の所定領域１３１の値に基づいて、自端末から基地局１１０への無線信号の送信電力を調整する。このとき、制御部１２２は、所定領域１３１の値に基づく、基地局１１０へ同一のデータを連続して送信する回数の調整は行わない。
【００２２】
第４状態において、制御部１２２は、第２状態の基地局１１０から受信部１２１が受信した制御情報１３０の所定領域１３１の値に基づいて、自端末が基地局１１０へ同一のデータを連続して送信する回数を調整する。このとき、制御部１２２は、所定領域１３１の値に基づく、基地局１１０への無線信号の送信電力の調整は行わない。
【００２３】
このように、実施の形態１によれば、端末１２０の送信電力制御に用いられる制御情報１３０の所定領域１３１を用いて、端末１２０が同一のデータを連続して送信する回数を通知することができる。これにより、該回数を可変としつつ、基地局１１０から端末１２０への該回数の通知に伴う制御情報（たとえば制御情報１３０）のオーバーヘッドの増加を抑えることができる。
【００２４】
＜状態の切り替え方法の第１例＞
たとえば、基地局１１０は、第１状態において、送信電力を指示する値および第４状態への切り替えを指示する値の中から選択した値を所定領域１３１に格納する。また、基地局１１０は、第２状態において、端末１２０が同一のデータを連続して送信する回数を指示する値および第３状態への切り替えを指示する値の中から選択した値を所定領域１３１に格納する。そして、基地局１１０は、第１状態および第２状態のうちの所定領域１３１に格納した値に対応する状態に切り替える。また、端末１２０は、第３状態および第４状態のうちの所定領域の値に対応する状態に切り替える。
【００２５】
たとえば、基地局１１０が第４状態への切り替えを指示する値を所定領域１３１に格納した場合に、端末１２０が第４状態へ移行し、基地局１１０が第２状態へ移行する。また、基地局１１０が第３状態への切り替えを指示する値を所定領域１３１に格納した場合に、端末１２０が第３状態へ移行し、基地局１１０が第１状態へ移行する。
【００２６】
このように、所定領域１３１に格納され得る値のうちの一部の値を、状態の切り替えを指示する値とすることができる。これにより、基地局１１０が第１状態である場合は端末１２０が第３状態となり、基地局１１０が第２状態である場合は端末１２０が第４状態となるように制御することが可能になる。
【００２７】
＜状態の切り替え方法の第２例＞
また、端末１２０が、端末１２０の送信電力に応じた情報を基地局１１０へ送信するようにしてもよい。そして、基地局１１０が、第１状態および第２状態のうちの、端末１２０から受信した、端末１２０の送信電力に応じた情報に対応する状態に切り替えるようにしてもよい。この場合に、端末１２０は、第３状態および第４状態のうちの、基地局１１０へ送信した、端末１２０の送信電力に応じた情報に対応する状態に切り替える。
【００２８】
このように、端末１２０が基地局１１０へ送信する、端末１２０の送信電力に応じた情報を状態の切り替えに用いることができる。これにより、基地局１１０が第１状態である場合は端末１２０が第３状態となり、基地局１１０が第２状態である場合は端末１２０が第４状態となるように制御することが可能になる。また、所定領域１３１において各パラメータの指示に利用可能な値が多くなるため、より柔軟な制御が可能になる。端末１２０の送信電力に応じた情報は、一例としては、端末１２０の送信電力と、端末１２０の最大送信電力と、の差分を示す情報とすることができる。
【００２９】
＜上りの通信品質に基づく値の選択＞
基地局１１０の制御部１１２は、たとえば、端末１２０から基地局１１０への無線通信の品質に基づいて、所定領域１３１に格納する値を選択する。無線通信の品質には、一例としては、端末１２０からの無線信号の基地局１１０におけるＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）を用いることができる。
【００３０】
＜変形例１＞
また、端末１２０が同一のデータを連続して送信する回数に代えて、端末１２０が基地局１１０へデータを送信してから該データを再送するまでの時間を、制御情報１３０の所定領域１３１を用いて制御してもよい。これにより、該時間を可変としつつ、基地局１１０から端末１２０への該時間の通知に伴う制御情報（たとえば制御情報１３０）のオーバーヘッドの増加を抑えることができる。
【００３１】
＜変形例２＞
また、端末１２０が同一のデータを連続して送信する回数に代えて、端末１２０が同一のデータを連続して送信する処理を同一のデータについて行うプロセスの数を、制御情報１３０の所定領域１３１を用いて制御してもよい。これにより、該プロセスの数を可変としつつ、基地局１１０から端末１２０への該プロセスの数の通知に伴う制御情報（たとえば制御情報１３０）のオーバーヘッドの増加を抑えることができる。
【００３２】
（実施の形態２）
（実施の形態２にかかる無線通信システム）
図２Ａは、実施の形態２にかかる無線通信システムの一例を示す図である。図２Ａに示すように、実施の形態２にかかる無線通信システム２００は、ｅＮＢ２１０と、ＵＥ２２０と、を含むセルラ通信システムである。ｅＮＢ２１０およびＵＥ２２０は、たとえばＬＴＥによる無線通信が可能である。セル２１１は、ｅＮＢ２１０との間で無線通信が可能な領域である。ＵＥ２２０は、セル２１１に位置しており、ｅＮＢ２１０との間で無線通信が可能なＵＥ（Ｕｓｅｒ  Ｅｑｕｉｐｍｅｎｔ：ユーザ端末）である。
【００３３】
図１Ａ，図１Ｂに示した無線通信システム１００は、たとえば図２Ａに示す無線通信システム２００によって実現することができる。図１Ａ，図１Ｂに示した基地局１１０は、たとえば図２Ａに示すｅＮＢ２１０によって実現することができる。図１Ａ，図１Ｂに示した端末１２０は、たとえば図２Ａに示すＵＥ２２０によって実現することができる。
【００３４】
（ＬＴＥの上りリンクにおけるＴＴＩバンドリング）
図２Ｂは、ＬＴＥの上りリンクにおけるＴＴＩバンドリングの一例を示す図である。図２Ｂにおいて、横軸は時間（サブフレーム）を示している。
【００３５】
ＵＬグラント２４１（Ｕｐ  Ｌｉｎｋ  ｇｒａｎｔ）は、ｅＮＢ２１０からＵＥ２２０へ送信されるスケジューリング情報であって、ＵＥ２２０の上り通信に対してｅＮＢ２１０が割り当てた無線リソースを示す情報である。
【００３６】
ＵＥ２２０は、ＵＬグラント２４１を受信したサブフレーム２３０から４［ｍｓ］後のサブフレーム２３１〜２３４（４個のＴＴＩ）において、同一のデータを示すパケットを連続して４回送信するＴＴＩバンドリングを行う。サブフレーム２３１〜２３４において送信される４個のパケットは、たとえばＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）によって送信される（ＰＵＳＣＨ  ｃｏｄｉｎｇ）。
【００３７】
また、サブフレーム２３１〜２３４において送信される４個のパケットは、受信側で同一のデータを復号可能なパケットであれば、互いに異なるパケットであってもよい。たとえば、サブフレーム２３１〜２３４において送信される４個のパケットは、ＨＡＲＱのＲＶ（Ｒｅｄｕｎｄａｎｃｙ  Ｖｅｒｓｉｏｎ：反復バージョン）のように、それぞれ特徴が異なる各パケットとしてもよい（ＲＶ＝０，２，３，１）。この特徴は、一例としてはデータブロックの伝送開始位置とすることができる。
【００３８】
応答信号２４２は、サブフレーム２３４から４［ｍｓ］後のサブフレーム２３５においてｅＮＢ２１０からＵＥ２２０へ送信される、サブフレーム２３１〜２３４で送信されたパケットに対する応答信号である。図２Ｂに示す例では、応答信号２４２は、サブフレーム２３１〜２３４で送信されたパケットが示すデータを正常に受信（復号）できなかったことを示すＮＡＣＫ（否定信号）である。
【００３９】
ＵＥ２２０は、応答信号２４２（ＮＡＣＫ）を受信したため、サブフレーム２３１からＲＴＴ２４３が経過したサブフレーム２３６〜２３９において、サブフレーム２３１〜２３４と同一のデータを示すパケットを連続して４回送信するＴＴＩバンドリングを行う。ＲＴＴ２４３は、ＵＥ２２０がデータを送信してから該データを再送するまでの時間である。ＲＴＴ２４３は、図２Ｂに示す例では１６［ｍｓ］のＲＴＴ（Ｒｏｕｎｄ  Ｔｒｉｐ  Ｔｉｍｅ：ラウンドトリップタイム）である。
【００４０】
（ＴＴＩバンドルサイズの変更）
図３は、ＴＴＩバンドルサイズの変更の一例を示す図である。図３において、横軸は時間（サブフレーム）を示す。図３に示す新規送信３０１において、ＵＥ２２０は、同一の新規データを示すパケットを８回（８サブフレーム）連続してｅＮＢ２１０へ送信するＴＴＩバンドリング（ＴＴＩバンドルサイズ＝８ＴＴＩ）を行っている。また、新規送信３０１の次の新規送信３０２において、ＵＥ２２０は、同一の新規データを示すパケットを４回（４サブフレーム）連続してｅＮＢ２１０へ送信するＴＴＩバンドリング（ＴＴＩバンドルサイズ＝４ＴＴＩ）を行っている。
【００４１】
また、新規送信３０２の次の新規送信３０３において、ＵＥ２２０は、同一の新規データを示すパケットを２回（２サブフレーム）連続してｅＮＢ２１０へ送信するＴＴＩバンドリング（ＴＴＩバンドルサイズ＝２ＴＴＩ）を行っている。また、新規送信３０３の次の新規送信３０４において、ＵＥ２２０は、新規データを示すパケットを１回（１サブフレーム）ｅＮＢ２１０へ送信するＴＴＩバンドリング（ＴＴＩバンドルサイズ＝１ＴＴＩ）を行っている。新規送信３０４は、ＴＴＩバンドルサイズが１であるため、実質的にＴＴＩバンドリングが無効である状態と同様である。
【００４２】
後述のＬＴＥのＡｌｔ．６．３においては、図３に示すように、ＴＴＩバンドリングのＴＴＩバンドルサイズを可変にすることが検討されている。このために、ｅＮＢ２１０は、制御信号を用いてＵＥ２２０にＴＴＩバンドルサイズを通知する。この際に、ｅＮＢ２１０は、たとえばＵＬグラントに格納するＴＰＣコマンドを用いてＵＥ２２０にＴＴＩバンドルサイズを通知する。ＴＰＣコマンドは、ＵＥ２２０の送信電力を制御するために設定される制御信号の領域（たとえば２［ｂｉｔ］）である。ＵＥ２２０は、ｅＮＢ２１０から受信したＵＬグラントに格納されたＴＰＣコマンドに基づいてＴＴＩバンドルサイズを調整する。
【００４３】
たとえば上位レイヤの制御によってｅＮＢ２１０とＵＥ２２０との間のＴＴＩバンドリングが有効化された場合に、ｅＮＢ２１０およびＵＥ２２０は、送信電力制御モードと、ＴＴＩバンドルサイズ制御モードと、に切り替え可能な状態となる。
【００４４】
たとえば、送信電力制御モードにおいては、ＵＥ２２０は、ＵＥ２２０のＴＴＩバンドルサイズを１（最小値）に固定する。そして、ｅＮＢ２１０は、ＴＰＣコマンドを用いてＵＥ２２０に送信電力を通知する。また、ＵＥ２２０は、ＴＰＣコマンドに基づいてＵＥ２２０の送信電力を調整する。
【００４５】
一方、ＴＴＩバンドルサイズ制御モードにおいては、ＵＥ２２０は、ＵＥ２２０の送信電力を最大値に固定する。そして、ｅＮＢ２１０は、ＴＰＣコマンドを用いてＵＥ２２０にＴＴＩバンドルサイズを通知する。また、ＵＥ２２０は、ＴＰＣコマンドに基づいてＵＥ２２０のＴＴＩバンドルサイズを調整する。
【００４６】
このように、ＴＴＩバンドルサイズを固定する送信電力制御モードと、送信電力を固定するＴＴＩバンドルサイズ制御モードと、を切り替えることにより、送信電力を制御するためのＴＰＣコマンドを用いてＴＴＩバンドルサイズの制御も行うことができる。これにより、ＵＥ２２０のＴＴＩバンドルサイズを可変とする場合の制御情報のオーバーヘッドの増加を抑えることができる。このため、無線チャネルの変動に追従してＴＴＩバンドルサイズを制御可能にしつつ、制御情報のオーバーヘッドの増加を抑えることができる。
【００４７】
（ＵＬグラントのビットマップの第１例）
図４Ａは、送信電力制御モードにおけるＵＬグラントのビットマップの第１例を示す図である。図４Ａに示すテーブル４１０は、送信電力制御モードにおける、ＴＰＣコマンドと、ＴＰＣコマンドによる通知内容と、の対応関係を示す。
【００４８】
たとえば、送信電力制御モードにおけるＴＰＣコマンド＝“００”は、ＴＴＩバンドルサイズ制御モードに移行することを示す。また、送信電力制御モードにおけるＴＰＣコマンド＝“０１”は、ＴＴＩバンドルサイズを１に維持し、送信電力増分を−１［ｄＢ］とすることを示す。
【００４９】
また、送信電力制御モードにおけるＴＰＣコマンド＝“１０”は、ＴＴＩバンドルサイズを１に維持し、送信電力増分を０［ｄＢ］（変化なし）とすることを示す。また、送信電力制御モードにおけるＴＰＣコマンド＝“１１”は、ＴＴＩバンドルサイズを１に維持し、送信電力増分を１［ｄＢ］とすることを示す。
【００５０】
図４Ｂは、ＴＴＩバンドルサイズ制御モードにおけるＵＬグラントのビットマップの第１例を示す図である。図４Ｂに示すテーブル４２０は、ＴＴＩバンドルサイズ制御モードにおける、ＴＰＣコマンドと、ＴＰＣコマンドによる通知内容と、の対応関係を示す。
【００５１】
たとえば、ＴＴＩバンドルサイズ制御モードにおけるＴＰＣコマンド＝“００”は、ＴＴＩバンドルサイズを１とし、送信電力制御モードに移行することを示す。また、ＴＴＩバンドルサイズ制御モードにおけるＴＰＣコマンド＝“０１”は、ＴＴＩバンドルサイズを２とすることを示す。
【００５２】
また、ＴＴＩバンドルサイズ制御モードにおけるＴＰＣコマンド＝“１０”は、ＴＴＩバンドルサイズを４とすることを示す。また、ＴＴＩバンドルサイズ制御モードにおけるＴＰＣコマンド＝“１１”は、ＴＴＩバンドルサイズを８とすることを示す。
【００５３】
（ＵＬグラントのビットマップの第２例）
図５Ａは、送信電力制御モードにおけるＵＬグラントのビットマップの第２例を示す図である。図５Ａに示すテーブル５１０は、送信電力制御モードにおける、ＴＰＣコマンドと、ＴＰＣコマンドによる通知内容と、の対応関係を示す。
【００５４】
たとえば、送信電力制御モードにおけるＴＰＣコマンド＝“００”は、ＴＴＩバンドルサイズを１に維持し、送信電力増分を−１［ｄＢ］とすることを示す。また、送信電力制御モードにおけるＴＰＣコマンド＝“０１”は、ＴＴＩバンドルサイズを１に維持し、送信電力増分を０［ｄＢ］とすることを示す。
【００５５】
また、送信電力制御モードにおけるＴＰＣコマンド＝“１０”は、ＴＴＩバンドルサイズを１に維持し、送信電力増分を１［ｄＢ］とすることを示す。また、送信電力制御モードにおけるＴＰＣコマンド＝“１１”は、ＴＴＩバンドルサイズを１に維持し、送信電力増分を３［ｄＢ］とすることを示す。
【００５６】
このように、ＴＴＩバンドルサイズ制御モードへの移行をＴＰＣコマンドによって明示的に通知しなくてもよい。この場合は、ｅＮＢ２１０およびＵＥ２２０は、たとえばＰＨＲ（Ｐｏｗｅｒ  Ｈｅａｄｒｏｏｍ  Ｒｅｐｏｒｔｉｎｇ：送信電力余裕量報告）に基づいて、ＴＴＩバンドルサイズ制御モードへの移行を判断することができる。これにより、ＴＰＣコマンドによって指示可能な送信電力増分の種類が増えるため、より柔軟なＵＥ２２０の送信電力の制御が可能になる。
【００５７】
ＰＨＲは、ＵＥ２２０の送信電力の状態を示す情報であって、たとえば、ＵＥ２２０の最大送信電力と、ｅＮＢ２１０による所望の送信電力と、の差分を示す。また、ＰＨＲは、ＭＡＣコントロールエレメントとして、ＵＥ２２０からｅＮＢ２１０への上りデータ信号に付随して送信される。
【００５８】
ＰＨＲは、たとえばＵＥ２２０の送信電力が最大値に達する場合は０以下の値（所定値）となる。したがって、ｅＮＢ２１０は、ＵＥ２２０から受信したＰＨＲが０以下である場合にＴＴＩバンドルサイズ制御モードへ移行する。また、ＵＥ２２０は、ｅＮＢ２１０へ送信するＰＨＲが０以下である場合にＴＴＩバンドルサイズ制御モードへ移行する。これにより、送信電力制御モードにおいて、ＵＥ２２０の送信電力が最大値に達する場合にＴＴＩバンドルサイズ制御モードへ移行することができる。
【００５９】
図５Ｂは、ＴＴＩバンドルサイズ制御モードにおけるＵＬグラントのビットマップの第２例を示す図である。図５Ｂに示すテーブル５２０は、ＴＴＩバンドルサイズ制御モード、すなわちＵＥ２２０の送信電力が最大値に達している場合（最大送信電力時）における、ＴＰＣコマンドと、ＴＰＣコマンドによる通知内容と、の対応関係を示す。図５Ｂに示すテーブル５２０は、たとえば図４Ｂに示したテーブル４２０と同様にすることができる。以下、実施の形態２について、図５Ａ，図５Ｂに示したＵＬグラントのビットマップ（第２例）を用いる場合について説明する。
【００６０】
（送信電力制御コマンド決定方法）
図６Ａは、送信電力制御モードにおける送信電力制御コマンド決定方法の一例を示す図である。図６Ａに示すテーブル６１０は、送信電力制御モードにおける、受信ＳＩＮＲの測定値の目標値との差分Ｄｉｆｆに関する条件と、ｅＮＢ２１０が選択するＴＰＣコマンドと、の対応関係を示す。差分Ｄｉｆｆは、ｅＮＢ２１０におけるＵＥ２２０からの受信品質である受信ＳＩＮＲの測定値から所定の目標値を減じた値である。
【００６１】
たとえば、ｅＮＢ２１０は、Ｄｉｆｆ＞０．５［ｄＢ］である場合は、送信電力増分＝−１［ｄＢ］を示すＴＰＣコマンド＝“００”を選択する。また、ｅＮＢ２１０は、０．５［ｄＢ］≧Ｄｉｆｆ＞−０．５［ｄＢ］である場合は、送信電力増分＝０［ｄＢ］を示すＴＰＣコマンド＝“０１”を選択する。また、ｅＮＢ２１０は、−０．５［ｄＢ］≧Ｄｉｆｆ＞−１．５ｄＢ［ｄＢ］である場合は、送信電力増分＝１［ｄＢ］を示すＴＰＣコマンド＝“１０”を選択する。また、ｅＮＢ２１０は、−１．５［ｄＢ］≧Ｄｉｆｆである場合は、送信電力増分＝３［ｄＢ］を示すＴＰＣコマンド＝“１１”を選択する。
【００６２】
図６Ｂおよび図６Ｃは、ＴＴＩバンドルサイズ制御モードにおける送信電力制御コマンド決定方法の一例を示す図である。図６Ｂに示すテーブル６２０は、ＴＴＩバンドルサイズ制御モードにおける、受信ＳＩＮＲの測定値の目標値との差分Ｄｉｆｆに関する条件と、ｅＮＢ２１０が選択するＴＴＩバンドルサイズの調整量と、の対応関係を示す。
【００６３】
たとえば、ｅＮＢ２１０は、Ｄｉｆｆ＞７．５［ｄＢ］である場合は、ＴＴＩバンドルサイズの調整量として１／８倍を選択する。また、ｅＮＢ２１０は、７．５［ｄＢ］≧Ｄｉｆｆ＞４．５［ｄＢ］である場合は、ＴＴＩバンドルサイズの調整量として１／４倍を選択する。また、ｅＮＢ２１０は、４．５［ｄＢ］≧Ｄｉｆｆ＞１．５［ｄＢ］である場合は、ＴＴＩバンドルサイズの調整量として１／２倍を選択する。
【００６４】
また、ｅＮＢ２１０は、１．５［ｄＢ］≧Ｄｉｆｆ＞−１．５［ｄＢ］である場合は、ＴＴＩバンドルサイズの調整量として１倍（変化なし）を選択する。また、ｅＮＢ２１０は、−１．５［ｄＢ］≧Ｄｉｆｆ＞−４．５［ｄＢ］である場合は、ＴＴＩバンドルサイズの調整量として２倍を選択する。また、ｅＮＢ２１０は、−４．５［ｄＢ］≧Ｄｉｆｆ＞−７．５［ｄＢ］である場合は、ＴＴＩバンドルサイズの調整量として４倍を選択する。また、ｅＮＢ２１０は、−７．５［ｄＢ］≧Ｄｉｆｆである場合は、ＴＴＩバンドルサイズの調整量として８倍を選択する。
【００６５】
図６Ｃに示すテーブル６３０は、ＴＴＩバンドルサイズ制御モードにおける、選択したＴＴＩバンドルサイズの調整量に基づくＴＴＩバンドルサイズの調整結果と、ｅＮＢ２１０が選択するＴＰＣコマンドと、の対応関係を示す。たとえば、ｅＮＢ２１０は、調整結果≦１である場合は、ＴＴＩバンドルサイズ＝１、かつ送信電力制御モードへの移行を示すＴＰＣコマンド＝“００”を選択する。
【００６６】
また、ｅＮＢ２１０は、調整結果＝２である場合は、ＴＴＩバンドルサイズ＝２を示すＴＰＣコマンド＝“０１”を選択する。また、ｅＮＢ２１０は、調整結果＝４である場合は、ＴＴＩバンドルサイズ＝４を示すＴＰＣコマンド＝“１０”を選択する。また、ｅＮＢ２１０は、調整結果≧８である場合は、ＴＴＩバンドルサイズ＝８を示すＴＰＣコマンド＝“１１”を選択する。
【００６７】
（実施の形態２にかかる無線通信システムの動作）
図７は、実施の形態２にかかる無線通信システムの動作の一例を示すシーケンス図である。実施の形態２にかかる無線通信システム２００においては、たとえば以下の各ステップが行われる。
【００６８】
まず、ｅＮＢ２１０が、ＵＥ２２０との間のＴＴＩバンドリングを有効化する（ステップＳ７０１）。つぎに、ｅＮＢ２１０が、ＴＴＩバンドリングを有効にすることを指示する上位レイヤ制御信号（ＴＴＩバンドリング＝ＴＲＵＥ）をＵＥ２２０へ送信する（ステップＳ７０２）。
【００６９】
つぎに、ＵＥ２２０が、ｅＮＢ２１０との間のＴＴＩバンドリングを有効化する（ステップＳ７０３）。図７に示す例では、ＴＴＩバンドリングを有効化したｅＮＢ２１０およびＵＥ２２０は、初期モードとしてＴＴＩバンドルサイズ制御モードになるとする。
【００７０】
つぎに、ＵＥ２２０が、ｅＮＢ２１０へサウンディングＲＳ（Ｒｅｆｅｒｅｎｃｅ  Ｓｉｇｎａｌ：参照信号）を送信する（ステップＳ７０４）。つぎに、ｅＮＢ２１０が、ステップＳ７０４によって送信されたサウンディングＲＳに基づく受信品質を測定する（ステップＳ７０５）。受信品質は、たとえば受信ＳＩＮＲである。図７に示す例では、ｅＮＢ２１０は、ステップＳ７０５によって測定した受信品質に基づいて、ＵＥ２２０のＴＴＩバンドルサイズを１ＴＴＩに変更させることを決定したとする。
【００７１】
つぎに、ｅＮＢ２１０が、ステップＳ７０５によって測定した受信品質に基づくＵＬグラントをＵＥ２２０へ送信する（ステップＳ７０６）。ステップＳ７０６のＵＬグラントには、ＴＰＣコマンド＝“００”が含まれる。すなわち、ステップＳ７０６のＵＬグラントは、ＴＴＩバンドルサイズを１ＴＴＩに設定し、送信電力制御モードに移行することを指示するＴＰＣコマンドを含む（たとえば図５Ｂ参照）。
【００７２】
つぎに、ＵＥ２２０が、ステップＳ７０６によって送信されたＵＬグラントに含まれるＴＰＣコマンドに基づいて、ＵＥ２２０のＴＴＩバンドルサイズを１ＴＴＩに調整する（ステップＳ７０７）。つぎに、ＵＥ２２０が、ステップＳ７０６によって送信されたＵＬグラントによって指示された無線リソースにより、ＰＵＳＣＨおよびＰＨＲを送信する（ステップＳ７０８）。ステップＳ７０８におけるＰＵＳＣＨの送信は、ＰＵＳＣＨを１回だけ送信するＴＴＩバンドリングにより行われる。
【００７３】
また、ステップＳ７０６により、ｅＮＢ２１０およびＵＥ２２０は送信電力制御モードに移行する。
【００７４】
つぎに、ＵＥ２２０が、ｅＮＢ２１０へサウンディングＲＳを送信する（ステップＳ７０９）。つぎに、ｅＮＢ２１０が、ステップＳ７０９によって送信されたサウンディングＲＳに基づく受信品質を測定する（ステップＳ７１０）。図７に示す例では、ｅＮＢ２１０は、ステップＳ７１０によって測定した受信品質に基づいて、ＵＥ２２０の送信電力を３［ｄＢ］増加させることを決定したとする。
【００７５】
つぎに、ｅＮＢ２１０が、ステップＳ７１０によって測定した受信品質に基づくＵＬグラントをＵＥ２２０へ送信する（ステップＳ７１１）。ステップＳ７１１のＵＬグラントには、ＴＰＣコマンド＝“１１”が含まれる。すなわち、ステップＳ７１１のＵＬグラントは、送信電力を３［ｄＢ］増加させることを指示するＴＰＣコマンドを含む（たとえば図５Ａ参照）。
【００７６】
つぎに、ＵＥ２２０が、ステップＳ７１１によって送信されたＵＬグラントに含まれるＴＰＣコマンドに基づいて送信電力を３［ｄＢ］増加させるように調整する（ステップＳ７１２）。ステップＳ７１２によって、ＵＥ２２０の送信電力が最大送信電力に到達したとする。したがって、ＵＥ２２０のＰＨＲは０以下となる。
【００７７】
つぎに、ＵＥ２２０が、ステップＳ７１１によって送信されたＵＬグラントによって指示された無線リソースにより、ＰＵＳＣＨおよびＰＨＲを送信する（ステップＳ７１３）。ステップＳ７１３におけるＰＵＳＣＨの送信は、ＰＵＳＣＨを１回だけ送信するＴＴＩバンドリングにより行われる。
【００７８】
ＵＥ２２０のＰＨＲが０［ｄＢ］以下になったことにより、ｅＮＢ２１０およびＵＥ２２０はＴＴＩバンドルサイズ制御モードへ移行する。
【００７９】
つぎに、ＵＥ２２０が、ｅＮＢ２１０へサウンディングＲＳを送信する（ステップＳ７１４）。つぎに、ｅＮＢ２１０が、ステップＳ７１４によって送信されたサウンディングＲＳに基づく受信品質を測定する（ステップＳ７１５）。図７に示す例では、ｅＮＢ２１０は、ステップＳ７１４によって測定した受信品質に基づいて、ＵＥ２２０のＴＴＩバンドルサイズを２ＴＴＩに変更することを決定したとする。
【００８０】
つぎに、ｅＮＢ２１０が、ステップＳ７１５によって測定した受信品質に基づくＵＬグラントをＵＥ２２０へ送信する（ステップＳ７１６）。ステップＳ７１６のＵＬグラントには、ＴＰＣコマンド＝“０１”が含まれる。すなわち、ステップＳ７１６のＵＬグラントは、ＴＴＩバンドルサイズを２ＴＴＩに設定することを指示するＴＰＣコマンドを含む（たとえば図５Ｂ参照）。
【００８１】
つぎに、ＵＥ２２０が、ステップＳ７１６によって送信されたＵＬグラントに含まれるＴＰＣコマンドに基づいて、ＴＴＩバンドルサイズを２ＴＴＩに調整する（ステップＳ７１７）。つぎに、ＵＥ２２０が、ステップＳ７１６によって送信されたＵＬグラントによって指示された無線リソースにより、ＰＵＳＣＨおよびＰＨＲを送信する（ステップＳ７１８）。ステップＳ７１８におけるＰＵＳＣＨの送信は、同一データを示すＰＵＳＣＨを２回だけ連続して送信するＴＴＩバンドリングにより行われる。
【００８２】
なお、ステップＳ７０４，Ｓ７０９，Ｓ７１４によるサウンディングＲＳの送信は、たとえばＵＥ２２０による周期的なサウンディングＲＳの送信であってもよい。
【００８３】
（実施の形態２にかかるｅＮＢ）
図８Ａは、実施の形態２にかかるｅＮＢの一例を示す図である。図８Ｂは、図８Ａに示したｅＮＢにおける信号の流れの一例を示す図である。図８Ａ，図８Ｂに示すように、実施の形態２にかかるｅＮＢ２１０は、受信アンテナ８０１と、受信ＲＦ部８０２と、ＰＵＳＣＨ復調部８０３と、受信ＳＩＮＲ推定部８０４と、を備える。
【００８４】
また、ｅＮＢ２１０は、送信電力制御コマンド生成部８０５と、ＴＴＩバンドリングコマンド生成部８０６と、ＰＵＳＣＨスケジューラ８０７と、ＵＬグラント生成部８０８と、長区間受信品質判定部８０９と、ＰＤＳＣＨ生成部８１０と、を備える。また、ｅＮＢ２１０は、物理チャネル多重部８１１と、送信ＲＦ部８１２と、送信アンテナ８１３と、モード切替制御部８１４と、を備える。
【００８５】
受信アンテナ８０１は、ＵＥ２２０から無線送信された上り信号（上り受信信号）を受信し、受信した信号を受信ＲＦ部８０２へ出力する。受信ＲＦ部８０２は、受信アンテナ８０１から出力された信号の受信ＲＦ処理を行う。受信ＲＦ処理には、たとえばＲＦ（Ｒａｄｉｏ  Ｆｒｅｑｕｅｎｃｙ：高周波）帯からベースバンド帯への周波数変換が含まれる。受信ＲＦ部８０２は、受信ＲＦ処理によって得られた信号をＰＵＳＣＨ復調部８０３および受信ＳＩＮＲ推定部８０４へ出力する。
【００８６】
ＰＵＳＣＨ復調部８０３は、受信ＲＦ部８０２から出力された信号に含まれるＰＵＳＣＨおよびＰＨＲを復調する。そして、ＰＵＳＣＨ復調部８０３は、復調したＰＨＲをモード切替制御部８１４へ出力する。
【００８７】
受信ＳＩＮＲ推定部８０４は、受信ＲＦ部８０２から出力された信号に含まれる参照信号（たとえばＵＥ２２０からのサウンディングＲＳ）に基づく受信ＳＩＮＲを推定する。そして、受信ＳＩＮＲ推定部８０４は、推定した受信ＳＩＮＲを送信電力制御コマンド生成部８０５およびＴＴＩバンドリングコマンド生成部８０６、長区間受信品質判定部８０９およびモード切替制御部８１４へ出力する。
【００８８】
送信電力制御コマンド生成部８０５は、モード切替制御部８１４からの切替結果に基づいて、送信電力制御モード時に、受信ＳＩＮＲ推定部８０４から出力された受信ＳＩＮＲに基づくＵＥ２２０への送信電力制御コマンドを生成する。送信電力制御コマンドは、送信電力を指示する情報である。送信電力制御コマンド生成部８０５は、生成した送信電力制御コマンドをＵＬグラント生成部８０８へ出力する。
【００８９】
ＴＴＩバンドリングコマンド生成部８０６は、モード切替制御部８１４からの切替結果に基づいて、ＴＴＩバンドルサイズ制御モード時に、受信ＳＩＮＲ推定部８０４から出力された受信ＳＩＮＲに基づくＵＥ２２０へのＴＴＩバンドリングコマンドを生成する。ＴＴＩバンドリングコマンドは、ＴＴＩバンドルサイズを指示する情報である。ＴＴＩバンドリングコマンド生成部８０６は、生成したＴＴＩバンドリングコマンドをＰＵＳＣＨスケジューラ８０７およびＵＬグラント生成部８０８へ出力する。
【００９０】
ＰＵＳＣＨスケジューラ８０７は、ＴＴＩバンドリングコマンド生成部８０６から出力されたＴＴＩバンドリングコマンドに基づいて、ＵＥ２２０のＰＵＳＣＨのスケジューリングを行う。たとえば、ＰＵＳＣＨスケジューラ８０７は、ＴＴＩバンドリングコマンドが示すＴＴＩバンドルサイズに対応する連続したサブフレームをＵＥ２２０に割り当てるスケジューリングを行う。そして、ＰＵＳＣＨスケジューラ８０７は、ＰＵＳＣＨのスケジューリング結果をＵＬグラント生成部８０８へ出力する。
【００９１】
ＵＬグラント生成部８０８は、ＰＵＳＣＨスケジューラ８０７から出力されたＰＵＳＣＨのスケジューリング結果を示すＵＬグラントを生成する。ＵＬグラントは、ＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）としてＵＥ２２０へ送信される下りの制御情報である。
【００９２】
また、ＵＬグラント生成部８０８は、送信電力制御コマンド生成部８０５から出力された送信電力制御コマンドまたはＴＴＩバンドリングコマンド生成部８０６から出力されたＴＴＩバンドリングコマンドを、ＵＬグラントにＴＰＣコマンドとして格納する。そして、ＵＬグラント生成部８０８は、ＴＰＣコマンドを格納したＵＬグラントを物理チャネル多重部８１１へ出力する。
【００９３】
長区間受信品質判定部８０９は、受信ＳＩＮＲ推定部８０４から出力される受信ＳＩＮＲの時間平均を算出し、算出結果を閾値と比較することにより、ＵＥ２２０の長区間の受信品質を判定する。時間平均にはたとえば移動平均を用いることができる。長区間受信品質判定部８０９は、長区間の受信品質の判定結果に基づく、ＴＴＩバンドリングの有効／無効を示す上位レイヤ制御信号をＰＤＳＣＨ生成部８１０およびモード切替制御部８１４へ出力する。上位レイヤ制御信号は、たとえばＲＬＣ（Ｒａｄｉｏ  Ｌｉｎｋ  Ｃｏｎｔｒｏｌ：無線リンク制御）層の制御信号である。
【００９４】
ＰＤＳＣＨ生成部８１０は、長区間受信品質判定部８０９から出力された上位レイヤ制御信号を含むＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）を生成する。そして、ＰＤＳＣＨ生成部８１０は、生成したＰＤＳＣＨを物理チャネル多重部８１１へ出力する。
【００９５】
物理チャネル多重部８１１は、ＵＬグラント生成部８０８から出力されたＵＬグラント（ＰＤＣＣＨ）と、ＰＤＳＣＨ生成部８１０から出力されたＰＤＳＣＨと、を多重化する。そして、物理チャネル多重部８１１は、多重化により得られた信号（多重化信号）を送信ＲＦ部８１２へ出力する。
【００９６】
送信ＲＦ部８１２は、物理チャネル多重部８１１から出力された信号の送信ＲＦ処理を行う。送信ＲＦ処理には、たとえば、ベースバンド帯からＲＦ帯への周波数変換が含まれる。送信ＲＦ部８１２は、送信ＲＦ処理を行った信号を送信アンテナ８１３へ出力する。送信アンテナ８１３は、送信ＲＦ部８１２から出力された信号（下り送信信号）をＵＥ２２０へ無線送信する。
【００９７】
モード切替制御部８１４は、長区間受信品質判定部８０９から出力された上位レイヤ制御信号に基づいて、ｅＮＢ２１０とＵＥ２２０との間のＴＴＩバンドリングが有効化されると、ＴＴＩバンドルサイズ制御モードと送信電力制御モードとの切替制御を開始する。具体的には、モード切替制御部８１４は、受信ＳＩＮＲ推定部８０４から出力された受信ＳＩＮＲ、あるいはＰＵＳＣＨ復調部８０３から出力されたＰＨＲに基づいて各モードの切替を行う。そして、モード切替制御部８１４は、切替結果を送信電力制御コマンド生成部８０５およびＴＴＩバンドリングコマンド生成部８０６へ出力する。
【００９８】
図１Ａ，図１Ｂに示した送信部１１１は、たとえば物理チャネル多重部８１１、送信ＲＦ部８１２および送信アンテナ８１３により実現することができる。図１Ａ，図１Ｂに示した制御部１１２は、たとえば送信電力制御コマンド生成部８０５、ＴＴＩバンドリングコマンド生成部８０６、ＵＬグラント生成部８０８、長区間受信品質判定部８０９およびモード切替制御部８１４により実現することができる。
【００９９】
図８Ｃは、ｅＮＢのハードウェア構成の一例を示す図である。図８Ａ，図８Ｂに示したｅＮＢ２１０は、たとえば図８Ｃに示す通信装置８３０によって実現することができる。通信装置８３０は、ＣＰＵ８３１と、メモリ８３２と、無線通信インタフェース８３３と、有線通信インタフェース８３４と、を備える。ＣＰＵ８３１、メモリ８３２、無線通信インタフェース８３３および有線通信インタフェース８３４は、バス８３９によって接続される。
【０１００】
ＣＰＵ８３１（Ｃｅｎｔｒａｌ  Ｐｒｏｃｅｓｓｉｎｇ  Ｕｎｉｔ）は、通信装置８３０の全体の制御を司る。メモリ８３２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ８３１のワークエリアとして使用される。補助メモリは、たとえば磁気ディスク、光ディスク、フラッシュメモリなどの不揮発メモリである。補助メモリには、通信装置８３０を動作させる各種のプログラムが記憶されている。補助メモリに記憶されたプログラムは、メインメモリにロードされてＣＰＵ８３１によって実行される。
【０１０１】
無線通信インタフェース８３３は、無線によって通信装置８３０の外部（たとえばＵＥ２２０）との間で通信を行う通信インタフェースである。無線通信インタフェース８３３は、ＣＰＵ８３１によって制御される。
【０１０２】
有線通信インタフェース８３４は、有線によって通信装置８３０の外部（たとえば上位装置）との間で通信を行う通信インタフェースである。有線通信インタフェース８３４は、ＣＰＵ８３１によって制御される。
【０１０３】
図８Ａ，図８Ｂに示した受信アンテナ８０１、受信ＲＦ部８０２、送信ＲＦ部８１２および送信アンテナ８１３は、たとえば無線通信インタフェース８３３により実現することができる。図８Ａ，図８Ｂに示したＰＵＳＣＨ復調部８０３、受信ＳＩＮＲ推定部８０４、送信電力制御コマンド生成部８０５、ＴＴＩバンドリングコマンド生成部８０６およびＰＵＳＣＨスケジューラ８０７は、たとえばＣＰＵ８３１により実現することができる。図８Ａ，図８Ｂに示したＵＬグラント生成部８０８、長区間受信品質判定部８０９、ＰＤＳＣＨ生成部８１０、物理チャネル多重部８１１、送信ＲＦ部８１２、送信アンテナ８１３、モード切替制御部８１４は、たとえばＣＰＵ８３１により実現することができる。
【０１０４】
（実施の形態２にかかるＵＥ）
図９Ａは、実施の形態２にかかるＵＥの一例を示す図である。図９Ｂは、図９Ａに示したＵＥにおける信号の流れの一例を示す図である。図９Ａ，図９Ｂに示すように、実施の形態２にかかるＵＥ２２０は、受信アンテナ９０１と、受信ＲＦ部９０２と、ＰＤＳＣＨ復調部９０３と、ＰＤＣＣＨ復調部９０４と、モード切替制御部９０５と、送信電力算出部９０６と、を備える。また、ＵＥ２２０は、ＴＴＩバンドリング制御部９０７と、ＰＵＳＣＨスケジューラ９０８と、ＳＲＳ生成部９０９と、物理チャネル多重部９１０と、送信電力制御部９１１と、送信ＲＦ部９１２と、送信アンテナ９１３と、を備える。
【０１０５】
受信アンテナ９０１は、ｅＮＢ２１０から無線送信された下り信号（下り受信信号）を受信し、受信した信号を受信ＲＦ部９０２へ出力する。受信ＲＦ部９０２は、受信アンテナ９０１から出力された信号の受信ＲＦ処理を行う。受信ＲＦ処理には、たとえばＲＦ帯からベースバンド帯への周波数変換が含まれる。受信ＲＦ部９０２は、受信ＲＦ処理によって得られた信号をＰＤＳＣＨ復調部９０３およびＰＤＣＣＨ復調部９０４へ出力する。
【０１０６】
ＰＤＳＣＨ復調部９０３は、受信ＲＦ部９０２から出力された信号に含まれるＰＤＳＣＨを復調する。そして、ＰＤＳＣＨ復調部９０３は、復調したＰＤＳＣＨに含まれる上位レイヤ制御信号をモード切替制御部９０５へ出力する。
【０１０７】
ＰＤＣＣＨ復調部９０４は、受信ＲＦ部９０２から出力された信号に含まれるＰＤＣＣＨを復調する。そして、ＰＤＣＣＨ復調部９０４は、復調したＰＤＣＣＨ（ＵＬグラント）をモード切替制御部９０５、送信電力算出部９０６、ＴＴＩバンドリング制御部９０７およびＰＵＳＣＨスケジューラ９０８へ出力する。
【０１０８】
モード切替制御部９０５は、ＰＤＳＣＨ復調部９０３から出力された上位レイヤ制御信号に基づいて、ｅＮＢ２１０との間のＴＴＩバンドリングが有効化されると、ＴＴＩバンドルサイズ制御モードと送信電力制御モードとの切替制御を開始する。具体的には、モード切替制御部９０５は、ＰＤＣＣＨ復調部９０４から出力されたＵＬグラント（ＰＤＣＣＨ）のＴＰＣ領域に格納されたＴＰＣコマンドに基づいて、各モードの切り替えを行う。
【０１０９】
また、モード切替制御部９０５は、送信電力算出部９０６から出力されたＰＨＲが０以下である場合は、次回の送信からＴＴＩバンドルサイズ制御モードに切り替える。モード切替制御部９０５は、モードの切替結果を、送信電力算出部９０６およびＴＴＩバンドリング制御部９０７へ出力する。
【０１１０】
送信電力算出部９０６は、モード切替制御部９０５から出力された切替結果に基づいて、送信電力制御モード時に、ＰＤＣＣＨ復調部９０４から出力されたＵＬグラントに基づいてＵＥ２２０の送信電力を調整した場合のＵＥ２２０の送信電力を算出する。そして、送信電力算出部９０６は、算出した送信電力を送信電力制御部９１１へ通知する。また、送信電力算出部９０６は、算出した送信電力とＵＥ２２０の最大送信電力とに基づくＰＨＲをモード切替制御部９０５およびＰＵＳＣＨスケジューラ９０８へ出力する。
【０１１１】
ＴＴＩバンドリング制御部９０７は、モード切替制御部９０５から出力された切替結果に基づいて、ＴＴＩバンドルサイズ制御モード時に、ＰＤＣＣＨ復調部９０４から出力されたＵＬグラントに格納されたＴＰＣコマンドを取得する。そして、ＴＴＩバンドリング制御部９０７は、取得したＴＰＣコマンドに基づくＴＴＩバンドルサイズを決定する。つぎに、ＴＴＩバンドリング制御部９０７は、決定したＴＴＩバンドルサイズをＰＵＳＣＨスケジューラ９０８へ通知する。
【０１１２】
ＰＵＳＣＨスケジューラ９０８は、ＰＤＣＣＨ復調部９０４から出力されたＵＬグラントに基づいて、ＵＥ２２０からｅＮＢ２１０へのＰＵＳＣＨのスケジューリングを行う。また、ＰＵＳＣＨスケジューラ９０８は、ＴＴＩバンドリング制御部９０７から出力されたＴＴＩバンドルサイズによって連続送信するようにＰＵＳＣＨのスケジューリングを行う。ＰＵＳＣＨスケジューラ９０８は、スケジューリング結果に基づくＰＵＳＣＨを物理チャネル多重部９１０へ出力する。また、ＰＵＳＣＨスケジューラ９０８は、送信電力算出部９０６から出力されたＰＨＲのスケジューリングを行い、スケジューリング結果に基づいてＰＨＲを物理チャネル多重部９１０へ出力する。
【０１１３】
ＳＲＳ生成部９０９は、周期的なサウンディングＲＳ（Ｓｏｕｎｄｉｎｇ  Ｒｅｆｅｒｅｎｃｅ  Ｓｉｇｎａｌ）を生成して物理チャネル多重部９１０へ出力する。
【０１１４】
物理チャネル多重部９１０は、ＰＵＳＣＨスケジューラ９０８から出力されたＰＵＳＣＨおよびＰＨＲと、ＳＲＳ生成部９０９から出力されたサウンディングＲＳと、を多重化する。そして、物理チャネル多重部９１０は、多重化により得られた信号（多重化信号）を送信電力制御部９１１へ出力する。
【０１１５】
送信電力制御部９１１は、送信電力算出部９０６から通知された送信電力となるように、物理チャネル多重部９１０から出力された信号の送信電力を制御する。そして、送信電力制御部９１１は、送信電力を制御した信号を送信ＲＦ部９１２へ出力する。
【０１１６】
送信ＲＦ部９１２は、送信電力制御部９１１から出力された信号の送信ＲＦ処理を行う。送信ＲＦ処理には、たとえば、ベースバンド帯からＲＦ帯への周波数変換が含まれる。送信ＲＦ部９１２は、送信ＲＦ処理を行った信号を送信アンテナ９１３へ出力する。送信アンテナ９１３は、送信ＲＦ部９１２から出力された信号（上り送信信号）をｅＮＢ２１０へ無線送信する。
【０１１７】
図１Ａ，図１Ｂに示した受信部１２１は、たとえば受信アンテナ９０１、受信ＲＦ部９０２およびＰＤＣＣＨ復調部９０４により実現することができる。図１Ａ，図１Ｂに示した制御部１２２は、たとえばモード切替制御部９０５、送信電力算出部９０６およびＴＴＩバンドリング制御部９０７により実現することができる。
【０１１８】
図９Ｃは、ＵＥのハードウェア構成の一例を示す図である。図９Ａ，図９Ｂに示したＵＥ２２０は、たとえば図９Ｃに示す通信装置９３０によって実現することができる。通信装置９３０は、ＣＰＵ９３１と、メモリ９３２と、ユーザインタフェース９３３と、無線通信インタフェース９３４と、を備える。ＣＰＵ９３１、メモリ９３２、ユーザインタフェース９３３および無線通信インタフェース９３４は、バス９３９によって接続される。
【０１１９】
ＣＰＵ９３１は、通信装置９３０の全体の制御を司る。メモリ９３２には、たとえばメインメモリおよび補助メモリが含まれる。メインメモリは、たとえばＲＡＭである。メインメモリは、ＣＰＵ９３１のワークエリアとして使用される。補助メモリは、たとえば磁気ディスク、フラッシュメモリなどの不揮発メモリである。補助メモリには、通信装置９３０を動作させる各種のプログラムが記憶されている。補助メモリに記憶されたプログラムは、メインメモリにロードされてＣＰＵ９３１によって実行される。
【０１２０】
ユーザインタフェース９３３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース９３３は、ＣＰＵ９３１によって制御される。
【０１２１】
無線通信インタフェース９３４は、無線によって通信装置９３０の外部（たとえばｅＮＢ２１０）との間で通信を行う通信インタフェースである。無線通信インタフェース９３４は、ＣＰＵ９３１によって制御される。
【０１２２】
図９Ａ，図９Ｂに示した受信アンテナ９０１、受信ＲＦ部９０２、送信ＲＦ部９１２および送信アンテナ９１３は、たとえば無線通信インタフェース９３４によって実現することができる。図９Ａ，図９Ｂに示したＰＤＳＣＨ復調部９０３、ＰＤＣＣＨ復調部９０４、モード切替制御部９０５、送信電力算出部９０６およびＴＴＩバンドリング制御部９０７は、たとえばＣＰＵ９３１によって実現することができる。図９Ａ，図９Ｂに示したＰＵＳＣＨスケジューラ９０８、ＳＲＳ生成部９０９、物理チャネル多重部９１０および送信電力制御部９１１は、たとえばＣＰＵ９３１によって実現することができる。
【０１２３】
（実施の形態２にかかるｅＮＢによる処理）
図１０Ａ〜図１０Ｃは、実施の形態２にかかるｅＮＢによる処理の一例を示すフローチャートである。実施の形態２にかかるｅＮＢ２１０は、たとえば図１０Ａ〜図１０Ｃに示す各ステップを実行する。まず、ｅＮＢ２１０は、ＵＥ２２０からの長区間の受信品質を測定する（ステップＳ１００１）。長区間の受信品質は、たとえば受信ＳＩＮＲの時間平均である。
【０１２４】
つぎに、ｅＮＢ２１０は、ステップＳ１００１の測定結果に基づいて、ＵＥ２２０からの長区間の受信品質が既定値以下であるか否かを判断する（ステップＳ１００２）。受信品質が既定値以下でない場合（ステップＳ１００２：Ｎｏ）は、ｅＮＢ２１０は、ＴＴＩバンドリングを無効（ＦＡＬＳＥ）にすることを示す上位レイヤ制御信号をＵＥ２２０へ送信する（ステップＳ１００３）。
【０１２５】
つぎに、ｅＮＢ２１０は、ＵＥ２２０からの瞬時受信品質を測定する（ステップＳ１００４）。瞬時受信品質は、たとえば受信ＳＩＮＲの瞬時値である。つぎに、ｅＮＢ２１０は、ステップＳ１００４によって測定した受信ＳＩＮＲが所定の目標値より高いか否かを判断する（ステップＳ１００５）。受信ＳＩＮＲが所定の目標値より高い場合（ステップＳ１００５：Ｙｅｓ）は、ｅＮＢ２１０は、ＴＰＣコマンドに“００”を設定し（ステップＳ１００６）、ステップＳ１０１２へ移行する。
【０１２６】
ステップＳ１００５において、受信ＳＩＮＲが所定の目標値より高くない場合（ステップＳ１００５：Ｎｏ）は、ｅＮＢ２１０は、ステップＳ１００４によって測定した受信ＳＩＮＲが所定の目標値と同程度であるか否かを判断する（ステップＳ１００７）。受信ＳＩＮＲが所定の目標値と同程度である場合（ステップＳ１００７：Ｙｅｓ）は、ｅＮＢ２１０は、ＴＰＣコマンドに“０１”を設定し（ステップＳ１００８）、ステップＳ１０１２へ移行する。
【０１２７】
ステップＳ１００７において、受信ＳＩＮＲが所定の目標値と同程度でない場合（ステップＳ１００７：Ｎｏ）は、ｅＮＢ２１０は、ステップＳ１００４によって測定した受信ＳＩＮＲが所定の目標値より１［ｄＢ］程度低いか否かを判断する（ステップＳ１００９）。受信ＳＩＮＲが所定の目標値より１［ｄＢ］程度低い場合（ステップＳ１００９：Ｙｅｓ）は、ｅＮＢ２１０は、ＴＰＣコマンドに“１０”を設定し（ステップＳ１０１０）、ステップＳ１０１２へ移行する。
【０１２８】
ステップＳ１００９において、受信ＳＩＮＲが所定の目標値より１［ｄＢ］程度低くない場合（ステップＳ１００９：Ｎｏ）、すなわち受信ＳＩＮＲの所定の目標値に対する差が１［ｄＢ］より大きい場合は、ｅＮＢ２１０は、ステップＳ１０１１へ移行する。具体的には、ｅＮＢ２１０は、ＴＰＣコマンドに“１１”を設定し（ステップＳ１０１１）、ステップＳ１０１２へ移行する。
【０１２９】
つぎに、ｅＮＢ２１０は、ステップＳ１００５〜Ｓ１０１１によって設定したＴＰＣコマンドを格納したＵＬグラントをＵＥ２２０へ送信する（ステップＳ１０１２）。つぎに、ｅＮＢ２１０は、ステップＳ１０１２によって送信したＵＬグラントにより指示した無線リソースによって、ＵＥ２２０からのＰＵＳＣＨを受信する（ステップＳ１０１３）。
【０１３０】
つぎに、ｅＮＢ２１０は、長区間の受信品質の判定タイミングか否かを判断する（ステップＳ１０１４）。長区間の受信品質の判定タイミングは、たとえば周期的なタイミングである。判定タイミングでない場合（ステップＳ１０１４：Ｎｏ）は、ｅＮＢ２１０は、ステップＳ１００４へ戻る。判定タイミングである場合（ステップＳ１０１４：Ｙｅｓ）は、ｅＮＢ２１０は、ステップＳ１００１へ戻る。
【０１３１】
ステップＳ１００２において、長区間の受信品質が既定値以下である場合（ステップＳ１００２：Ｙｅｓ）は、ｅＮＢ２１０は、ＵＥ２２０との間のＴＴＩバンドリングを有効化する（ステップＳ１０１５）。つぎに、ｅＮＢ２１０は、ＴＴＩバンドリングを有効（ＴＲＵＥ）にすることを示す上位レイヤ制御信号をＵＥ２２０へ送信する（ステップＳ１０１６）。つぎに、ｅＮＢ２１０は、ＵＥ２２０からの瞬時受信品質を測定する（ステップＳ１０１７）。
【０１３２】
つぎに、ｅＮＢ２１０は、現在のモードがＴＴＩバンドルサイズ制御モードであるか否かを判断する（ステップＳ１０１８）。ＴＴＩバンドルサイズ制御モードでなく送信電力制御モードである場合（ステップＳ１０１８：Ｎｏ）は、ｅＮＢ２１０は、ステップＳ１０１９へ移行する。ステップＳ１０１９〜Ｓ１０２７は、ステップＳ１００５〜Ｓ１０１３と同様である。
【０１３３】
ステップＳ１０２７のつぎに、ｅＮＢ２１０は、ＵＥ２２０からのＰＨＲが０［ｄＢ］以下であるか否かを判断する（ステップＳ１０２８）。ＰＨＲが０［ｄＢ］以下でない場合（ステップＳ１０２８：Ｎｏ）は、ｅＮＢ２１０は、送信電力制御モードを維持し（ステップＳ１０２９）、ステップＳ１０３１へ移行する。ＰＨＲが０［ｄＢ］以下である場合（ステップＳ１０２８：Ｙｅｓ）は、ｅＮＢ２１０は、ＴＴＩバンドルサイズ制御モードへ移行し（ステップＳ１０３０）、ステップＳ１０３１へ移行する。
【０１３４】
つぎに、ｅＮＢ２１０は、長区間の受信品質の判定タイミングか否かを判断する（ステップＳ１０３１）。判定タイミングでない場合（ステップＳ１０３１：Ｎｏ）は、ｅＮＢ２１０は、ステップＳ１０１７へ戻る。判定タイミングである場合（ステップＳ１０３１：Ｙｅｓ）は、ｅＮＢ２１０は、ステップＳ１００１へ戻る。
【０１３５】
ステップＳ１０１８において、現在のモードがＴＴＩバンドルサイズ制御モードである場合（ステップＳ１０１８：Ｙｅｓ）は、ｅＮＢ２１０は、ステップＳ１０３２へ移行する。すなわち、ｅＮＢ２１０は、ステップＳ１０１７によって測定した受信ＳＩＮＲと所定の目標値の差分に基づいて、ＵＥ２２０のＴＴＩバンドルサイズの調整量を決定する（ステップＳ１０３２）。
【０１３６】
つぎに、ｅＮＢ２１０は、ステップＳ１０３２によって決定した調整量に基づく調整後のＵＥ２２０のＴＴＩバンドルサイズが１以下であるか否かを判断する（ステップＳ１０３３）。調整後のＴＴＩバンドルサイズが１以下である場合（ステップＳ１０３３：Ｙｅｓ）は、ｅＮＢ２１０は、ＴＰＣコマンドに“００”を設定し（ステップＳ１０３４）、ステップＳ１０４０へ移行する。
【０１３７】
ステップＳ１０３３において、調整後のＴＴＩバンドルサイズが１以下でない場合（ステップＳ１０３３：Ｎｏ）は、ｅＮＢ２１０は、調整後のＴＴＩバンドルサイズが２であるか否かを判断する（ステップＳ１０３５）。調整後のＴＴＩバンドルサイズが２である場合（ステップＳ１０３５：Ｙｅｓ）は、ｅＮＢ２１０は、ＴＰＣコマンドに“０１”を設定し（ステップＳ１０３６）、ステップＳ１０４０へ移行する。
【０１３８】
ステップＳ１０３５において、調整後のＴＴＩバンドルサイズが２でない場合（ステップＳ１０３５：Ｎｏ）は、ｅＮＢ２１０は、調整後のＴＴＩバンドルサイズが４であるか否かを判断する（ステップＳ１０３７）。調整後のＴＴＩバンドルサイズが４である場合（ステップＳ１０３７：Ｙｅｓ）は、ｅＮＢ２１０は、ＴＰＣコマンドに“１０”を設定し（ステップＳ１０３８）、ステップＳ１０４０へ移行する。
【０１３９】
ステップＳ１０３７において、調整後のＴＴＩバンドルサイズが４でない場合（ステップＳ１０３７：Ｎｏ）は、ｅＮＢ２１０は、ＴＰＣコマンドに“１１”を設定し（ステップＳ１０３９）、ステップＳ１０４０へ移行する。
【０１４０】
つぎに、ｅＮＢ２１０は、ステップＳ１０３３〜Ｓ１０３９によって設定したＴＰＣコマンドを格納したＵＬグラントをＵＥ２２０へ送信する（ステップＳ１０４０）。つぎに、ｅＮＢ２１０は、ステップＳ１０４０によって送信したＵＬグラントにより指示した無線リソースによって、ＵＥ２２０からのＰＵＳＣＨを受信する（ステップＳ１０４１）。つぎに、ｅＮＢ２１０は、ステップＳ１０３３〜Ｓ１０３９によって設定したＴＰＣコマンドが“００”であったか否かを判断する（ステップＳ１０４２）。
【０１４１】
ステップＳ１０４２において、ＴＰＣコマンドが“００”でなかった場合（ステップＳ１０４２：Ｎｏ）は、ｅＮＢ２１０は、ＴＴＩバンドルサイズ制御モードを維持し（ステップＳ１０４３）、ステップＳ１０３１へ移行する。ＴＰＣコマンドが“００”であった場合（ステップＳ１０４２：Ｙｅｓ）は、ｅＮＢ２１０は、送信電力制御モードへ移行し（ステップＳ１０４４）、ステップＳ１０３１へ移行する。
【０１４２】
（実施の形態２にかかるＵＥによる処理）
図１１Ａ〜図１１Ｃは、実施の形態２にかかるＵＥによる処理の一例を示すフローチャートである。実施の形態２にかかるＵＥ２２０は、たとえば図１１Ａ〜図１１Ｃに示す各ステップを実行する。まず、ＵＥ２２０は、ｅＮＢ２１０との間のＴＴＩバンドリングが有効（ＴＲＵＥ）であるか否かを判断する（ステップＳ１１０１）。ステップＳ１１０１の判断は、ｅＮＢ２１０から受信した上位レイヤ制御信号に基づいて行うことができる。
【０１４３】
ステップＳ１１０１において、ＴＴＩバンドリングが有効でない場合（ステップＳ１１０１：Ｎｏ）は、ＵＥ２２０は、ｅＮＢ２１０へサウンディングＲＳを送信する（ステップＳ１１０２）。つぎに、ＵＥ２２０は、ｅＮＢ２１０からのＵＬグラントを受信する（ステップＳ１１０３）。
【０１４４】
つぎに、ＵＥ２２０は、ステップＳ１１０３によって受信したＵＬグラントに格納されたＴＰＣコマンドが“００”であるか否かを判断する（ステップＳ１１０４）。ＴＰＣコマンドが“００”である場合（ステップＳ１１０４：Ｙｅｓ）は、ＵＥ２２０は、送信電力増分が−１［ｄＢ］であると判定し（ステップＳ１１０５）、ステップＳ１１１１へ移行する。
【０１４５】
ステップＳ１１０４において、ＴＰＣコマンドが“００”でない場合（ステップＳ１１０４：Ｎｏ）は、ＵＥ２２０は、ＴＰＣコマンドが“０１”であるか否かを判断する（ステップＳ１１０６）。ＴＰＣコマンドが“０１”である場合（ステップＳ１１０６：Ｙｅｓ）は、ＵＥ２２０は、送信電力増分が０［ｄＢ］であると判定し（ステップＳ１１０７）、ステップＳ１１１１へ移行する。
【０１４６】
ステップＳ１１０６において、ＴＰＣコマンドが“０１”でない場合（ステップＳ１１０６：Ｎｏ）は、ＵＥ２２０は、ＴＰＣコマンドが“１０”であるか否かを判断する（ステップＳ１１０８）。ＴＰＣコマンドが“１０”である場合（ステップＳ１１０８：Ｙｅｓ）は、ＵＥ２２０は、送信電力増分が１［ｄＢ］であると判定し（ステップＳ１１０９）、ステップＳ１１１１へ移行する。
【０１４７】
ステップＳ１１０８において、ＴＰＣコマンドが“１０”でない場合（ステップＳ１１０８：Ｎｏ）は、ＵＥ２２０は、送信電力増分が３［ｄＢ］であると判定し（ステップＳ１１１０）、ステップＳ１１１１へ移行する。
【０１４８】
つぎに、ＵＥ２２０は、ステップＳ１１０４〜Ｓ１１１０によって判定した送信電力増分に基づいてＵＥ２２０の送信電力を調整する（ステップＳ１１１１）。つぎに、ＵＥ２２０は、ステップＳ１１０３によって受信したＵＬグラントが示す無線リソースにおいて、ステップＳ１１１１によって調整した送信電力によって、ｅＮＢ２１０へＰＵＳＣＨおよびＰＨＲを送信する（ステップＳ１１１２）。
【０１４９】
つぎに、ＵＥ２２０は、上位レイヤ制御信号の受信タイミングか否かを判断する（ステップＳ１１１３）。上位レイヤ制御信号の受信タイミングは、たとえば周期的なタイミングである。上位レイヤ制御信号の受信タイミングでない場合（ステップＳ１１１３：Ｎｏ）は、ＵＥ２２０はステップＳ１１０３へ戻る。上位レイヤ制御信号の受信タイミングである場合（ステップＳ１１１３：Ｙｅｓ）は、ＵＥ２２０はステップＳ１１０１へ戻る。
【０１５０】
ステップＳ１１０１において、ＴＴＩバンドリングが有効である場合（ステップＳ１１０１：Ｙｅｓ）は、ＵＥ２２０は、ＴＴＩバンドリングを内部的に有効化する（ステップＳ１１１４）。つぎに、ＵＥ２２０は、ｅＮＢ２１０へサウンディングＲＳを送信する（ステップＳ１１１５）。つぎに、ＵＥ２２０は、ｅＮＢ２１０からのＵＬグラントを受信する（ステップＳ１１１６）。
【０１５１】
つぎに、ＵＥ２２０は、現在のモードがＴＴＩバンドルサイズ制御モードであるか否かを判断する（ステップＳ１１１７）。ＴＴＩバンドルサイズ制御モードでなく送信電力制御モードである場合（ステップＳ１１１７：Ｎｏ）は、ＵＥ２２０は、ステップＳ１１１８へ移行する。ステップＳ１１１８〜Ｓ１１２５は、ステップＳ１１０４〜Ｓ１１１１と同様である。
【０１５２】
ステップＳ１１２５のつぎに、ＵＥ２２０は、自装置におけるＰＨＲが０［ｄＢ］以下であるか否かを判断する（ステップＳ１１２６）。ＰＨＲが０［ｄＢ］以下でない場合（ステップＳ１１２６：Ｎｏ）は、ＵＥ２２０は、送信電力制御モードを維持し（ステップＳ１１２７）、ステップＳ１１２９へ移行する。ＰＨＲが０［ｄＢ］以下である場合（ステップＳ１１２６：Ｙｅｓ）は、ＵＥ２２０は、ＴＴＩバンドルサイズ制御モードへ移行し（ステップＳ１１２８）、ステップＳ１１２９へ移行する。
【０１５３】
つぎに、ＵＥ２２０は、ステップＳ１１１６によって受信したＵＬグラントが示す無線リソースにおいて、ステップＳ１１２５によって調整した送信電力によって、ｅＮＢ２１０へＰＵＳＣＨおよびＰＨＲを送信する（ステップＳ１１２９）。つぎに、ＵＥ２２０は、上位レイヤ制御信号の受信タイミングか否かを判断する（ステップＳ１１３０）。上位レイヤ制御信号の受信タイミングでない場合（ステップＳ１１３０：Ｎｏ）は、ＵＥ２２０は、ステップＳ１１１６へ戻る。上位レイヤ制御信号の受信タイミングである場合（ステップＳ１１３０：Ｙｅｓ）は、ＵＥ２２０は、ステップＳ１１０１へ戻る。
【０１５４】
ステップＳ１１１７において、ＴＴＩバンドルサイズ制御モードである場合（ステップＳ１１１７：Ｙｅｓ）は、ＵＥ２２０は、ステップＳ１１１６によって受信したＵＬグラントに格納されたＴＰＣコマンドが“００”であるか否かを判断する（ステップＳ１１３１）。ＴＰＣコマンドが“００”である場合（ステップＳ１１３１：Ｙｅｓ）は、ＵＥ２２０は、ＴＴＩバンドルサイズが１であると判定し（ステップＳ１１３２）、ステップＳ１１３８へ移行する。
【０１５５】
ステップＳ１１３１において、ＴＰＣコマンドが“００”でない場合（ステップＳ１１３１：Ｎｏ）は、ＵＥ２２０は、ＴＰＣコマンドが“０１”であるか否かを判断する（ステップＳ１１３３）。ＴＰＣコマンドが“０１”である場合（ステップＳ１１３３：Ｙｅｓ）は、ＵＥ２２０は、ＴＴＩバンドルサイズが２であると判定し（ステップＳ１１３４）、ステップＳ１１３８へ移行する。
【０１５６】
ステップＳ１１３３において、ＴＰＣコマンドが“０１”でない場合（ステップＳ１１３３：Ｎｏ）は、ＵＥ２２０は、ＴＰＣコマンドが“１０”であるか否かを判断する（ステップＳ１１３５）。ＴＰＣコマンドが“１０”である場合（ステップＳ１１３５：Ｙｅｓ）は、ＵＥ２２０は、ＴＴＩバンドルサイズが４であると判定し（ステップＳ１１３６）、ステップＳ１１３８へ移行する。
【０１５７】
ステップＳ１１３５において、ＴＰＣコマンドが“１０”でない場合（ステップＳ１１３５：Ｎｏ）は、ＵＥ２２０は、ＴＴＩバンドルサイズが８であると判定し（ステップＳ１１３７）、ステップＳ１１３８へ移行する。
【０１５８】
つぎに、ＵＥ２２０は、ステップＳ１１３１〜Ｓ１１３７によって判定したＴＴＩバンドルサイズによってＴＴＩバンドルサイズを調整する（ステップＳ１１３８）。つぎに、ＵＥ２２０は、ステップＳ１１１６によって受信したＵＬグラントに格納されたＴＰＣコマンドが“００”であったか否かを判断する（ステップＳ１１３９）。
【０１５９】
ステップＳ１１３９において、ＴＰＣコマンドが“００”でなかった場合（ステップＳ１１３９：Ｎｏ）は、ＵＥ２２０は、ＴＴＩバンドルサイズ制御モードを維持し（ステップＳ１１４０）、ステップＳ１１２９へ移行する。ＴＰＣコマンドが“００”であった場合（ステップＳ１１３９：Ｙｅｓ）は、ＵＥ２２０は、送信電力制御モードへ移行し（ステップＳ１１４１）、ステップＳ１１２９へ移行する。
【０１６０】
（ＴＴＩバンドルサイズの変更の他の例）
図１２Ａおよび図１２Ｂは、ＴＴＩバンドルサイズの変更の他の例を示す図である。図１２Ａ，図１２Ｂにおいて、横軸は時間（サブフレーム）を示す。図１２Ａに示す例では、ＵＥ２２０は、新規送信１２０１において、同一の新規データを示すパケットを４回連続してｅＮＢ２１０へ送信するＴＴＩバンドリング（ＴＴＩバンドルサイズ＝４ＴＴＩ）を行っている。また、ＵＥ２２０は、新規送信１２０１についての再送１２０２，１２０３，１２０４において、新規送信１２０１と同じ再送データを示すパケットを４回連続してｅＮＢ２１０へ送信するＴＴＩバンドリング（ＴＴＩバンドルサイズ＝４ＴＴＩ）を行っている。
【０１６１】
図１２Ｂに示す例では、ＵＥ２２０は、新規送信１２０１において、同一の新規データを示すパケットを８回連続してｅＮＢ２１０へ送信するＴＴＩバンドリング（ＴＴＩバンドルサイズ＝８ＴＴＩ）を行っている。また、ＵＥ２２０は、新規送信１２０１についての再送１２０２，１２０３，１２０４において、新規送信１２０１と同じ再送データを示すパケットを４回連続してｅＮＢ２１０へ送信するＴＴＩバンドリング（ＴＴＩバンドルサイズ＝４ＴＴＩ）を行っている。
【０１６２】
後述のＬＴＥのＡｌｔ．６．１においては、図１２Ａ，図１２Ｂに示すように、新規送信と再送で異なるＴＴＩバンドルサイズを用いることが検討されている。上述したＴＴＩバンドルサイズの変更は、このように新規送信と再送で異なるＴＴＩバンドルサイズを用いる場合の新規送信のＴＴＩバンドルサイズの変更に適用することもできる。
【０１６３】
たとえば、ｅＮＢ２１０は、ＵＥ２２０の新規送信のＴＴＩバンドルサイズを４ＴＴＩと８ＴＴＩで切り替えることで、図１２Ａ，図１２Ｂに示す各状態を切り替えることができる。このように、ＵＥ２２０は、データの新規送信および再送のうちの新規送信についてのＴＴＩバンドルサイズを調整するようにしてもよい。また、ここでは新規送信と再送のうちの新規送信のＴＴＩバンドルサイズを変更する場合について説明したが、再送のＴＴＩバンドルサイズを変更する場合も同様である。
【０１６４】
このように、実施の形態２によれば、ＵＥ２２０の送信電力制御に用いられるＵＬグラントのＴＰＣコマンドを用いて、ＵＥ２２０のＴＴＩバンドルサイズを通知することができる。これにより、ＵＥ２２０のＴＴＩバンドルサイズを可変としつつ、ｅＮＢ２１０からＵＥ２２０へのＴＴＩバンドルサイズの通知に伴う制御情報のオーバーヘッドの増加を抑えることができる。
【０１６５】
（実施の形態３）
実施の形態３について、実施の形態２と異なる部分について説明する。
【０１６６】
（ＲＴＴの変更）
図１３Ａおよび図１３Ｂは、ＲＴＴの変更の一例を示す図である。図１３Ａ，図１３Ｂにおいて、横軸は時間（サブフレーム）を示す。図１３Ａ，図１３Ｂに示す例では、ＵＥ２２０は、新規送信１３０１において、同一の新規データを示すパケットを４回連続してｅＮＢ２１０へ送信するＴＴＩバンドリング（ＴＴＩバンドルサイズ＝４ＴＴＩ）を行っている。また、再送１３０２〜１３０５は、新規送信１３０１と同じ再送データを示すパケットを４回連続して送信する再送である。
【０１６７】
図１３Ａに示す例では、各再送までのＲＴＴは１６［ｍｓ］（１６サブフレーム）に設定されている。図１３Ｂに示す例では、各再送までのＲＴＴは１２［ｍｓ］（１２サブフレーム）に設定されている。また、図１３Ａ，図１３Ｂに示す例において、許容される遅延時間は５２［ｍｓ］である。
【０１６８】
後述のＬＴＥのＡｌｔ．１においては、図１３Ｂに示すように、ＲＴＴを現在の１６［ｍｓ］から１２［ｍｓ］に短縮することが検討されている。これに対して、実施の形態３にかかる無線通信システム２００においては、ＲＴＴを可変とする。
【０１６９】
このために、ｅＮＢ２１０は、制御信号を用いてＵＥ２２０にＲＴＴを通知する。この際に、ｅＮＢ２１０は、たとえばＵＬグラントに格納するＴＰＣコマンドを用いてＵＥ２２０にＲＴＴを通知する。ＵＥ２２０は、ｅＮＢ２１０から受信したＵＬグラントに格納されたＴＰＣコマンドに基づいてＲＴＴを調整する。
【０１７０】
たとえば上位レイヤの制御によってｅＮＢ２１０とＵＥ２２０との間のＴＴＩバンドリングが有効化された場合に、ｅＮＢ２１０およびＵＥ２２０は、送信電力制御モードと、ＴＴＩバンドルサイズ／ＲＴＴ制御モードと、に切り替え可能な状態となる。
【０１７１】
たとえば、送信電力制御モードにおいては、ＵＥ２２０は、ＵＥ２２０のＲＴＴを８［ｍｓ］（最小値）に固定する。そして、ｅＮＢ２１０は、ＴＰＣコマンドを用いてＵＥ２２０に送信電力を通知する。また、ＵＥ２２０は、ＴＰＣコマンドに基づいてＵＥ２２０の送信電力を調整する。
【０１７２】
一方、ＴＴＩバンドルサイズ／ＲＴＴ制御モードにおいては、ＵＥ２２０は、ＵＥ２２０の送信電力を最大値に固定する。そして、ｅＮＢ２１０は、ＴＰＣコマンドを用いてＵＥ２２０にＲＴＴを通知する。また、ＵＥ２２０は、ＴＰＣコマンドに基づいてＵＥ２２０のＲＴＴを調整する。
【０１７３】
このように、ＲＴＴを固定する送信電力制御モードと、送信電力を固定するＴＴＩバンドルサイズ／ＲＴＴ制御モードと、を切り替えることにより、送信電力を制御するためのＴＰＣコマンドを用いてＲＴＴの制御も行うことができる。これにより、ＵＥ２２０のＲＴＴを可変とする場合の制御情報のオーバーヘッドの増加を抑えることができる。このため、無線チャネルの変動に追従してＲＴＴを制御可能にしつつ、制御情報のオーバーヘッドの増加を抑えることができる。
【０１７４】
（単位時間あたりの送信パケットの総エネルギ）
図１３Ｃは、単位時間あたりの送信パケットの総エネルギの一例を示す図である。単位時間Ｎ’において新規送信または再送によって送信されたパケットの総エネルギは、たとえば図１３Ｃのテーブル１３３０のようになる。
【０１７５】
たとえば、テーブル１３３０の（ａ）に示すように、ＴＴＩバンドルサイズを１、ＲＴＴを８［ｍｓ］とすると、単位時間Ｎ’におけるパケットの総エネルギは３Ｎ’／２４＝Ｎとなる。ここで、Ｎは簡単のために定義する単位エネルギである。また、テーブル１３３０の（ｂ）に示すように、ＴＴＩバンドルサイズを４、ＲＴＴを１６［ｍｓ］とすると、単位時間Ｎ’におけるパケットの総エネルギは６Ｎ’／２４＝２Ｎとなり、（ａ）の場合の２．０倍となる。
【０１７６】
また、テーブル１３３０の（ｃ）に示すように、ＴＴＩバンドルサイズを４、ＲＴＴを１２［ｍｓ］とすると、単位時間Ｎ’におけるパケットの総エネルギは８Ｎ’／２４＝２．６７Ｎとなり、（ａ）の場合の２．６７倍となる。また、テーブル１３３０の（ｄ）に示すように、ＴＴＩバンドルサイズを４、ＲＴＴを８［ｍｓ］とすると、単位時間Ｎ’におけるパケットの総エネルギは１２Ｎ’／２４＝４Ｎとなり、（ａ）の場合の４倍となる。
【０１７７】
（ＵＬグラントのビットマップの第１例）
図１４Ａは、送信電力制御モードにおけるＵＬグラントのビットマップの第１例を示す図である。図１４Ａに示すテーブル１４１０は、送信電力制御モードにおける、ＴＰＣコマンドと、ＴＰＣコマンドによる通知内容と、の対応関係を示す。
【０１７８】
たとえば、送信電力制御モードにおけるＴＰＣコマンド＝“００”は、ＴＴＩバンドルサイズ／ＲＴＴ制御モードに移行することを示す。また、送信電力制御モードにおけるＴＰＣコマンド＝“０１”は、ＴＴＩバンドルサイズを１に維持し、ＲＴＴを８に維持し、送信電力増分を−１［ｄＢ］とすることを示す。
【０１７９】
また、送信電力制御モードにおけるＴＰＣコマンド＝“１０”は、ＴＴＩバンドルサイズを１に維持し、ＲＴＴを８に維持し、送信電力増分を０［ｄＢ］（変化なし）とすることを示す。また、送信電力制御モードにおけるＴＰＣコマンド＝“１１”は、ＴＴＩバンドルサイズを１に維持し、ＲＴＴを８に維持し、送信電力増分を１［ｄＢ］とすることを示す。
【０１８０】
図１４Ｂは、ＴＴＩバンドルサイズ／ＲＴＴ制御モードにおけるＵＬグラントのビットマップの第１例を示す図である。図１４Ｂに示すテーブル１４２０は、ＴＴＩバンドルサイズ／ＲＴＴ制御モードにおける、ＴＰＣコマンドと、ＴＰＣコマンドによる通知内容と、の対応関係を示す。
【０１８１】
たとえば、ＴＴＩバンドルサイズ／ＲＴＴ制御モードにおけるＴＰＣコマンド＝“００”は、ＴＴＩバンドルサイズを１とし、ＲＴＴを８とし、送信電力制御モードに移行することを示す。また、ＴＴＩバンドルサイズ／ＲＴＴ制御モードにおけるＴＰＣコマンド＝“０１”は、ＴＴＩバンドルサイズを４とし、ＲＴＴを１６とすることを示す。
【０１８２】
また、ＴＴＩバンドルサイズ／ＲＴＴ制御モードにおけるＴＰＣコマンド＝“１０”は、ＴＴＩバンドルサイズを４とし、ＲＴＴを１２とすることを示す。また、ＴＴＩバンドルサイズ／ＲＴＴ制御モードにおけるＴＰＣコマンド＝“１１”は、ＴＴＩバンドルサイズを４とし、ＲＴＴを８とすることを示す。
【０１８３】
（ＵＬグラントのビットマップの第２例）
図１５Ａは、送信電力制御モードにおけるＵＬグラントのビットマップの第２例を示す図である。図１５Ａに示すテーブル１５１０は、送信電力制御モードにおける、ＴＰＣコマンドと、ＴＰＣコマンドによる通知内容と、の対応関係を示す。
【０１８４】
たとえば、送信電力制御モードにおけるＴＰＣコマンド＝“００”は、ＴＴＩバンドルサイズを１に維持し、ＲＴＴを８に維持し、送信電力増分を−１［ｄＢ］とすることを示す。また、送信電力制御モードにおけるＴＰＣコマンド＝“０１”は、ＴＴＩバンドルサイズを１に維持し、ＲＴＴを８に維持し、送信電力増分を０［ｄＢ］とすることを示す。
【０１８５】
また、送信電力制御モードにおけるＴＰＣコマンド＝“１０”は、ＴＴＩバンドルサイズを１に維持し、ＲＴＴを８に維持し、送信電力増分を１［ｄＢ］とすることを示す。また、送信電力制御モードにおけるＴＰＣコマンド＝“１１”は、ＴＴＩバンドルサイズを１に維持し、ＲＴＴを８に維持し、送信電力増分を３［ｄＢ］とすることを示す。
【０１８６】
このように、ＴＴＩバンドルサイズ／ＲＴＴ制御モードへの移行をＴＰＣコマンドによって明示的に通知しなくてもよい。この場合は、ｅＮＢ２１０およびＵＥ２２０は、たとえばＰＨＲに基づいて、ＴＴＩバンドルサイズ／ＲＴＴ制御モードへの移行を判断することができる。これにより、ＴＰＣコマンドによって指示可能な送信電力増分の種類が増えるため、より柔軟なＵＥ２２０の送信電力の制御が可能になる。
【０１８７】
たとえば、ｅＮＢ２１０は、ＵＥ２２０から受信したＰＨＲが０以下である場合にＴＴＩバンドルサイズ／ＲＴＴ制御モードへ移行する。また、ＵＥ２２０は、ｅＮＢ２１０へ送信するＰＨＲが０以下である場合にＴＴＩバンドルサイズ／ＲＴＴ制御モードへ移行する。これにより、送信電力制御モードにおいて、ＵＥ２２０の送信電力が最大値に達する場合にＴＴＩバンドルサイズ／ＲＴＴ制御モードへ移行することができる。
【０１８８】
図１５Ｂは、ＴＴＩバンドルサイズ／ＲＴＴ制御モードにおけるＵＬグラントのビットマップの第２例を示す図である。図１５Ｂに示すテーブル１５２０は、ＴＴＩバンドルサイズ／ＲＴＴ制御モード、すなわちＵＥ２２０の送信電力が最大値に達している場合（最大送信電力時）における、ＴＰＣコマンドと、ＴＰＣコマンドによる通知内容と、の対応関係を示す。図１５Ｂに示すテーブル１５２０は、たとえば図１４Ｂに示したテーブル１４２０と同様にすることができる。以下、実施の形態３について、図１５Ａ，図１５Ｂに示したＵＬグラントのビットマップ（第２例）を用いる場合について説明する。
【０１８９】
（送信電力制御コマンド決定方法）
送信電力制御モードにおける送信電力制御コマンド決定方法については、たとえば図６Ａに示した送信電力制御コマンド決定方法と同様である。
【０１９０】
図１６Ａおよび図１６Ｂは、ＴＴＩバンドルサイズ／ＲＴＴ制御モードにおける送信電力制御コマンド決定方法の一例を示す図である。図１６Ａに示すテーブル１６１０は、ＴＴＩバンドルサイズ／ＲＴＴ制御モードにおける、受信ＳＩＮＲの測定値の目標値との差分Ｄｉｆｆに関する条件と、ｅＮＢ２１０が選択する単位時間あたりの送信パケットの総エネルギの調整量と、の対応関係を示す。
【０１９１】
たとえば、ｅＮＢ２１０は、Ｄｉｆｆ＞４．５［ｄＢ］である場合は、単位時間あたりの送信パケットの総エネルギの調整量として１／４倍を選択する。また、ｅＮＢ２１０は、４．５［ｄＢ］≧Ｄｉｆｆ＞１．５［ｄＢ］である場合は、単位時間あたりの送信パケットの総エネルギの調整量として１／２倍を選択する。
【０１９２】
また、ｅＮＢ２１０は、１．５［ｄＢ］≧Ｄｉｆｆ＞−１．５［ｄＢ］である場合は、単位時間あたりの送信パケットの総エネルギの調整量として１倍（変化なし）を選択する。また、ｅＮＢ２１０は、−１．５［ｄＢ］≧Ｄｉｆｆ＞−４．５［ｄＢ］である場合は、単位時間あたりの送信パケットの総エネルギの調整量として２倍を選択する。また、ｅＮＢ２１０は、−４．５［ｄＢ］≧Ｄｉｆｆである場合は、単位時間あたりの送信パケットの総エネルギの調整量として４倍を選択する。
【０１９３】
図１６Ｂに示すテーブル１６２０は、ＴＴＩバンドルサイズ／ＲＴＴ制御モードにおける、選択した単位時間あたりの送信パケットの総エネルギの調整量に基づく単位時間あたりの送信パケットの総エネルギの調整結果と、ｅＮＢ２１０が選択するＴＰＣコマンドと、の対応関係を示す。たとえば、ｅＮＢ２１０は、調整結果＜１．５Ｎである場合は、ＴＴＩバンドルサイズ＝１、ＲＴＴ＝８、かつ送信電力制御モードへの移行を示すＴＰＣコマンド＝“００”を選択する。
【０１９４】
また、ｅＮＢ２１０は、２．３３Ｎ＞調整結果≧１．５Ｎである場合は、ＴＴＩバンドルサイズ＝４、ＲＴＴ＝１６を示すＴＰＣコマンド＝“０１”を選択する。また、ｅＮＢ２１０は、３．３３Ｎ＞調整結果≧２．３３Ｎである場合は、ＴＴＩバンドルサイズ＝４、ＲＴＴ＝１２を示すＴＰＣコマンド＝“１０”を選択する。また、ｅＮＢ２１０は、調整結果≧３．３３Ｎである場合は、ＴＴＩバンドルサイズ＝４、ＲＴＴ＝８を示すＴＰＣコマンド＝“１１”を選択する。
【０１９５】
（実施の形態３にかかる無線通信システムの動作）
図１７は、実施の形態３にかかる無線通信システムの動作の一例を示すシーケンス図である。実施の形態３にかかる無線通信システム２００においては、たとえば以下の各ステップが行われる。
【０１９６】
まず、ｅＮＢ２１０が、ＵＥ２２０との間のＴＴＩバンドリングを有効化する（ステップＳ１７０１）。つぎに、ｅＮＢ２１０が、ＴＴＩバンドリングを有効にすることを指示する上位レイヤ制御信号（ＴＴＩバンドリング＝ＴＲＵＥ）をＵＥ２２０へ送信する（ステップＳ１７０２）。
【０１９７】
つぎに、ＵＥ２２０が、ｅＮＢ２１０との間のＴＴＩバンドリングを有効化する（ステップＳ１７０３）。図１７に示す例では、ＴＴＩバンドリングを有効化したｅＮＢ２１０およびＵＥ２２０は、初期モードとしてＴＴＩバンドルサイズ／ＲＴＴ制御モードになるとする。
【０１９８】
つぎに、ＵＥ２２０が、ｅＮＢ２１０へサウンディングＲＳを送信する（ステップＳ１７０４）。つぎに、ｅＮＢ２１０が、ステップＳ１７０４によって送信されたサウンディングＲＳに基づく受信品質を測定する（ステップＳ１７０５）。受信品質は、たとえば受信ＳＩＮＲである。図１７に示す例では、ｅＮＢ２１０は、ステップＳ１７０５によって測定した受信品質に基づいて、ＵＥ２２０のＲＴＴを８［ｍｓ］に変更させ、かつ送信電力制御モードへ移行することを決定したとする。
【０１９９】
つぎに、ｅＮＢ２１０が、ステップＳ１７０５によって測定した受信品質に基づくＵＬグラントをＵＥ２２０へ送信する（ステップＳ１７０６）。ステップＳ１７０６のＵＬグラントには、ＴＰＣコマンド＝“００”が含まれる。すなわち、ステップＳ１７０６のＵＬグラントは、ＲＴＴを８［ｍｓ］に設定し、送信電力制御モードに移行することを指示するＴＰＣコマンドを含む（たとえば図１５Ｂ参照）。
【０２００】
つぎに、ＵＥ２２０が、ステップＳ１７０６によって送信されたＵＬグラントに含まれるＴＰＣコマンドに基づいて、ＵＥ２２０のＴＴＩバンドルサイズを１ＴＴＩ、ＲＴＴを８［ｍｓ］に調整する（ステップＳ１７０７）。つぎに、ＵＥ２２０が、ステップＳ１７０６によって送信されたＵＬグラントによって指示された無線リソースにより、ＰＵＳＣＨおよびＰＨＲを送信する（ステップＳ１７０８）。ステップＳ１７０８におけるＰＵＳＣＨの送信は、ＰＵＳＣＨを１回だけ送信するＴＴＩバンドリングにより行われる。
【０２０１】
また、ステップＳ１７０６により、ｅＮＢ２１０およびＵＥ２２０は送信電力制御モードに移行する。
【０２０２】
つぎに、ＵＥ２２０が、ｅＮＢ２１０へサウンディングＲＳを送信する（ステップＳ１７０９）。つぎに、ｅＮＢ２１０が、ステップＳ１７０９によって送信されたサウンディングＲＳに基づく受信品質を測定する（ステップＳ１７１０）。図１７に示す例では、ｅＮＢ２１０は、ステップＳ１７１０によって測定した受信品質に基づいて、ＵＥ２２０の送信電力を３［ｄＢ］増加させることを決定したとする。
【０２０３】
つぎに、ｅＮＢ２１０が、ステップＳ１７１０によって測定した受信品質に基づくＵＬグラントをＵＥ２２０へ送信する（ステップＳ１７１１）。ステップＳ１７１１のＵＬグラントには、ＴＰＣコマンド＝“１１”が含まれる。すなわち、ステップＳ１７１１のＵＬグラントは、送信電力を３［ｄＢ］増加させることを指示するＴＰＣコマンドを含む（たとえば図１５Ａ参照）。
【０２０４】
つぎに、ＵＥ２２０が、ステップＳ１７１１によって送信されたＵＬグラントに含まれるＴＰＣコマンドに基づいて送信電力を３［ｄＢ］増加させるように調整する（ステップＳ１７１２）。ステップＳ１７１２によって、ＵＥ２２０の送信電力が最大送信電力に到達したとする。したがって、ＵＥ２２０のＰＨＲは０以下となる。
【０２０５】
つぎに、ＵＥ２２０が、ステップＳ１７１１によって送信されたＵＬグラントによって指示された無線リソースにより、ＰＵＳＣＨおよびＰＨＲを送信する（ステップＳ１７１３）。ステップＳ１７１３におけるＰＵＳＣＨの送信は、ＰＵＳＣＨを１回だけ送信するＴＴＩバンドリングにより行われる。
【０２０６】
ＵＥ２２０のＰＨＲが０［ｄＢ］以下になったことにより、ｅＮＢ２１０およびＵＥ２２０はＴＴＩバンドルサイズ／ＲＴＴ制御モードへ移行する。
【０２０７】
つぎに、ＵＥ２２０が、ｅＮＢ２１０へサウンディングＲＳを送信する（ステップＳ１７１４）。つぎに、ｅＮＢ２１０が、ステップＳ１７１４によって送信されたサウンディングＲＳに基づく受信品質を測定する（ステップＳ１７１５）。図１７に示す例では、ｅＮＢ２１０は、ステップＳ１７１４によって測定した受信品質に基づいて、ＵＥ２２０のＲＴＴを１６［ｍｓ］に変更することを決定したとする。
【０２０８】
つぎに、ｅＮＢ２１０が、ステップＳ１７１５によって測定した受信品質に基づくＵＬグラントをＵＥ２２０へ送信する（ステップＳ１７１６）。ステップＳ１７１６のＵＬグラントには、ＴＰＣコマンド＝“０１”が含まれる。すなわち、ステップＳ１７１６のＵＬグラントは、ＴＴＩバンドルサイズを４、ＲＴＴを１６［ｍｓ］に設定することを指示するＴＰＣコマンドを含む（たとえば図１５Ｂ参照）。
【０２０９】
つぎに、ＵＥ２２０が、ステップＳ１７１６によって送信されたＵＬグラントに含まれるＴＰＣコマンドに基づいて、ＴＴＩバンドルサイズを４ＴＴＩ、ＲＴＴを１６［ｍｓ］に調整する（ステップＳ１７１７）。つぎに、ＵＥ２２０が、ステップＳ１７１６によって送信されたＵＬグラントによって指示された無線リソースにより、ＰＵＳＣＨおよびＰＨＲを送信する（ステップＳ１７１８）。ステップＳ１７１８におけるＰＵＳＣＨの送信は、同一データを示すＰＵＳＣＨを４ＴＴＩだけ連続して送信するＴＴＩバンドリングにより行われる。
【０２１０】
なお、ステップＳ１７０４，Ｓ１７０９，Ｓ１７１４によるサウンディングＲＳの送信は、たとえばＵＥ２２０による周期的なサウンディングＲＳの送信であってもよい。
【０２１１】
（実施の形態３にかかるｅＮＢ）
図１８Ａは、実施の形態３にかかるｅＮＢの一例を示す図である。図１８Ｂは、図１８Ａに示したｅＮＢにおける信号の流れの一例を示す図である。図１８Ａ，図１８Ｂにおいて、図８Ａ，図８Ｂに示した部分と同様の部分については同一の符号を付して説明を省略する。図１８Ａ，図１８Ｂに示すように、実施の形態３にかかるｅＮＢ２１０は、図８Ａ，図８Ｂに示したＴＴＩバンドリングコマンド生成部８０６に代えて、ＴＴＩバンドリング／ＲＴＴコマンド生成部１８０１を備える。ＴＴＩバンドリング／ＲＴＴコマンド生成部１８０１は、たとえば図８Ｃに示したＣＰＵ８３１によって実現することができる。
【０２１２】
ＴＴＩバンドリング／ＲＴＴコマンド生成部１８０１は、モード切替制御部８１４からの切替結果に基づいて、ＴＴＩバンドルサイズ／ＲＴＴ制御モード時に、受信ＳＩＮＲ推定部８０４から出力された受信ＳＩＮＲを取得する。そして、ＴＴＩバンドリング／ＲＴＴコマンド生成部１８０１は、取得した受信ＳＩＮＲに基づくＵＥ２２０へのＴＴＩバンドリング／ＲＴＴコマンドを生成する。ＴＴＩバンドリングコマンドは、ＴＴＩバンドルサイズおよびＲＴＴを指示する情報である。ＴＴＩバンドリング／ＲＴＴコマンド生成部１８０１は、生成したＴＴＩバンドリング／ＲＴＴコマンドをＰＵＳＣＨスケジューラ８０７およびＵＬグラント生成部８０８へ出力する。
【０２１３】
モード切替制御部８１４は、ｅＮＢ２１０とＵＥ２２０との間のＴＴＩバンドリングが有効化されると、ＴＴＩバンドルサイズ／ＲＴＴ制御モードと送信電力制御モードとの切替制御を開始する。
【０２１４】
図１Ａ，図１Ｂに示した制御部１１２は、たとえば送信電力制御コマンド生成部８０５、ＴＴＩバンドリング／ＲＴＴコマンド生成部１８０１、ＵＬグラント生成部８０８、長区間受信品質判定部８０９およびモード切替制御部８１４により実現することができる。
【０２１５】
（実施の形態３にかかるＵＥ）
図１９Ａは、実施の形態３にかかるＵＥの一例を示す図である。図１９Ｂは、図１９Ａに示したＵＥにおける信号の流れの一例を示す図である。図１９Ａ，図１９Ｂにおいて、図９Ａ，図９Ｂに示した部分と同様の部分については同一の符号を付して説明を省略する。図１８Ａ，図１８Ｂに示すように、実施の形態３にかかるＵＥ２２０は、図９Ａ，図９Ｂに示したＴＴＩバンドリング制御部９０７に代えて、ＴＴＩバンドリング／ＲＴＴ制御部１９０１を備える。ＴＴＩバンドリング／ＲＴＴ制御部１９０１は、たとえば図９Ｃに示したＣＰＵ９３１によって実現することができる。
【０２１６】
モード切替制御部９０５は、ｅＮＢ２１０との間のＴＴＩバンドリングが有効化されると、ＴＴＩバンドルサイズ／ＲＴＴ制御モードと送信電力制御モードとの切替制御を開始する。たとえば、モード切替制御部９０５は、送信電力算出部９０６から出力されたＰＨＲが０以下である場合は、次回の送信からＴＴＩバンドルサイズ／ＲＴＴ制御モードに切り替える。
【０２１７】
ＴＴＩバンドリング／ＲＴＴ制御部１９０１は、モード切替制御部９０５から出力された切替結果に基づいて、ＴＴＩバンドルサイズ／ＲＴＴ制御モード時に、ＰＤＣＣＨ復調部９０４から出力されたＵＬグラントに格納されたＴＰＣコマンドを取得する。そして、ＴＴＩバンドリング／ＲＴＴ制御部１９０１は、取得したＴＰＣコマンドに基づくＴＴＩバンドルサイズおよびＲＴＴを決定し、決定したＴＴＩバンドルサイズおよびＲＴＴをＰＵＳＣＨスケジューラ９０８へ通知する。
【０２１８】
ＰＵＳＣＨスケジューラ９０８は、ＴＴＩバンドリング／ＲＴＴ制御部１９０１から出力されたＴＴＩバンドルサイズおよびＲＴＴによって連続送信および再送を行うようにＰＵＳＣＨのスケジューリングを行う。
【０２１９】
図１Ａ，図１Ｂに示した制御部１２２は、たとえばモード切替制御部９０５、送信電力算出部９０６およびＴＴＩバンドリング／ＲＴＴ制御部１９０１により実現することができる。
【０２２０】
（実施の形態３にかかるｅＮＢによる処理）
図２０Ａ〜図２０Ｃは、実施の形態３にかかるｅＮＢによる処理の一例を示すフローチャートである。実施の形態３にかかるｅＮＢ２１０は、たとえば図２０Ａ〜図２０Ｃに示す各ステップを実行する。図２０Ａ，図２０Ｂに示すステップＳ２００１〜Ｓ２０３１は、図１０Ａ，図１０Ｂに示したステップＳ１００１〜Ｓ１０３１と同様である。ただし、ステップＳ２０３０において、ｅＮＢ２１０は、ＴＴＩバンドルサイズ／ＲＴＴ制御モードへ移行する（ステップＳ２０３０）。
【０２２１】
また、ステップＳ２０１８において、ｅＮＢ２１０は、現在のモードがＴＴＩバンドルサイズ／ＲＴＴ制御モードであるか否かを判断する（ステップＳ２０１８）。モードがＴＴＩバンドルサイズ／ＲＴＴ制御モードでない場合（ステップＳ２０１８：Ｎｏ）は、ｅＮＢ２１０は、ステップＳ２０１９へ移行する。
【０２２２】
ステップＳ２０１８において、現在のモードがＴＴＩバンドルサイズ／ＲＴＴ制御モードである場合（ステップＳ２０１８：Ｙｅｓ）は、ｅＮＢ２１０は、ステップＳ２０３２へ移行する。すなわち、ｅＮＢ２１０は、ステップＳ２０１７によって測定した受信ＳＩＮＲと所定の目標値の差分に基づいて、ＵＥ２２０の単位時間あたりの送信パケットの総エネルギの調整量を決定する（ステップＳ２０３２）。
【０２２３】
つぎに、ｅＮＢ２１０は、ステップＳ２０３２によって決定した調整量に基づく調整後のＵＥ２２０の単位時間あたりの送信パケットの総エネルギが１．５Ｎ未満であるか否かを判断する（ステップＳ２０３３）。単位時間あたりの送信パケットの総エネルギが１．５Ｎ未満である場合（ステップＳ２０３３：Ｙｅｓ）は、ｅＮＢ２１０は、ＴＰＣコマンドに“００”を設定し（ステップＳ２０３４）、ステップＳ２０４０へ移行する。
【０２２４】
ステップＳ２０３３において、調整後の単位時間あたりの送信パケットの総エネルギが１．５Ｎ未満でない場合（ステップＳ２０３３：Ｎｏ）は、ｅＮＢ２１０は、調整後の単位時間あたりの送信パケットの総エネルギが１．５Ｎ以上かつ２．３３Ｎ未満であるか否かを判断する（ステップＳ２０３５）。調整後の単位時間あたりの送信パケットの総エネルギが１．５Ｎ以上かつ２．３３Ｎ未満である場合（ステップＳ２０３５：Ｙｅｓ）は、ｅＮＢ２１０は、ＴＰＣコマンドに“０１”を設定し（ステップＳ２０３６）、ステップＳ２０４０へ移行する。
【０２２５】
ステップＳ２０３５において、調整後の単位時間あたりの送信パケットの総エネルギが１．５Ｎ以上かつ２．３３Ｎ未満でない場合（ステップＳ２０３５：Ｎｏ）は、ｅＮＢ２１０は、調整後単位時間あたりの送信パケットの総エネルギが２．３３Ｎ以上かつ３．３３Ｎ未満であるか否かを判断する（ステップＳ２０３７）。調整後の単位時間あたりの送信パケットの総エネルギが２．３３Ｎ以上かつ３．３３Ｎ未満である場合（ステップＳ２０３７：Ｙｅｓ）は、ｅＮＢ２１０は、ＴＰＣコマンドに“１０”を設定し（ステップＳ２０３８）、ステップＳ２０４０へ移行する。
【０２２６】
ステップＳ２０３７において、調整後の単位時間あたりの送信パケットの総エネルギが２．３３Ｎ以上かつ３．３３Ｎ未満でない場合（ステップＳ２０３７：Ｎｏ）は、ｅＮＢ２１０は、ＴＰＣコマンドに“１１”を設定し（ステップＳ２０３９）、ステップＳ２０４０へ移行する。
【０２２７】
つぎに、ｅＮＢ２１０は、ステップＳ２０３３〜Ｓ２０３９によって設定したＴＰＣコマンドを格納したＵＬグラントをＵＥ２２０へ送信する（ステップＳ２０４０）。つぎに、ｅＮＢ２１０は、ステップＳ２０４０によって送信したＵＬグラントにより指示した無線リソースによって、ＵＥ２２０からのＰＵＳＣＨを受信する（ステップＳ２０４１）。つぎに、ｅＮＢ２１０は、ステップＳ２０３３〜Ｓ２０３９によって設定したＴＰＣコマンドが“００”であったか否かを判断する（ステップＳ２０４２）。
【０２２８】
ステップＳ２０４２において、ＴＰＣコマンドが“００”でなかった場合（ステップＳ２０４２：Ｎｏ）は、ｅＮＢ２１０は、ＴＴＩバンドルサイズ／ＲＴＴ制御モードを維持し（ステップＳ２０４３）、ステップＳ２０３１へ移行する。ＴＰＣコマンドが“００”であった場合（ステップＳ２０４２：Ｙｅｓ）は、ｅＮＢ２１０は、送信電力制御モードへ移行し（ステップＳ２０４４）、ステップＳ２０３１へ移行する。
【０２２９】
（実施の形態３にかかるＵＥによる処理）
図２１Ａ〜図２１Ｃは、実施の形態３にかかるＵＥによる処理の一例を示すフローチャートである。実施の形態３にかかるＵＥ２２０は、たとえば図２１Ａ〜図２１Ｃに示す各ステップを実行する。図２１Ａ，図２１Ｂに示すステップＳ２１０１〜Ｓ２１３０は、図１１Ａ，図１１Ｂに示したステップＳ１１０１〜Ｓ１１３０と同様である。ただし、ステップＳ２１２８において、ＵＥ２２０は、ＴＴＩバンドルサイズ／ＲＴＴ制御モードへ移行する（ステップＳ２１２８）。
【０２３０】
また、ステップＳ２１１７において、ＵＥ２２０は、現在のモードがＴＴＩバンドルサイズ／ＲＴＴ制御モードであるか否かを判断する（ステップＳ２１１７）。ＴＴＩバンドルサイズ／ＲＴＴ制御モードでなく送信電力制御モードである場合（ステップＳ２１１７：Ｎｏ）は、ＵＥ２２０は、ステップＳ２１１８へ移行する。ＴＴＩバンドルサイズ／ＲＴＴ制御モードである場合（ステップＳ２１１７：Ｙｅｓ）は、ＵＥ２２０は、ステップＳ２１１６によって受信したＵＬグラントに格納されたＴＰＣコマンドが“００”であるか否かを判断する（ステップＳ２１３１）。ＴＰＣコマンドが“００”である場合（ステップＳ２１３１：Ｙｅｓ）は、ＵＥ２２０は、ＴＴＩバンドルサイズが１、ＲＴＴが８であると判定し（ステップＳ２１３２）、ステップＳ２１３８へ移行する。
【０２３１】
ステップＳ２１３１において、ＴＰＣコマンドが“００”でない場合（ステップＳ２１３１：Ｎｏ）は、ＵＥ２２０は、ＴＰＣコマンドが“０１”であるか否かを判断する（ステップＳ２１３３）。ＴＰＣコマンドが“０１”である場合（ステップＳ２１３３：Ｙｅｓ）は、ＵＥ２２０は、ＴＴＩバンドルサイズが４、ＲＴＴが１６であると判定し（ステップＳ２１３４）、ステップＳ２１３８へ移行する。
【０２３２】
ステップＳ２１３３において、ＴＰＣコマンドが“０１”でない場合（ステップＳ２１３３：Ｎｏ）は、ＵＥ２２０は、ＴＰＣコマンドが“１０”であるか否かを判断する（ステップＳ２１３５）。ＴＰＣコマンドが“１０”である場合（ステップＳ２１３５：Ｙｅｓ）は、ＵＥ２２０は、ＴＴＩバンドルサイズが４、ＲＴＴが１２であると判定し（ステップＳ２１３６）、ステップＳ２１３８へ移行する。
【０２３３】
ステップＳ２１３５において、ＴＰＣコマンドが“１０”でない場合（ステップＳ２１３５：Ｎｏ）は、ＵＥ２２０は、ＴＴＩバンドルサイズが４、ＲＴＴが８であると判定し（ステップＳ２１３７）、ステップＳ２１３８へ移行する。
【０２３４】
つぎに、ＵＥ２２０は、ステップＳ２１３１〜Ｓ２１３７によって判定したＴＴＩバンドルサイズおよびＲＴＴによってＴＴＩバンドルサイズおよびＲＴＴを調整する（ステップＳ２１３８）。つぎに、ＵＥ２２０は、ステップＳ２１１６によって受信したＵＬグラントに格納されたＴＰＣコマンドが“００”であったか否かを判断する（ステップＳ２１３９）。
【０２３５】
ステップＳ２１３９において、ＴＰＣコマンドが“００”でなかった場合（ステップＳ２１３９：Ｎｏ）は、ＵＥ２２０は、ＴＴＩバンドルサイズ／ＲＴＴ制御モードを維持し（ステップＳ２１４０）、ステップＳ２１２９へ移行する。ＴＰＣコマンドが“００”であった場合（ステップＳ２１３９：Ｙｅｓ）は、ＵＥ２２０は、送信電力制御モードへ移行し（ステップＳ２１４１）、ステップＳ２１２９へ移行する。
【０２３６】
このように、実施の形態３によれば、ＵＥ２２０の送信電力制御に用いられるＵＬグラントのＴＰＣコマンドを用いて、ＵＥ２２０のＴＴＩバンドルサイズとＲＴＴとの組み合わせを通知することができる。これにより、ＵＥ２２０のＴＴＩバンドルサイズおよびＲＴＴを可変としつつ、ｅＮＢ２１０からＵＥ２２０へのＴＴＩバンドルサイズおよびＲＴＴの通知に伴う制御情報のオーバーヘッドの増加を抑えることができる。
【０２３７】
また、ＴＴＩバンドルサイズ／ＲＴＴ制御モードにおいて、ＴＰＣコマンドを用いてＴＴＩバンドルサイズとＲＴＴとの組み合わせを制御する場合について説明したが、ＲＴＴのみを制御（ＴＴＩバンドルサイズは固定）するようにしてもよい。この場合も、ＵＥ２２０のＲＴＴを可変としつつ、ｅＮＢ２１０からＵＥ２２０へのＲＴＴの通知に伴う制御情報のオーバーヘッドの増加を抑えることができる。
【０２３８】
（実施の形態４）
実施の形態４について、実施の形態２と異なる部分について説明する。
【０２３９】
（ＨＡＲＱプロセス数の変更）
図２２は、ＨＡＲＱプロセス数の変更の一例を示す図である。図２２において、横軸は時間（サブフレーム）を示す。図２２に示す例では、ＵＥ２２０は、新規送信２２１１において、ＨＡＲＱプロセス＃０によって同一の新規データ（トランスポートブロック＃０）を示すパケットを４回連続してｅＮＢ２１０へ送信するＴＴＩバンドリングを行っている。また、ＵＥ２２０は、新規送信２２２１において、ＨＡＲＱプロセス＃１によって同一の新規データを示すパケットを４回連続してｅＮＢ２１０へ送信するＴＴＩバンドリングを行っている。また、新規送信２２１１，２２２１は同一の新規データの送信である。
【０２４０】
また、ＵＥ２２０は、再送２２１２において、ＨＡＲＱプロセス＃０によって、新規送信２２１１と同一のデータを示すパケットを４回連続してｅＮＢ２１０へ送信するＴＴＩバンドリングを行っている。ＵＥ２２０は、再送２２２２において、ＨＡＲＱプロセス＃１によって、新規送信２２２１と同一のデータを示すパケットを４回連続してｅＮＢ２１０へ送信するＴＴＩバンドリングを行っている。したがって、再送２２１２，２２２２は同一の再送データの送信である。
【０２４１】
また、ＵＥ２２０は、再送２２１３において、ＨＡＲＱプロセス＃０によって、新規送信２２１１と同一のデータを示すパケットを４回連続してｅＮＢ２１０へ送信するＴＴＩバンドリングを行っている。ＵＥ２２０は、再送２２２３において、ＨＡＲＱプロセス＃１によって、新規送信２２２１と同一のデータを示すパケットを４回連続してｅＮＢ２１０へ送信するＴＴＩバンドリングを行っている。したがって、再送２２１３，２２２３は同一の再送データの送信である。
【０２４２】
後述のＬＴＥのＡｌｔ．６．２においては、図２２に示すように、同一信号を複数（図２２に示す例では２個）のＨＡＲＱプロセスで送信することが検討されている。これに対して、実施の形態４にかかる無線通信システム２００においては、ＨＡＲＱプロセス数を可変とする。ＨＡＲＱプロセス数は、ＴＴＩバンドリングによるデータの送信を同一のデータについて行うＨＡＲＱのプロセスの数である。
【０２４３】
このために、ｅＮＢ２１０は、制御信号を用いてＵＥ２２０にＨＡＲＱプロセス数を通知する。この際に、ｅＮＢ２１０は、たとえばＵＬグラントに格納するＴＰＣコマンドを用いてＵＥ２２０にＨＡＲＱプロセス数を通知する。ＵＥ２２０は、ｅＮＢ２１０から受信したＵＬグラントに格納されたＴＰＣコマンドに基づいてＨＡＲＱプロセス数を調整する。たとえば上位レイヤの制御によってｅＮＢ２１０とＵＥ２２０との間のＴＴＩバンドリングが有効化された場合に、ｅＮＢ２１０およびＵＥ２２０は、送信電力制御モードと、ＴＴＩバンドルサイズ／ＨＡＲＱプロセス数制御モードと、に切り替え可能な状態となる。
【０２４４】
たとえば、送信電力制御モードにおいては、ＵＥ２２０は、ＵＥ２２０のＨＡＲＱプロセス数を１（最小値）に固定する。そして、ｅＮＢ２１０は、ＴＰＣコマンドを用いてＵＥ２２０に送信電力を通知する。また、ＵＥ２２０は、ＴＰＣコマンドに基づいてＵＥ２２０の送信電力を調整する。
【０２４５】
一方、ＴＴＩバンドルサイズ／ＨＡＲＱプロセス数制御モードにおいては、ＵＥ２２０は、ＵＥ２２０の送信電力を最大値に固定する。そして、ｅＮＢ２１０は、ＴＰＣコマンドを用いてＵＥ２２０にＨＡＲＱプロセス数を通知する。また、ＵＥ２２０は、ＴＰＣコマンドに基づいてＵＥ２２０のＨＡＲＱプロセス数を調整する。
【０２４６】
このように、ＨＡＲＱプロセス数を固定する送信電力制御モードと、送信電力を固定するＴＴＩバンドルサイズ／ＨＡＲＱプロセス数制御モードと、を切り替えることができる。したがって、送信電力を制御するためのＴＰＣコマンドを用いてＨＡＲＱプロセス数の制御も行うことができる。これにより、ＵＥ２２０のＨＡＲＱプロセス数を可変とする場合の制御情報のオーバーヘッドの増加を抑えることができる。このため、無線チャネルの変動に追従してＨＡＲＱプロセス数を制御可能にしつつ、制御情報のオーバーヘッドの増加を抑えることができる。
【０２４７】
（ＵＬグラントのビットマップの第１例）
図２３Ａは、送信電力制御モードにおけるＵＬグラントのビットマップの第１例を示す図である。図２３Ａに示すテーブル２３１０は、送信電力制御モードにおける、ＴＰＣコマンドと、ＴＰＣコマンドによる通知内容と、の対応関係を示す。
【０２４８】
たとえば、送信電力制御モードにおけるＴＰＣコマンド＝“００”は、ＴＴＩバンドルサイズ／ＨＡＲＱプロセス数制御モードに移行することを示す。また、送信電力制御モードにおけるＴＰＣコマンド＝“０１”は、ＴＴＩバンドルサイズを１に維持し、送信電力増分を−１［ｄＢ］とすることを示す。
【０２４９】
また、送信電力制御モードにおけるＴＰＣコマンド＝“１０”は、ＴＴＩバンドルサイズを１に維持し、送信電力増分を０［ｄＢ］（変化なし）とすることを示す。また、送信電力制御モードにおけるＴＰＣコマンド＝“１１”は、ＴＴＩバンドルサイズを１に維持し、送信電力増分を１［ｄＢ］とすることを示す。また、送信電力制御モードにおける各ＴＰＣコマンドは、さらにＨＡＲＱプロセス数を１のまま維持することを示してもよい。
【０２５０】
図２３Ｂは、ＴＴＩバンドルサイズ／ＨＡＲＱプロセス数制御モードにおけるＵＬグラントのビットマップの第１例を示す図である。図２３Ｂに示すテーブル２３２０は、ＴＴＩバンドルサイズ／ＨＡＲＱプロセス数制御モードにおける、ＴＰＣコマンドと、ＴＰＣコマンドによる通知内容と、の対応関係を示す。
【０２５１】
たとえば、ＴＴＩバンドルサイズ／ＨＡＲＱプロセス数制御モードにおけるＴＰＣコマンド＝“００”は、ＴＴＩバンドルサイズを１とし、送信電力制御モードに移行することを示す。また、ＴＴＩバンドルサイズ／ＨＡＲＱプロセス数制御モードにおけるＴＰＣコマンド＝“００”は、さらにＨＡＲＱプロセス数を１とすることを示してもよい。
【０２５２】
また、ＴＴＩバンドルサイズ／ＨＡＲＱプロセス数制御モードにおけるＴＰＣコマンド＝“０１”は、ＴＴＩバンドルサイズを４とし、ＨＡＲＱプロセス数を１とすることを示す。また、ＴＴＩバンドルサイズ／ＨＡＲＱプロセス数制御モードにおけるＴＰＣコマンド＝“１０”は、ＴＴＩバンドルサイズを４とし、ＨＡＲＱプロセス数を２とすることを示す。また、ＴＴＩバンドルサイズ／ＨＡＲＱプロセス数制御モードにおけるＴＰＣコマンド＝“１１”は、ＴＴＩバンドルサイズを４とし、ＨＡＲＱプロセス数を４とすることを示す。
【０２５３】
（ＵＬグラントのビットマップの第２例）
図２４Ａは、送信電力制御モードにおけるＵＬグラントのビットマップの第２例を示す図である。図２４Ａに示すテーブル２４１０は、送信電力制御モードにおける、ＴＰＣコマンドと、ＴＰＣコマンドによる通知内容と、の対応関係を示す。
【０２５４】
たとえば、送信電力制御モードにおけるＴＰＣコマンド＝“００”は、ＴＴＩバンドルサイズを１に維持し、送信電力増分を−１［ｄＢ］とすることを示す。また、送信電力制御モードにおけるＴＰＣコマンド＝“０１”は、ＴＴＩバンドルサイズを１に維持し、送信電力増分を０［ｄＢ］とすることを示す。
【０２５５】
また、送信電力制御モードにおけるＴＰＣコマンド＝“１０”は、ＴＴＩバンドルサイズを１に維持し、送信電力増分を１［ｄＢ］とすることを示す。また、送信電力制御モードにおけるＴＰＣコマンド＝“１１”は、ＴＴＩバンドルサイズを８に維持し、送信電力増分を３［ｄＢ］とすることを示す。また、送信電力制御モードにおける各ＴＰＣコマンドは、さらにＨＡＲＱプロセス数を１のまま維持することを示してもよい。
【０２５６】
このように、ＴＴＩバンドルサイズ／ＨＡＲＱプロセス数制御モードへの移行をＴＰＣコマンドによって明示的に通知しなくてもよい。この場合は、ｅＮＢ２１０およびＵＥ２２０は、たとえばＰＨＲに基づいてＴＴＩバンドルサイズ／ＨＡＲＱプロセス数制御モードへの移行を判断することができる。これにより、ＴＰＣコマンドによって指示可能な送信電力増分の種類が増えるため、より柔軟なＵＥ２２０の送信電力の制御が可能になる。
【０２５７】
たとえば、ｅＮＢ２１０は、ＵＥ２２０から受信したＰＨＲが０以下である場合にＴＴＩバンドルサイズ／ＨＡＲＱプロセス数制御モードへ移行する。また、ＵＥ２２０は、ｅＮＢ２１０へ送信するＰＨＲが０以下である場合にＴＴＩバンドルサイズ／ＨＡＲＱプロセス数制御モードへ移行する。これにより、送信電力制御モードにおいて、ＵＥ２２０の送信電力が最大値に達する場合にＴＴＩバンドルサイズ／ＨＡＲＱプロセス数制御モードへ移行することができる。
【０２５８】
図２４Ｂは、ＴＴＩバンドルサイズ／ＨＡＲＱプロセス数制御モードにおけるＵＬグラントのビットマップの第２例を示す図である。図２４Ｂに示すテーブル２４２０は、ＴＴＩバンドルサイズ／ＨＡＲＱプロセス数制御モード、すなわちＵＥ２２０の送信電力が最大値に達している場合（最大送信電力時）における、ＴＰＣコマンドと、ＴＰＣコマンドによる通知内容と、の対応関係を示す。図２４Ｂに示すテーブル２４２０は、たとえば図２３Ｂに示したテーブル２３２０と同様にすることができる。以下、実施の形態４について、図２４Ａ，図２４Ｂに示したＵＬグラントのビットマップ（第２例）を用いる場合について説明する。
【０２５９】
（送信電力制御コマンド決定方法）
送信電力制御モードにおける送信電力制御コマンド決定方法については、たとえば図６Ａに示した送信電力制御コマンド決定方法と同様である。
【０２６０】
図２５Ａおよび図２５Ｂは、ＴＴＩバンドルサイズ／ＨＡＲＱプロセス数制御モードにおける送信電力制御コマンド決定方法の一例を示す図である。図２５Ａに示すテーブル２５１０は、ＴＴＩバンドルサイズ／ＨＡＲＱプロセス数制御モードにおける、受信ＳＩＮＲの測定値の目標値との差分Ｄｉｆｆに関する条件と、ｅＮＢ２１０が選択するＨＡＲＱプロセス数の調整量と、の対応関係を示す。
【０２６１】
たとえば、ｅＮＢ２１０は、Ｄｉｆｆ＞７．５［ｄＢ］である場合は、ＨＡＲＱプロセス数の調整量として１／８倍を選択する。また、ｅＮＢ２１０は、７．５［ｄＢ］≧Ｄｉｆｆ＞４．５［ｄＢ］である場合は、ＨＡＲＱプロセス数の調整量として１／４倍を選択する。また、ｅＮＢ２１０は、４．５［ｄＢ］≧Ｄｉｆｆ＞１．５［ｄＢ］である場合は、ＨＡＲＱプロセス数の調整量として１／２倍を選択する。
【０２６２】
また、ｅＮＢ２１０は、１．５［ｄＢ］≧Ｄｉｆｆ＞−１．５［ｄＢ］である場合は、ＨＡＲＱプロセス数の調整量として１倍（変化なし）を選択する。また、ｅＮＢ２１０は、−１．５［ｄＢ］≧Ｄｉｆｆ＞−４．５［ｄＢ］である場合は、ＨＡＲＱプロセス数の調整量として２倍を選択する。また、ｅＮＢ２１０は、−４．５［ｄＢ］≧Ｄｉｆｆ＞−７．５［ｄＢ］である場合は、ＨＡＲＱプロセス数の調整量として４倍を選択する。また、ｅＮＢ２１０は、−７．５［ｄＢ］≧Ｄｉｆｆである場合は、ＨＡＲＱプロセス数の調整量として８倍を選択する。
【０２６３】
図２５Ｂに示すテーブル２５２０は、ＴＴＩバンドルサイズ／ＨＡＲＱプロセス数制御モードにおける、選択したＨＡＲＱプロセス数の調整量に基づくＨＡＲＱプロセス数の調整結果と、ｅＮＢ２１０が選択するＴＰＣコマンドと、の対応関係を示す。たとえば、ｅＮＢ２１０は、調整結果＜１である場合は、ＴＴＩバンドルサイズ＝１、ＨＡＲＱプロセス数＝１かつ送信電力制御モードへの移行を示すＴＰＣコマンド＝“００”を選択する。
【０２６４】
また、ｅＮＢ２１０は、調整結果＝１である場合は、ＴＴＩバンドルサイズ＝４、ＨＡＲＱプロセス数＝１を示すＴＰＣコマンド＝“０１”を選択する。また、ｅＮＢ２１０は、調整結果＝２である場合は、ＴＴＩバンドルサイズ＝４、ＨＡＲＱプロセス数＝２を示すＴＰＣコマンド＝“１０”を選択する。また、ｅＮＢ２１０は、調整結果≧４である場合は、ＴＴＩバンドルサイズ＝４、ＨＡＲＱプロセス数＝４を示すＴＰＣコマンド＝“１１”を選択する。
【０２６５】
（実施の形態４にかかる無線通信システムの動作）
図２６は、実施の形態４にかかる無線通信システムの動作の一例を示すシーケンス図である。実施の形態４にかかる無線通信システム２００においては、たとえば以下の各ステップが行われる。
【０２６６】
まず、ｅＮＢ２１０が、ＵＥ２２０との間のＴＴＩバンドリングを有効化する（ステップＳ２６０１）。つぎに、ｅＮＢ２１０が、ＴＴＩバンドリングを有効にすることを指示する上位レイヤ制御信号（ＴＴＩバンドリング＝ＴＲＵＥ）をＵＥ２２０へ送信する（ステップＳ２６０２）。
【０２６７】
つぎに、ＵＥ２２０が、ｅＮＢ２１０との間のＴＴＩバンドリングを有効化する（ステップＳ２６０３）。図２６に示す例では、ＴＴＩバンドリングを有効化したｅＮＢ２１０およびＵＥ２２０は、初期モードとしてＴＴＩバンドルサイズ／ＨＡＲＱプロセス数制御モードになるとする。
【０２６８】
つぎに、ＵＥ２２０が、ｅＮＢ２１０へサウンディングＲＳを送信する（ステップＳ２６０４）。つぎに、ｅＮＢ２１０が、ステップＳ２６０４によって送信されたサウンディングＲＳに基づく受信品質を測定する（ステップＳ２６０５）。受信品質は、たとえば受信ＳＩＮＲである。図２６に示す例では、ｅＮＢ２１０は、ステップＳ２６０５によって測定した受信品質に基づいて、ＵＥ２２０のＨＡＲＱプロセス数を１に変更させ、かつ送信電力制御モードに移行することを決定したとする。
【０２６９】
つぎに、ｅＮＢ２１０が、ステップＳ２６０５によって測定した受信品質に基づくＵＬグラントをＵＥ２２０へ送信する（ステップＳ２６０６）。ステップＳ２６０６のＵＬグラントには、ＴＰＣコマンド＝“００”が含まれる。すなわち、ステップＳ２６０６のＵＬグラントは、ＴＴＩバンドルサイズを１、ＨＡＲＱプロセス数を１に設定し、送信電力制御モードに移行することを指示するＴＰＣコマンドを含む（たとえば図２４Ｂ参照）。
【０２７０】
つぎに、ＵＥ２２０が、ステップＳ２６０６によって送信されたＵＬグラントに含まれるＴＰＣコマンドに基づいて、ＵＥ２２０のＴＴＩバンドルサイズを１ＴＴＩ、ＨＡＲＱプロセス数を１に調整する（ステップＳ２６０７）。つぎに、ＵＥ２２０が、ステップＳ２６０６によって送信されたＵＬグラントによって指示された無線リソースにより、ＰＵＳＣＨおよびＰＨＲを送信する（ステップＳ２６０８）。ステップＳ２６０８におけるＰＵＳＣＨの送信は、ＰＵＳＣＨを１回だけ送信するＴＴＩバンドリングにより行われる。
【０２７１】
また、ステップＳ２６０６により、ｅＮＢ２１０およびＵＥ２２０は送信電力制御モードに移行する。
【０２７２】
つぎに、ＵＥ２２０が、ｅＮＢ２１０へサウンディングＲＳを送信する（ステップＳ２６０９）。つぎに、ｅＮＢ２１０が、ステップＳ２６０９によって送信されたサウンディングＲＳに基づく受信品質を測定する（ステップＳ２６１０）。図２６に示す例では、ｅＮＢ２１０は、ステップＳ２６１０によって測定した受信品質に基づいて、ＵＥ２２０の送信電力を３［ｄＢ］増加させることを決定したとする。
【０２７３】
つぎに、ｅＮＢ２１０が、ステップＳ２６１０によって測定した受信品質に基づくＵＬグラントをＵＥ２２０へ送信する（ステップＳ２６１１）。ステップＳ２６１１のＵＬグラントには、ＴＰＣコマンド＝“１１”が含まれる。すなわち、ステップＳ２６１１のＵＬグラントは、送信電力を３［ｄＢ］増加させることを指示するＴＰＣコマンドを含む（たとえば図２４Ａ参照）。
【０２７４】
つぎに、ＵＥ２２０が、ステップＳ２６１１によって送信されたＵＬグラントに含まれるＴＰＣコマンドに基づいて送信電力を３［ｄＢ］増加させるように調整する（ステップＳ２６１２）。ステップＳ２６１２によって、ＵＥ２２０の送信電力が最大送信電力に到達したとする。したがって、ＵＥ２２０のＰＨＲは０以下となる。
【０２７５】
つぎに、ＵＥ２２０が、ステップＳ２６１１によって送信されたＵＬグラントによって指示された無線リソースにより、ＰＵＳＣＨおよびＰＨＲを送信する（ステップＳ２６１３）。ステップＳ２６１３におけるＰＵＳＣＨの送信は、ＰＵＳＣＨを１回だけ送信するＴＴＩバンドリングにより行われる。
【０２７６】
ＵＥ２２０のＰＨＲが０［ｄＢ］以下になったことにより、ｅＮＢ２１０およびＵＥ２２０はＴＴＩバンドルサイズ／ＨＡＲＱプロセス数制御モードへ移行する。
【０２７７】
つぎに、ＵＥ２２０が、ｅＮＢ２１０へサウンディングＲＳを送信する（ステップＳ２６１４）。つぎに、ｅＮＢ２１０が、ステップＳ２６１４によって送信されたサウンディングＲＳに基づく受信品質を測定する（ステップＳ２６１５）。図２６に示す例では、ｅＮＢ２１０は、ステップＳ２６１４によって測定した受信品質に基づいて、ＵＥ２２０のＨＡＲＱプロセス数を１に変更することを決定したとする。
【０２７８】
つぎに、ｅＮＢ２１０が、ステップＳ２６１５によって測定した受信品質に基づくＵＬグラントをＵＥ２２０へ送信する（ステップＳ２６１６）。ステップＳ２６１６のＵＬグラントには、ＴＰＣコマンド＝“０１”が含まれる。すなわち、ステップＳ２６１６のＵＬグラントは、ＴＴＩバンドルサイズを４、ＨＡＲＱプロセス数を１に設定することを指示するＴＰＣコマンドを含む（たとえば図２４Ｂ参照）。
【０２７９】
つぎに、ＵＥ２２０が、ステップＳ２６１６によって送信されたＵＬグラントに含まれるＴＰＣコマンドに基づいて、ＴＴＩバンドルサイズを４ＴＴＩ、ＨＡＲＱプロセス数を１に調整する（ステップＳ２６１７）。つぎに、ＵＥ２２０が、ステップＳ２６１６によって送信されたＵＬグラントによって指示された無線リソースにより、ＰＵＳＣＨおよびＰＨＲを送信する（ステップＳ２６１８）。ステップＳ２６１８におけるＰＵＳＣＨの送信は、同一データを示すＰＵＳＣＨを４ＴＴＩだけ連続して送信するＴＴＩバンドリングにより行われる。
【０２８０】
なお、ステップＳ２６０４，Ｓ２６０９，Ｓ２６１４によるサウンディングＲＳの送信は、たとえばＵＥ２２０による周期的なサウンディングＲＳの送信であってもよい。
【０２８１】
（実施の形態４にかかるｅＮＢ）
図２７Ａは、実施の形態４にかかるｅＮＢの一例を示す図である。図２７Ｂは、図２７Ａに示したｅＮＢにおける信号の流れの一例を示す図である。図２７Ａ，図２７Ｂにおいて、図８Ａ，図８Ｂに示した部分と同様の部分については同一の符号を付して説明を省略する。図２７Ａ，図２７Ｂに示すように、実施の形態４にかかるｅＮＢ２１０は、図８Ａ，図８Ｂに示したＴＴＩバンドリングコマンド生成部８０６に代えて、ＴＴＩバンドリング／ＨＡＲＱプロセス数コマンド生成部２７０１を備える。ＴＴＩバンドリング／ＨＡＲＱプロセス数コマンド生成部２７０１は、たとえば図８Ｃに示したＣＰＵ８３１によって実現することができる。
【０２８２】
ＴＴＩバンドリング／ＨＡＲＱプロセス数コマンド生成部２７０１は、モード切替制御部８１４からの切替結果に基づいて、ＴＴＩバンドルサイズ／ＨＡＲＱプロセス数制御モード時に、受信ＳＩＮＲ推定部８０４から出力された受信ＳＩＮＲを取得する。そして、ＴＴＩバンドリング／ＨＡＲＱプロセス数コマンド生成部２７０１は、取得した受信ＳＩＮＲに基づくＵＥ２２０へのＴＴＩバンドリング／ＨＡＲＱプロセス数コマンドを生成する。ＴＴＩバンドリング／ＨＡＲＱプロセス数コマンドは、ＴＴＩバンドルサイズおよびＨＡＲＱプロセス数を指示する情報である。ＴＴＩバンドリング／ＨＡＲＱプロセス数コマンド生成部２７０１は、生成したＴＴＩバンドリング／ＨＡＲＱプロセス数コマンドをＰＵＳＣＨスケジューラ８０７およびＵＬグラント生成部８０８へ出力する。
【０２８３】
モード切替制御部８１４は、ｅＮＢ２１０とＵＥ２２０との間のＴＴＩバンドリングが有効化されると、ＴＴＩバンドルサイズ／ＨＡＲＱプロセス数制御モードと送信電力制御モードとの切替制御を開始する。
【０２８４】
図１Ａ，図１Ｂの制御部１１２は、送信電力制御コマンド生成部８０５、ＴＴＩバンドリング／ＨＡＲＱプロセス数コマンド生成部２７０１、ＵＬグラント生成部８０８、長区間受信品質判定部８０９およびモード切替制御部８１４などで実現することができる。
【０２８５】
（実施の形態４にかかるＵＥ）
図２８Ａは、実施の形態４にかかるＵＥの一例を示す図である。図２８Ｂは、図２８Ａに示したＵＥにおける信号の流れの一例を示す図である。図２８Ａ，図２８Ｂにおいて、図９Ａ，図９Ｂに示した部分と同様の部分については同一の符号を付して説明を省略する。図２７Ａ，図２７Ｂに示すように、実施の形態４にかかるＵＥ２２０は、図９Ａ，図９Ｂに示したＴＴＩバンドリング制御部９０７に代えて、ＴＴＩバンドリング／ＨＡＲＱプロセス数制御部２８０１を備える。ＴＴＩバンドリング／ＨＡＲＱプロセス数制御部２８０１は、たとえば図９Ｃに示したＣＰＵ９３１によって実現することができる。
【０２８６】
モード切替制御部９０５は、ｅＮＢ２１０との間のＴＴＩバンドリングが有効化されると、ＴＴＩバンドルサイズ／ＨＡＲＱプロセス数制御モードと送信電力制御モードとの切替制御を開始する。たとえば、モード切替制御部９０５は、送信電力算出部９０６から出力されたＰＨＲが０以下である場合は、次回の送信からＴＴＩバンドルサイズ／ＨＡＲＱプロセス数制御モードに切り替える。
【０２８７】
ＴＴＩバンドリング／ＨＡＲＱプロセス数制御部２８０１は、モード切替制御部９０５から出力された切替結果に基づいて、ＴＴＩバンドルサイズ／ＨＡＲＱプロセス数制御モード時に、ＴＴＩバンドルサイズおよびＨＡＲＱプロセス数を決定する。具体的には、ＴＴＩバンドリング／ＨＡＲＱプロセス数制御部２８０１は、ＰＤＣＣＨ復調部９０４から出力されたＵＬグラントに格納されたＴＰＣコマンドに基づくＴＴＩバンドルサイズおよびＨＡＲＱプロセス数を決定する。そして、ＴＴＩバンドリング／ＨＡＲＱプロセス数制御部２８０１は、決定したＴＴＩバンドルサイズおよびＨＡＲＱプロセス数をＰＵＳＣＨスケジューラ９０８へ通知する。
【０２８８】
ＰＵＳＣＨスケジューラ９０８は、ＴＴＩバンドリング／ＨＡＲＱプロセス数制御部２８０１から出力されたＴＴＩバンドルサイズおよびＨＡＲＱプロセス数によって連続送信およびＨＡＲＱを行うようにＰＵＳＣＨのスケジューリングを行う。
【０２８９】
図１Ａ，図１Ｂに示した制御部１２２は、たとえばモード切替制御部９０５、送信電力算出部９０６およびＴＴＩバンドリング／ＨＡＲＱプロセス数制御部２８０１により実現することができる。
【０２９０】
（実施の形態４にかかるｅＮＢによる処理）
図２９Ａ〜図２９Ｃは、実施の形態４にかかるｅＮＢによる処理の一例を示すフローチャートである。実施の形態４にかかるｅＮＢ２１０は、たとえば図２９Ａ〜図２９Ｃに示す各ステップを実行する。図２９Ａ，図２９Ｂに示すステップＳ２９０１〜Ｓ２９３１は、図１０Ａ，図１０Ｂに示したステップＳ１００１〜Ｓ１０３１と同様である。ただし、ステップＳ２９３０において、ｅＮＢ２１０は、ＴＴＩバンドルサイズ／ＨＡＲＱプロセス数制御モードへ移行する（ステップＳ２９３０）。
【０２９１】
また、ステップＳ２９１８において、ｅＮＢ２１０は、現在のモードがＴＴＩバンドルサイズ／ＨＡＲＱプロセス数制御モードであるか否かを判断する（ステップＳ２９１８）。モードがＴＴＩバンドルサイズ／ＨＡＲＱプロセス数制御モードでない場合（ステップＳ２９１８：Ｎｏ）は、ｅＮＢ２１０は、ステップＳ２９１９へ移行する。
【０２９２】
ステップＳ２９１８において、現在のモードがＴＴＩバンドルサイズ／ＨＡＲＱプロセス数制御モードである場合（ステップＳ２９１８：Ｙｅｓ）は、ｅＮＢ２１０は、ステップＳ２９３２へ移行する。すなわち、ｅＮＢ２１０は、ステップＳ２９１７によって測定した受信ＳＩＮＲと所定の目標値の差分に基づいて、ＵＥ２２０のＨＡＲＱプロセス数の調整量を決定する（ステップＳ２９３２）。
【０２９３】
つぎに、ｅＮＢ２１０は、ステップＳ２９３２によって決定した調整量に基づく調整後のＵＥ２２０のＨＡＲＱプロセス数が１未満であるか否かを判断する（ステップＳ２９３３）。ＨＡＲＱプロセス数が１未満である場合（ステップＳ２９３３：Ｙｅｓ）は、ｅＮＢ２１０は、ＴＰＣコマンドに“００”を設定し（ステップＳ２９３４）、ステップＳ２９４０へ移行する。
【０２９４】
ステップＳ２９３３において、調整後のＨＡＲＱプロセス数が１未満でない場合（ステップＳ２９３３：Ｎｏ）は、ｅＮＢ２１０は、調整後のＨＡＲＱプロセス数が１であるか否かを判断する（ステップＳ２９３５）。調整後のＨＡＲＱプロセス数が１である場合（ステップＳ２９３５：Ｙｅｓ）は、ｅＮＢ２１０は、ＴＰＣコマンドに“０１”を設定し（ステップＳ２９３６）、ステップＳ２９４０へ移行する。
【０２９５】
ステップＳ２９３５において、調整後のＨＡＲＱプロセス数が１でない場合（ステップＳ２９３５：Ｎｏ）は、ｅＮＢ２１０は、調整後のＨＡＲＱプロセス数が２であるか否かを判断する（ステップＳ２９３７）。調整後のＨＡＲＱプロセス数が２である場合（ステップＳ２９３７：Ｙｅｓ）は、ｅＮＢ２１０は、ＴＰＣコマンドに“１０”を設定し（ステップＳ２９３８）、ステップＳ２９４０へ移行する。
【０２９６】
ステップＳ２９３７において、調整後のＨＡＲＱプロセス数が２でない場合（ステップＳ２９３７：Ｎｏ）は、ｅＮＢ２１０は、ＴＰＣコマンドに“１１”を設定し（ステップＳ２９３９）、ステップＳ２９４０へ移行する。
【０２９７】
つぎに、ｅＮＢ２１０は、ステップＳ２９３３〜Ｓ２９３９によって設定したＴＰＣコマンドを格納したＵＬグラントをＵＥ２２０へ送信する（ステップＳ２９４０）。つぎに、ｅＮＢ２１０は、ステップＳ２９４０によって送信したＵＬグラントにより指示した無線リソースによって、ＵＥ２２０からのＰＵＳＣＨを受信する（ステップＳ２９４１）。つぎに、ｅＮＢ２１０は、ステップＳ２９３３〜Ｓ２９３９によって設定したＴＰＣコマンドが“００”であったか否かを判断する（ステップＳ２９４２）。
【０２９８】
ステップＳ２９４２において、ＴＰＣコマンドが“００”でなかった場合（ステップＳ２９４２：Ｎｏ）は、ｅＮＢ２１０は、ＴＴＩバンドルサイズ／ＨＡＲＱプロセス数制御モードを維持し（ステップＳ２９４３）、ステップＳ２９３１へ移行する。ＴＰＣコマンドが“００”であった場合（ステップＳ２９４２：Ｙｅｓ）は、ｅＮＢ２１０は、送信電力制御モードへ移行し（ステップＳ２９４４）、ステップＳ２９３１へ移行する。
【０２９９】
（実施の形態４にかかるＵＥによる処理）
図３０Ａ〜図３０Ｃは、実施の形態４にかかるＵＥによる処理の一例を示すフローチャートである。実施の形態４にかかるＵＥ２２０は、たとえば図３０Ａ〜図３０Ｃに示す各ステップを実行する。図３０Ａ，図３０Ｂに示すステップＳ３００１〜Ｓ３０３０は、図１１Ａ，図１１Ｂに示したステップＳ１１０１〜Ｓ１１３０と同様である。
【０３００】
ただし、ステップＳ３０２８において、ＵＥ２２０は、ＴＴＩバンドルサイズ／ＨＡＲＱプロセス数制御モードへ移行する（ステップＳ３０２８）。また、ステップＳ３０１７において、ＵＥ２２０は、現在のモードがＴＴＩバンドルサイズ／ＨＡＲＱプロセス数制御モードであるか否かを判断する（ステップＳ３０１７）。ＴＴＩバンドルサイズ／ＨＡＲＱプロセス数制御モードでなく送信電力制御モードである場合（ステップＳ３０１７：Ｎｏ）は、ＵＥ２２０は、ステップＳ３０１８へ移行する。
【０３０１】
ステップＳ３０１７において、ＴＴＩバンドルサイズ／ＨＡＲＱプロセス数制御モードである場合（ステップＳ３０１７：Ｙｅｓ）は、ＵＥ２２０は、ステップＳ３０３１へ移行する。すなわち、ＵＥ２２０は、ステップＳ３０１６によって受信したＵＬグラントに格納されたＴＰＣコマンドが“００”であるか否かを判断する（ステップＳ３０３１）。ＴＰＣコマンドが“００”である場合（ステップＳ３０３１：Ｙｅｓ）は、ＵＥ２２０は、ＴＴＩバンドルサイズが１、ＨＡＲＱプロセス数が１であると判定し（ステップＳ３０３２）、ステップＳ３０３８へ移行する。
【０３０２】
ステップＳ３０３１において、ＴＰＣコマンドが“００”でない場合（ステップＳ３０３１：Ｎｏ）は、ＵＥ２２０は、ＴＰＣコマンドが“０１”であるか否かを判断する（ステップＳ３０３３）。ＴＰＣコマンドが“０１”である場合（ステップＳ３０３３：Ｙｅｓ）は、ＵＥ２２０は、ＴＴＩバンドルサイズが４、ＨＡＲＱプロセス数が１であると判定し（ステップＳ３０３４）、ステップＳ３０３８へ移行する。
【０３０３】
ステップＳ３０３３において、ＴＰＣコマンドが“０１”でない場合（ステップＳ３０３３：Ｎｏ）は、ＵＥ２２０は、ＴＰＣコマンドが“１０”であるか否かを判断する（ステップＳ３０３５）。ＴＰＣコマンドが“１０”である場合（ステップＳ３０３５：Ｙｅｓ）は、ＵＥ２２０は、ＴＴＩバンドルサイズが４、ＨＡＲＱプロセス数が２であると判定し（ステップＳ３０３６）、ステップＳ３０３８へ移行する。
【０３０４】
ステップＳ３０３５において、ＴＰＣコマンドが“１０”でない場合（ステップＳ３０３５：Ｎｏ）は、ＵＥ２２０は、ＴＴＩバンドルサイズが４、ＨＡＲＱプロセス数が４であると判定し（ステップＳ３０３７）、ステップＳ３０３８へ移行する。
【０３０５】
つぎに、ＵＥ２２０は、ステップＳ３０３１〜Ｓ３０３７によって判定したＴＴＩバンドルサイズおよびＨＡＲＱプロセス数によってＴＴＩバンドルサイズおよびＨＡＲＱプロセス数を調整する（ステップＳ３０３８）。つぎに、ＵＥ２２０は、ステップＳ３０１６によって受信したＵＬグラントに格納されたＴＰＣコマンドが“００”であったか否かを判断する（ステップＳ３０３９）。
【０３０６】
ステップＳ３０３９において、ＴＰＣコマンドが“００”でなかった場合（ステップＳ３０３９：Ｎｏ）は、ＵＥ２２０は、ＴＴＩバンドルサイズ／ＨＡＲＱプロセス数制御モードを維持し（ステップＳ３０４０）、ステップＳ３０２９へ移行する。ＴＰＣコマンドが“００”であった場合（ステップＳ３０３９：Ｙｅｓ）は、ＵＥ２２０は、送信電力制御モードへ移行し（ステップＳ３０４１）、ステップＳ３０２９へ移行する。
【０３０７】
このように、実施の形態４によれば、ＵＥ２２０の送信電力制御に用いられるＵＬグラントのＴＰＣコマンドを用いて、ＵＥ２２０のＴＴＩバンドルサイズとＨＡＲＱプロセス数との組み合わせを通知することができる。これにより、ＵＥ２２０のＴＴＩバンドルサイズおよびＨＡＲＱプロセス数を可変としつつ、ｅＮＢ２１０からＵＥ２２０へのＴＴＩバンドルサイズおよびＨＡＲＱプロセス数の通知に伴う制御情報のオーバーヘッドの増加を抑えることができる。
【０３０８】
また、ＴＴＩバンドルサイズ／ＨＡＲＱプロセス数制御モードにおいて、ＴＰＣコマンドを用いてＴＴＩバンドルサイズとＨＡＲＱプロセス数との組み合わせを制御する場合について説明した。これに対して、ＨＡＲＱプロセス数のみを制御（ＴＴＩバンドルサイズは固定）するようにしてもよい。この場合も、ＵＥ２２０のＨＡＲＱプロセス数を可変としつつ、ｅＮＢ２１０からＵＥ２２０へのＨＡＲＱプロセス数の通知に伴う制御情報のオーバーヘッドの増加を抑えることができる。
【０３０９】
以上説明したように、無線通信システム、基地局、端末および処理方法によれば、端末の送信電力制御に用いられる制御情報の所定領域を用いて、上り通信に関する端末の送信電力以外のパラメータを通知することができる。これにより、該パラメータを可変としつつ、基地局から端末への該パラメータの通知に伴う制御情報のオーバーヘッドの増加を抑えることができる。
【０３１０】
一例として、ＬＴＥ標準化のカバレッジ拡張（Ｃｏｖｅｒａｇｅ  ｅｎｈａｎｃｅｍｅｎｔｓ）技術が検討された。たとえば、Ｒｅｌ−１１  ＳＩとして、ＬＴＥシステムが単独でネットワークを構築する際に、カバレッジ特性を制限する原因となる物理チャネルを調査する検討が行われた（３ＧＰＰ  ＴＲ３６．８２４  Ｖ１１．０．０）。また、Ｒｅｌ−１２  ＷＩとして、ＵＬＶｏＩＰ等のカバレッジ拡張技術が検討された（３ＧＰＰ  ＲＰ−１３０８３３）。
【０３１１】
これらの検討された内容は、主に以下のＡｌｔ．１、Ａｌｔ．６．１、Ａｌｔ．６．２およびＡｌｔ．６．３に分類される。Ａｌｔ．１は、ＲＴＴを１６［ｍｓ］から１２［ｍｓ］に削減するという内容である。これにより、許容される遅延時間内で、より多数の再送パケットを合成でき、ゲインが増大する。Ａｌｔ．６．１は、新規送信時と再送時でＴＴＩバンドルサイズを変えるという内容である。これにより、新規送信時のＴＴＩバンドルサイズを大きくすることで、ゲインが増大する。
【０３１２】
Ａｌｔ．６．２は、複数のＨＡＲＱプロセスを使って１個のトランスポートブロック（ｔｒａｎｓｐｏｒｔ  ｂｌｏｃｋ）を送信するという内容である。これにより、許容される遅延時間内で、より多数の再送パケットを合成でき、ゲインが増大する。Ａｌｔ．６．３は、制御信号に従ってＴＴＩバンドルサイズを可変にするという内容である。これにより、より柔軟にゲインを調整することができる。
【０３１３】
たとえば、従来、上位レイヤ（たとえばＲＬＣ層）の制御信号により、ＴＴＩバンドリングの有効／無効が切り替えられるため、設定の変更に時間がかかり、無線チャネル品質に追従した制御が困難であった。
【０３１４】
このため、従来、たとえば、ＴＴＩバンドリングの有効時に無線チャネル品質が急激によくなった場合に、過剰なゲインのために時間周波数リソースを浪費してしまう場合があった。一方、ＴＴＩバンドリングの無効時に無線チャネル品質が急激に悪くなった場合に、十分なゲインを得られずに受信特性が劣化してしまう場合があった。また、ＲＴＴやＨＡＲＱプロセス数についても同様に、無線チャネル品質に応じて柔軟な調整ができなかったため、通信を効率よく行うことができなかった。
【０３１５】
これに対して、ＴＴＩバンドルサイズ、ＲＴＴ、ＨＡＲＱプロセス数などを可変にすることが考えられるが、これらの調整指示を基地局から端末へ通知するために制御情報のオーバーヘッドが増大してしまう。
【０３１６】
上述した各実施の形態によれば、たとえばＵＥ２２０の送信電力制御に用いられるＵＬグラントのＴＰＣコマンドを用いて、ＵＥ２２０のＴＴＩバンドルサイズなども通知することができる。これにより、ＵＥ２２０のＴＴＩバンドルサイズなどを可変としつつ、ｅＮＢ２１０からＵＥ２２０へのＴＴＩバンドルサイズの通知に伴う制御情報のオーバーヘッドの増加を抑えることができる。
【０３１７】
ここで、たとえばＴＴＩバンドリングの適用を要する場合は、ＵＥ２２０の送信電力はほぼ最大送信電力に達している可能性が高い。一方、ＵＥ２２０の送信電力を調整する場合は、ＴＴＩバンドリングを適用しなくても十分なゲインを得られている可能性が高い。このため、送信電力の制御とＴＴＩバンドリングの制御を同時に行うメリットは小さい。
【０３１８】
これに対して、上述した各実施の形態によれば、たとえば送信電力およびＴＴＩバンドルサイズのうちの一方を固定し、他方をＴＰＣコマンドによって制御することができる。これにより、ＴＰＣコマンドを、送信電力の制御と、ＴＴＩバンドルサイズの制御と、で共用し、制御情報のオーバーヘッドの増加を抑えることができる。
【０３１９】
同様に、送信電力の制御とＲＴＴの制御を同時に行うメリットは小さい。これに対して、上述した各実施の形態によれば、たとえば送信電力およびＲＴＴのうちの一方を固定し、他方をＴＰＣコマンドによって制御することができる。これにより、ＴＰＣコマンドを、送信電力の制御と、ＲＴＴの制御と、で共用し、制御情報のオーバーヘッドの増加を抑えることができる。
【０３２０】
同様に、送信電力の制御とＨＡＲＱプロセス数の制御を同時に行うメリットは小さい。これに対して、上述した各実施の形態によれば、たとえば送信電力およびＨＡＲＱプロセス数のうちの一方を固定し、他方をＴＰＣコマンドによって制御することができる。これにより、ＴＰＣコマンドを、送信電力の制御と、ＨＡＲＱプロセス数の制御と、で共用し、制御情報のオーバーヘッドの増加を抑えることができる。
【０３２１】
上述した実施の形態に関し、さらに以下の付記を開示する。
【０３２２】
（付記１）端末へ送信する制御情報の所定領域に端末の送信電力を指示する値を格納する第１状態と、前記端末が同一のデータを連続して送信する回数を指示する値を前記所定領域に格納する第２状態と、を切り替え可能な基地局と、
前記第１状態の前記基地局から受信した制御情報の前記所定領域の値に基づいて送信電力を調整する第３状態と、前記第２状態の前記基地局から受信した制御情報の前記所定領域の値に基づいて、自端末が同一のデータを連続して送信する回数を調整する第４状態と、を切り替え可能な端末と、
を含むことを特徴とする無線通信システム。
【０３２３】
（付記２）前記端末は、前記第３状態において前記所定領域の値に基づいて前記回数を調整せず、前記第４状態において前記所定領域の値に基づいて前記送信電力を調整しないことを特徴とする付記１に記載の無線通信システム。
【０３２４】
（付記３）前記基地局は、前記第１状態において、前記送信電力を指示する値および前記第４状態への切り替えを指示する値の中から選択した値を前記所定領域に格納し、前記第２状態において、前記回数を指示する値および前記第３状態への切り替えを指示する値の中から選択した値を前記所定領域に格納し、
前記基地局が前記第４状態への切り替えを指示する値を前記所定領域に格納した場合に、前記端末が前記第４状態へ移行し、前記基地局が前記第２状態へ移行し、
前記基地局が前記第３状態への切り替えを指示する値を前記所定領域に格納した場合に、前記端末が前記第３状態へ移行し、前記基地局が前記第１状態へ移行する、
ことを特徴とする付記１または２に記載の無線通信システム。
【０３２５】
（付記４）前記端末は、前記端末の送信電力に応じた情報を前記基地局へ送信し、
前記基地局は、前記第１状態および前記第２状態のうちの前記端末の送信電力に応じた情報に対応する状態に切り替え、
前記端末は、前記第３状態および前記第４状態のうちの前記端末の送信電力に応じた情報に対応する状態に切り替える、
ことを特徴とする付記１または２に記載の無線通信システム。
【０３２６】
（付記５）前記基地局は、前記第１状態において、前記送信電力に応じた情報が所定値になった場合に前記第２状態へ切り替え、
前記端末は、前記第３状態において、前記送信電力に応じた情報が前記所定値になった場合に前記第４状態へ切り替え、
前記基地局は、前記第２状態において、前記回数を指示する値および前記第３状態への切り替えを指示する値の中から選択した値を前記所定領域に格納し、前記選択した値が前記第１状態への切り替えを指示する値である場合に前記第１状態へ切り替え、
前記端末は、前記第４状態において、前記所定領域の値が前記第３状態への切り替えを指示する値である場合に前記第３状態へ切り替える、
ことを特徴とする付記４に記載の無線通信システム。
【０３２７】
（付記６）前記端末の送信電力に応じた情報は、前記端末の送信電力と、前記端末の最大送信電力と、の差分を示す情報であることを特徴とする付記４または５に記載の無線通信システム。
【０３２８】
（付記７）前記端末は、データの新規送信および再送のうちの前記新規送信についての前記回数を調整することを特徴とする付記１〜６のいずれか一つに記載の無線通信システム。
【０３２９】
（付記８）前記基地局は、前記第２状態において、前記回数と、前記端末がデータを送信してから前記データを再送するまでの時間と、の組み合わせを示す値を前記所定領域に格納し、
前記端末は、前記第４状態において、前記所定領域の値に基づいて、前記回数と、自端末がデータを送信してから前記データを再送するまでの時間と、の組み合わせを調整する、
ことを特徴とする付記１〜６のいずれか一つに記載の無線通信システム。
【０３３０】
（付記９）前記基地局は、前記第２状態において、前記回数と、前記同一のデータを連続して送信する処理を同一のデータについて行うプロセスの数と、の組み合わせを示す値を前記所定領域に格納し、
前記端末は、前記第４状態において、前記所定領域の値に基づいて、前記回数と、自端末が前記同一のデータを連続して送信する処理を同一のデータについて行うプロセスの数と、の組み合わせを調整する、
ことを特徴とする付記１〜７のいずれか一つに記載の無線通信システム。
【０３３１】
（付記１０）前記プロセスはＨＡＲＱ（Ｈｙｂｒｉｄ  Ａｕｔｏｍａｔｉｃ  Ｒｅｐｅａｔ  ｒｅＱｕｅｓｔ）のプロセスであることを特徴とする付記９に記載の無線通信システム。
【０３３２】
（付記１１）前記制御情報は、前記端末から前記基地局への無線信号の送信に対して前記基地局が割り当てた無線リソースを示す情報であることを特徴とする付記１〜１０のいずれか一つに記載の無線通信システム。
【０３３３】
（付記１２）前記同一のデータを連続して送信する回数は、ＴＴＩ（Ｔｒａｎｓｍｉｓｓｉｏｎ  Ｔｉｍｅ  Ｉｎｔｅｒｖａｌ）バンドリングにおけるＴＴＩバンドルサイズであることを特徴とする付記１〜１１のいずれか一つに記載の無線通信システム。
【０３３４】
（付記１３）端末へ制御情報を送信する送信部と、
前記送信部によって送信される前記制御情報の所定領域に前記端末の送信電力を指示する値を格納する第１状態と、前記端末が同一のデータを連続して送信する回数を指示する値を前記所定領域に格納する第２状態と、を切り替え可能な制御部と、
を備えることを特徴とする基地局。
【０３３５】
（付記１４）端末へ送信する制御情報の所定領域に前記端末の送信電力を指示する値を格納する第１状態と、前記端末が同一のデータを連続して送信する回数を指示する値を前記所定領域に格納する第２状態と、を切り替え可能な基地局から前記制御情報を受信する受信部と、
前記第１状態の前記基地局から前記受信部が受信した制御情報の前記所定領域の値に基づいて送信電力を調整する第３状態と、前記第２状態の前記基地局から前記受信部が受信した制御情報の前記所定領域の値に基づいて、自端末が同一のデータを連続して送信する回数を調整する第４状態と、を切り替え可能な制御部と、
を備えることを特徴とする端末。
【０３３６】
（付記１５）基地局における処理方法であって、
端末へ制御情報を送信し、
送信する前記制御情報の所定領域に前記端末の送信電力を指示する値を格納する第１状態と、前記端末が同一のデータを連続して送信する回数を指示する値を前記所定領域に格納する第２状態と、を切り替える、
ことを特徴とする処理方法。
【０３３７】
（付記１６）端末における処理方法であって、
端末へ送信する制御情報の所定領域に前記端末の送信電力を指示する値を格納する第１状態と、前記端末が同一のデータを連続して送信する回数を指示する値を前記所定領域に格納する第２状態と、を切り替え可能な基地局から前記制御情報を受信し、
前記第１状態の前記基地局から受信した制御情報の前記所定領域の値に基づいて送信電力を調整する第３状態と、前記第２状態の前記基地局から受信した制御情報の前記所定領域の値に基づいて、自端末が同一のデータを連続して送信する回数を調整する第４状態と、を切り替える、
ことを特徴とする処理方法。
【０３３８】
（付記１７）端末へ送信する制御情報の所定領域に端末の送信電力を指示する値を格納する第１状態と、前記端末がデータを送信してから前記データを再送するまでの時間を指示する値を前記所定領域に格納する第２状態と、を切り替え可能な基地局と、
前記第１状態の前記基地局から受信した制御情報の前記所定領域の値に基づいて送信電力を調整する第３状態と、前記第２状態の前記基地局から受信した制御情報の前記所定領域の値に基づいて、自端末がデータを送信してから前記データを再送するまでの時間を調整する第４状態と、を切り替え可能な端末と、
を含むことを特徴とする無線通信システム。
【０３３９】
（付記１８）端末へ送信する制御情報の所定領域に端末の送信電力を指示する値を格納する第１状態と、前記端末が同一のデータを連続して送信する処理を同一のデータについて行うプロセスの数を指示する値を前記所定領域に格納する第２状態と、を切り替え可能な基地局と、
前記第１状態の前記基地局から受信した制御情報の前記所定領域の値に基づいて送信電力を調整する第３状態と、前記第２状態の前記基地局から受信した制御情報の前記所定領域の値に基づいて、自端末が同一のデータを連続して送信する処理を同一のデータについて行うプロセスの数を調整する第４状態と、を切り替え可能な端末と、
を含むことを特徴とする無線通信システム。
【符号の説明】
【０３４０】
１００，２００  無線通信システム
１１０  基地局
１１１  送信部
１１２，１２２  制御部
１２０  端末
１２１  受信部
１３０  制御情報
１３１  所定領域
２１０  ｅＮＢ
２１１  セル
２２０  ＵＥ
２３０〜２３９  サブフレーム
２４１  ＵＬグラント
２４２  応答信号
２４３  ＲＴＴ
３０１〜３０４，１２０１，１３０１，２２１１，２２２１  新規送信
４１０，４２０，５１０，５２０，６１０，６２０，６３０，１３３０，１４１０，１４２０，１５１０，１５２０，１６１０，１６２０，２３１０，２３２０，２４１０，２４２０，２５１０，２５２０  テーブル
８０１，９０１  受信アンテナ
８０２，９０２  受信ＲＦ部
８０３  ＰＵＳＣＨ復調部
８０４  受信ＳＩＮＲ推定部
８０５  送信電力制御コマンド生成部
８０６  ＴＴＩバンドリングコマンド生成部
８０７，９０８  ＰＵＳＣＨスケジューラ
８０８  ＵＬグラント生成部
８０９  長区間受信品質判定部
８１０  ＰＤＳＣＨ生成部
８１１，９１０  物理チャネル多重部
８１２，９１２  送信ＲＦ部
８１３，９１３  送信アンテナ
８１４，９０５  モード切替制御部
８３０，９３０  通信装置
８３１，９３１  ＣＰＵ
８３２，９３２  メモリ
８３３，９３４  無線通信インタフェース
８３４  有線通信インタフェース
８３９，９３９  バス
９０３  ＰＤＳＣＨ復調部
９０４  ＰＤＣＣＨ復調部
９０６  送信電力算出部
９０７  ＴＴＩバンドリング制御部
９０９  ＳＲＳ生成部
９１１  送信電力制御部
９３３  ユーザインタフェース
１２０２〜１２０４，１３０２〜１３０５，２２１２，２２１３，２２２２，２２２３  再送
１８０１  ＴＴＩバンドリング／ＲＴＴコマンド生成部
１９０１  ＴＴＩバンドリング／ＲＴＴ制御部
２７０１  ＴＴＩバンドリング／ＨＡＲＱプロセス数コマンド生成部
２８０１  ＴＴＩバンドリング／ＨＡＲＱプロセス数制御部
【国際調査報告】
2015145780.tif 000068
2015145780.tif 000069
2015145780.tif 000070
2015145780.tif 000071